(57)【特許請求の範囲】
【請求項１】
ロングタームエボリューションＬＴＥシステムの基地局のためのデータ送信方法であって、
ユーザ機器が配置されている前記ＬＴＥシステムのリリースを判断する段階と、
前記ユーザ機器が配置されている前記ＬＴＥシステムの前記リリースに従って、少なくとも２つの変調符号化スキームＭＣＳテーブルから１つのＭＣＳテーブルを選択してＭＣＳを判断し、少なくとも２つのトランスポートブロックサイズＴＢＳテーブルから１つのＴＢＳテーブルを選択してＴＢＳを判断する段階であり、前記少なくとも２つのＭＣＳテーブルのうち少なくとも１つのＭＣＳテーブルは、２５６直交振幅変調ＱＡＭに対応するＭＣＳを含む、段階と、
インジケーション情報を前記ユーザ機器へ送信する段階であり、前記インジケーション情報は、選択された前記１つのＭＣＳテーブルおよび選択された前記１つのＴＢＳテーブルの少なくとも１つについての情報を示すのに用いられる、段階と、
判断された前記ＭＣＳと判断された前記ＴＢＳとに基づき、サービスデータをユーザ機器へ送信する段階と
を備えるデータ送信方法。
【請求項２】
前記インジケーション情報は、選択された前記１つのＭＣＳテーブルおよび選択された前記１つのＴＢＳテーブルについての情報を示すのに用いられる、請求項１に記載のデータ送信方法。
【請求項３】
前記少なくとも２つのＭＣＳテーブルは第１ＭＣＳテーブルおよび第２ＭＣＳテーブルを含み、前記少なくとも２つのＴＢＳテーブルは第１ＴＢＳテーブルおよび第２ＴＢＳテーブルを含み、前記第１ＭＣＳテーブルは前記第１ＴＢＳテーブルと協同し、前記第２ＭＣＳテーブルは前記第２ＴＢＳテーブルと協同し、
前記第１ＭＣＳテーブルは２５６−ＱＡＭ変調スキームを含み、および／または、
同じＭＣＳレベル指標および同じリソースブロックペアサイズに対応するとき、前記第１ＴＢＳテーブル内のＴＢＳは、前記第２ＴＢＳテーブル内のＴＢＳより小さくない、請求項１または２に記載のデータ送信方法。
【請求項４】
前記第１ＭＣＳテーブルおよび前記第１ＴＢＳテーブルはＬＴＥリリース１２に対応し、前記第２ＭＣＳテーブルおよび前記第２ＴＢＳテーブルはＬＴＥリリース８から１１に対応する、請求項３に記載のデータ送信方法。
【請求項５】
ロングタームエボリューションＬＴＥシステムのユーザ機器のためのデータ送信方法であって、
基地局により送信されるインジケーション情報を受信する段階であり、前記インジケーション情報は、前記ユーザ機器が配置されている前記ＬＴＥシステムのリリースに従って前記基地局により選択された１つのＭＣＳテーブルおよび１つのＴＢＳテーブルの少なくとも１つについての情報を示すのに用いられる、段階と、
前記インジケーション情報に従って、少なくとも２つの変調符号化スキームＭＣＳテーブルから１つのＭＣＳテーブルを選択してＭＣＳを判断し、少なくとも２つのトランスポートブロックサイズＴＢＳテーブルから１つのＴＢＳテーブルを選択してＴＢＳを判断する段階であり、前記少なくとも２つのＭＣＳテーブルのうち少なくとも１つのＭＣＳテーブルは、２５６−ＱＡＭに対応するＭＣＳを含む、段階と、
判断された前記ＭＣＳと判断された前記ＴＢＳとに基づき、基地局により送信されるサービスデータを取得する段階と
を備える、データ送信方法。
【請求項６】
前記インジケーション情報は、前記ユーザ機器が配置されている前記ＬＴＥシステムの前記リリースに従って前記基地局により選択された前記１つのＭＣＳテーブルおよび前記１つのＴＢＳテーブルについての情報を示すのに用いられる、請求項５に記載のデータ送信方法。
【請求項７】
前記少なくとも２つのＭＣＳテーブルは第１ＭＣＳテーブルおよび第２ＭＣＳテーブルを含み、前記少なくとも２つのＴＢＳテーブルは第１ＴＢＳテーブルおよび第２ＴＢＳテーブルを含み、前記第１ＭＣＳテーブルは前記第１ＴＢＳテーブルと協同し、前記第２ＭＣＳテーブルは前記第２ＴＢＳテーブルと協同し、
前記第１ＭＣＳテーブルは２５６−ＱＡＭ変調スキームを含み、および／または
同じＭＣＳレベル指標および同じリソースブロックペアサイズに対応するとき、前記第１ＴＢＳテーブル内のＴＢＳは、前記第２ＴＢＳテーブル内のＴＢＳより小さくない、請求項５または６に記載のデータ送信方法。
【請求項８】
前記第１ＭＣＳテーブルおよび前記第１ＴＢＳテーブルはＬＴＥリリース１２に対応し、前記第２ＭＣＳテーブルおよび前記第２ＴＢＳテーブルはＬＴＥリリース８から１１に対応する、請求項７に記載のデータ送信方法。
【請求項９】
前記第１ＭＣＳテーブルのＭＣＳレベル指標ａに対応するＴＢＳは、前記第２ＭＣＳテーブルのＭＣＳレベル指標ａ＋１に対応するＴＢＳと同じであり、ここで、ａは、０より大きく、またはそれと等しく、２７より小さい、またはそれと等しい整数であり、または、
前記第１ＭＣＳテーブルのＭＣＳレベル指標ｂに対応するＴＢＳは、前記第２ＭＣＳテーブルのＭＣＳレベル指標ｂに対応するＴＢＳと同じであり、前記第１ＭＣＳテーブルのＭＣＳレベル指標ｃに対応するＴＢＳは、前記第２ＭＣＳテーブルのＭＣＳレベル指標ｃ＋１に対応するＴＢＳと同じであり、ここで、ｂは、０より大きく、またはそれと等しく、９より小さい、またはそれと等しい整数であり、ｃは、１０より大きく、またはそれと等しく、２７より小さい、またはそれと等しい整数であり、または、
前記第１ＭＣＳテーブルのＭＣＳレベル指標ｄに対応するＴＢＳは、前記第２ＭＣＳテーブルのＭＣＳレベル指標ｄに対応するＴＢＳと同じであり、前記第１ＭＣＳテーブルのＭＣＳレベル指標ｅに対応するＴＢＳは、前記第２ＭＣＳテーブルのＭＣＳレベル指標ｅ＋１に対応するＴＢＳと同じであり、ここで、ｄは、０より大きく、またはそれと等しく、１６より小さい、またはそれと等しい整数であり、ｅは、１７より大きく、またはそれと等しく、２７より小さい、またはそれと等しい整数である、請求項７または８に記載のデータ送信方法。
【請求項１０】
ユーザ機器が配置されているロングタームエボリューションＬＴＥシステムのリリースを判断し、前記ユーザ機器が配置されている前記ＬＴＥシステムの前記リリースに従って、少なくとも２つの変調符号化スキームＭＣＳテーブルから１つのＭＣＳテーブルを選択してＭＣＳを判断し、少なくとも２つのトランスポートブロックサイズＴＢＳテーブルから１つのＴＢＳテーブルを選択してＴＢＳを判断する選択および判断ユニットであり、前記少なくとも２つのＭＣＳテーブルのうち少なくとも１つのＭＣＳテーブルは、２５６直交振幅変調ＱＡＭに対応するＭＣＳを含む、選択および判断ユニットと、
インジケーション情報を前記ユーザ機器に送信し、判断された前記ＭＣＳと判断された前記ＴＢＳとに基づきサービスデータをユーザ機器に送信する送信ユニットであり、前記インジケーション情報は、選択された前記１つのＭＣＳテーブルおよび選択された前記１つのＴＢＳテーブルの少なくとも１つについての情報を示すのに用いられる、送信ユニットと
を備える、基地局。
【請求項１１】
前記インジケーション情報は、選択された前記１つのＭＣＳテーブルおよび選択された前記１つのＴＢＳテーブルについての情報を示すのに用いられる、請求項１０に記載の基地局。
【請求項１２】
前記少なくとも２つのＭＣＳテーブルは第１ＭＣＳテーブルおよび第２ＭＣＳテーブルを含み、前記少なくとも２つのＴＢＳテーブルは第１ＴＢＳテーブルおよび第２ＴＢＳテーブルを含み、前記第１ＭＣＳテーブルは前記第１ＴＢＳテーブルと協同し、前記第２ＭＣＳテーブルは前記第２ＴＢＳテーブルと協同し、
前記第１ＭＣＳテーブルは２５６−ＱＡＭ変調スキームを含み、および／または、
同じＭＣＳレベル指標および同じリソースブロックペアサイズに対応するとき、前記第１ＴＢＳテーブル内のＴＢＳは、前記第２ＴＢＳテーブル内のＴＢＳより小さくない、請求項１０または１１に記載の基地局。
【請求項１３】
前記第１ＭＣＳテーブルおよび前記第１ＴＢＳテーブルはＬＴＥリリース１２に対応し、前記第２ＭＣＳテーブルおよび前記第２ＴＢＳテーブルはＬＴＥリリース８から１１に対応する、請求項１２に記載の基地局。
【請求項１４】
ユーザ機器であって、
少なくとも２つの変調符号化スキームＭＣＳテーブルから１つのＭＣＳテーブルを選択してＭＣＳを判断し、少なくとも２つのトランスポートブロックサイズＴＢＳテーブルから１つのＴＢＳテーブルを選択してＴＢＳを判断する選択および判断ユニットであり、前記少なくとも２つのＭＣＳテーブルのうち少なくとも１つのＭＣＳテーブルは、２５６−ＱＡＭに対応するＭＣＳを含む、選択および判断ユニットと、
判断された前記ＭＣＳと判断された前記ＴＢＳとに基づき、基地局により送信されたサービスデータを取得する取得ユニットと
を備え、
前記取得ユニットはさらに、前記基地局により送信されるインジケーション情報を受信し、
前記インジケーション情報は、前記ユーザ機器が配置されているロングタームエボリューションＬＴＥシステムのリリースに従って前記基地局により選択された１つのＭＣＳテーブルおよび１つのＴＢＳテーブルの少なくとも１つについての情報を示すのに用いられ、
前記選択および判断ユニットは、前記インジケーション情報に従って、前記少なくとも２つのＭＣＳテーブルから前記１つのＭＣＳテーブルを選択して前記ＭＣＳを判断し、前記少なくとも２つのトランスポートブロックサイズＴＢＳテーブルから前記１つのＴＢＳテーブルを選択して前記ＴＢＳを判断する、
ユーザ機器。
【請求項１５】
前記インジケーション情報は、前記ユーザ機器が配置されている前記ＬＴＥシステムの前記リリースに従って前記基地局により選択された前記１つのＭＣＳテーブルおよび前記１つのＴＢＳテーブルについての情報を示すのに用いられる、
請求項１４に記載のユーザ機器。
【請求項１６】
前記少なくとも２つのＭＣＳテーブルは第１ＭＣＳテーブルおよび第２ＭＣＳテーブルを含み、前記少なくとも２つのＴＢＳテーブルは第１ＴＢＳテーブルおよび第２ＴＢＳテーブルを含み、前記第１ＭＣＳテーブルは前記第１ＴＢＳテーブルと協同し、前記第２ＭＣＳテーブルは前記第２ＴＢＳテーブルと協同し、
前記第１ＭＣＳテーブルは２５６−ＱＡＭ変調スキームを含み、および／または、
同じＭＣＳレベル指標および同じリソースブロックペアサイズに対応するとき、前記第１ＴＢＳテーブル内のＴＢＳは、前記第２ＴＢＳテーブル内のＴＢＳより小さくない、請求項１４または１５に記載のユーザ機器。
【請求項１７】
前記第１ＭＣＳテーブルおよび前記第１ＴＢＳテーブルはＬＴＥリリース１２に対応し、前記第２ＭＣＳテーブルおよび前記第２ＴＢＳテーブルはＬＴＥリリース８から１１に対応する、請求項１６に記載のユーザ機器。
【請求項１８】
前記第１ＭＣＳテーブルのＭＣＳレベル指標ａに対応するＴＢＳは、前記第２ＭＣＳテーブルのＭＣＳレベル指標ａ＋１に対応するＴＢＳと同じであり、ここで、ａは、０より大きく、またはそれと等しく、２７より小さい、またはそれと等しい整数であり、または
前記第１ＭＣＳテーブルのＭＣＳレベル指標ｂに対応するＴＢＳは、前記第２ＭＣＳテーブルのＭＣＳレベル指標ｂに対応するＴＢＳと同じであり、前記第１ＭＣＳテーブルのＭＣＳレベル指標ｃに対応するＴＢＳは、前記第２ＭＣＳテーブルのＭＣＳレベル指標ｃ＋１に対応するＴＢＳと同じであり、ここで、ｂは、０より大きく、またはそれと等しく、９より小さい、またはそれと等しい整数であり、ｃは、１０より大きく、またはそれと等しく、２７より小さい、またはそれと等しい整数であり、または、
前記第１ＭＣＳテーブルのＭＣＳレベル指標ｄに対応するＴＢＳは、前記第２ＭＣＳテーブルのＭＣＳレベル指標ｄに対応するＴＢＳと同じであり、前記第１ＭＣＳテーブルのＭＣＳレベル指標ｅに対応するＴＢＳは、前記第２ＭＣＳテーブルのＭＣＳレベル指標ｅ＋１に対応するＴＢＳと同じであり、ここで、ｄは、０より大きく、またはそれと等しく、１６より小さい、またはそれと等しい整数であり、ｅは、１７より大きく、またはそれと等しく、２７より小さい、またはそれと等しい整数である、請求項１６または１７に記載のユーザ機器。
【発明の詳細な説明】
【技術分野】
【０００１】
本願発明は、通信分野に関し、特に、データ送信方法、基地局、およびユーザ機器に関する。
【背景技術】
【０００２】
通信システムにおいて、基地局からユーザ機器へのチャネルの状態は、その基地局からそのユーザ機器へのスループットの大きさを決定づける。チャネル状態を評価する指標は、サポートされ得る変調符号化スキーム（Ｍｏｄｕｌａｔｉｏｎ  Ｃｏｄｉｎｇ  Ｓｃｈｅｍｅ，ＭＣＳ）レベル（Ｌｅｖｅｌ）である。より良好なチャネル状態はより高い、サポートされるＭＣＳレベルを示し、より劣悪なチャネル状態はより低い、サポートされるＭＣＳレベルを示す。モバイル通信システムにおいては、ユーザ機器のモビリティおよび環境の影響を受け、基地局からそのユーザ機器へのチャネルは可変的であり、ゆえに、サポートされるＭＣＳレベルも可変的である。比較的劣悪なチャネル状態において、比較的高いＭＣＳレベルがデータ送信の間に用いられる場合、結果として得られるフレームエラーレートは比較的高く、システムの指標要求を何ら満たさない。比較的良好なチャネル状態において、比較的低いＭＣＳレベルがデータ送信の間に用いられる場合、基地局からユーザ機器へのスループットは影響を受け、これにより、システムのスループットが影響を受ける。ゆえに、モバイル通信システムにおいて、基地局からユーザ機器へのリンクに適用可能なＭＣＳレベルが、その基地局からそのＵＥへのチャネルの状態に従って適合的に調整され、これにより、システムスループットが最適化されるよう、適応変調符号化（Ａｄａｐｔｉｖｅ  Ｍｏｄｕｌａｔｉｏｎ  ａｎｄ  Ｃｏｄｉｎｇ，ＡＭＣ）方法が一般的に用いられる。ＭＣＳレベルは、ＭＣＳテーブルに基づき判断され得、そのＭＣＳレベルに対応するトランスポートブロックサイズ（Ｔｒａｎｓｐｏｒｔ  Ｂｌｏｃｋ  Ｓｉｚｅ，ＴＢＳ）は、ＴＢＳテーブルに基づき判断される必要がある。
【０００３】
システムの周波数スペクトル効率を最大化すべく、ＭＣＳテーブルおよびＴＢＳテーブルに基づきＭＣＳレベルおよびＴＢＳを如何に判断するかは、至急解決されるべき問題である。
【発明の概要】
【０００４】
本願発明の複数の実施形態は、システムの周波数スペクトル効率を最大化し、システムのスループットを最大化し得るデータ送信方法、基地局、およびユーザ機器を提供する。
【０００５】
第１態様はデータ送信方法を提供し、データ送信方法は、少なくとも２つの変調符号化スキームＭＣＳテーブルから１つのＭＣＳテーブルを選択してＭＣＳを判断し、少なくとも２つのトランスポートブロックサイズＴＢＳテーブルから１つのＴＢＳテーブルを選択してＴＢＳを判断する段階であり、少なくとも２つのＭＣＳテーブルのうち少なくとも１つのＭＣＳテーブルは、２５６直交振幅変調ＱＡＭに対応するＭＣＳを含む、段階と、判断されたＭＣＳと判断されたＴＢＳとに基づき、サービスデータをユーザ機器へ送信する段階とを備える。
【０００６】
第１態様を参照すると、第１態様の第１の可能な実施例において、少なくとも２つの変調符号化スキームＭＣＳテーブルから１つのＭＣＳテーブルを選択してＭＣＳを判断し、少なくとも２つのトランスポートブロックサイズＴＢＳテーブルから１つのＴＢＳテーブルを選択してＴＢＳを判断する段階はユーザ機器が配置されているロングタームエボリューションＬＴＥシステムのリリースを判断する段階と、ユーザ機器が配置されているＬＴＥシステムのリリースに従って、少なくとも２つのＭＣＳテーブルから１つのＭＣＳテーブルを選択し、少なくとも２つのＴＢＳテーブルから１つのＴＢＳテーブルを選択する段階とを有する。
【０００７】
第１態様、または第１態様の第１の可能な実施例を参照すると、第１態様の第２の可能な実施例において、方法は、サービスデータをユーザ機器へ送信する段階の前に、インジケーション情報をユーザ機器へ送信する段階であり、インジケーション情報は、選択された１つのＭＣＳテーブルおよび／または選択された１つのＴＢＳテーブルについての情報を示すのに用いられる、段階をさらに備える。
【０００８】
第１態様、または第１態様の第１または第２の可能な実施例を参照すると、第１態様の第３の可能な実施例において、少なくとも２つのＭＣＳテーブルは第１ＭＣＳテーブルおよび第２ＭＣＳテーブルを含み、少なくとも２つのＴＢＳテーブルは第１ＴＢＳテーブルおよび第２ＴＢＳテーブルを含み、第１ＭＣＳテーブルは第１ＴＢＳテーブルと協同し、第２ＭＣＳテーブルは第２ＴＢＳテーブルと協同し、第１ＭＣＳテーブルは２５６−ＱＡＭ変調スキームを含み、および／または、同じＭＣＳレベル指標および同じリソースブロックペアサイズに対応するとき、第１ＴＢＳテーブル内のＴＢＳは、第２ＴＢＳテーブル内のＴＢＳより小さくない。
【０００９】
第１態様の第３の可能な実施例を参照すると、第１態様の第４の可能な実施例において、第１ＭＣＳテーブルおよび第１ＴＢＳテーブルはＬＴＥリリース１２に対応し、第２ＭＣＳテーブルおよび第２ＴＢＳテーブルはＬＴＥリリース８から１１に対応する。
【００１０】
第１態様の第３または第４の可能な実施例を参照すると、第１態様の第５の可能な実施例において、第１ＭＣＳテーブルのＭＣＳレベル指標ａに対応するＴＢＳは、第２ＭＣＳテーブルのＭＣＳレベル指標ａ＋１に対応するＴＢＳと同じであり、ここで、ａは、０より大きく、またはそれと等しく、２７より小さい、またはそれと等しい整数であり、または、第１ＭＣＳテーブルのＭＣＳレベル指標ｂに対応するＴＢＳは、第２ＭＣＳテーブルのＭＣＳレベル指標ｂに対応するＴＢＳと同じであり、第１ＭＣＳテーブルのＭＣＳレベル指標ｃに対応するＴＢＳは、第２ＭＣＳテーブルのＭＣＳレベル指標ｃ＋１に対応するＴＢＳと同じであり、ここで、ｂは、０より大きく、またはそれと等しく、９より小さい、またはそれと等しい整数であり、ｃは、１０より大きく、またはそれと等しく、２７より小さい、またはそれと等しい整数であり、または、第１ＭＣＳテーブルのＭＣＳレベル指標ｄに対応するＴＢＳは、第２ＭＣＳテーブルのＭＣＳレベル指標ｄに対応するＴＢＳと同じであり、第１ＭＣＳテーブルのＭＣＳレベル指標ｅに対応するＴＢＳは、第２ＭＣＳテーブルのＭＣＳレベル指標ｅ＋１に対応するＴＢＳと同じであり、ここで、ｄは、０より大きく、またはそれと等しく、１６より小さい、またはそれと等しい整数であり、ｅは、１７より大きく、またはそれと等しく、２７より小さい、またはそれと等しい整数である。
【００１１】
第１態様の第３、第４または第５の可能な実施例を参照すると、第１態様の第６の可能な実施例において、第１ＭＣＳテーブルのＭＣＳレベル指標ａに対応する変調スキームは、第２ＭＣＳテーブルのＭＣＳレベル指標ａ＋１に対応する変調スキームと同じであり、ここで、ａは、０より大きく、またはそれと等しく、２７より小さい、またはそれと等しい整数であり、または、第１ＭＣＳテーブルのＭＣＳレベル指標ｂに対応する変調スキームは、第２ＭＣＳテーブルのＭＣＳレベル指標ｂに対応する変調スキームと同じであり、第１ＭＣＳテーブルのＭＣＳレベル指標ｃに対応する変調スキームは、第２ＭＣＳテーブルのＭＣＳレベル指標ｃ＋１に対応する変調スキームと同じであり、ここで、ｂは、０より大きく、またはそれと等しく、９より小さい、またはそれと等しい整数であり、ｃは、１０より大きく、またはそれと等しく、２７より小さい、またはそれと等しい整数であり、または、第１ＭＣＳテーブルのＭＣＳレベル指標ｄに対応する変調スキームは、第２ＭＣＳテーブルのＭＣＳレベル指標ｄに対応する変調スキームと同じであり、第１ＭＣＳテーブルのＭＣＳレベル指標ｅに対応する変調スキームは、第２ＭＣＳテーブルのＭＣＳレベル指標ｅ＋１に対応する変調スキームと同じであり、ここで、ｄは、０より大きく、またはそれと等しく、１６より小さい、またはそれと等しい整数であり、ｅは、１７より大きく、またはそれと等しく、２７より小さい、またはそれと等しい整数である。
【００１２】
第１態様の第５または第６の可能な実施例を参照すると、第１態様の第７の可能な実施例において、第１ＭＣＳテーブルのＭＣＳレベル指標２８に対応する変調スキームは２５６−ＱＡＭである。
【００１３】
第１態様の第３または第４の可能な実施例を参照すると、第１態様の第８の可能な実施例において、第１ＭＣＳテーブルのＭＣＳレベル指標ｆに対応するＴＢＳは、第２ＭＣＳテーブルのＭＣＳレベル指標ｆ＋１に対応するＴＢＳと同じであり、第１ＭＣＳテーブルのＭＣＳレベル指標ｈに対応するＴＢＳは、第２ＭＣＳテーブルのＭＣＳレベル指標ｈ＋２に対応するＴＢＳと同じであり、ここで、ｆは、０より大きく、またはそれと等しく、８より小さい、または等しい整数であり、ｈは、９より大きく、またはそれと等しく、２６より小さい、または等しい整数であり、または、第１ＭＣＳテーブルのＭＣＳレベル指標ｉに対応するＴＢＳは、第２ＭＣＳテーブルのＭＣＳレベル指標ｉに対応するＴＢＳと同じであり、第１ＭＣＳテーブルのＭＣＳレベル指標ｇに対応するＴＢＳは、第２ＭＣＳテーブルのＭＣＳレベル指標ｇ＋１に対応するＴＢＳと同じであり、第１ＭＣＳテーブルのＭＣＳレベル指標ｋに対応するＴＢＳは、第２ＭＣＳテーブルのＭＣＳレベル指標ｋ＋２に対応するＴＢＳと同じであり、ここで、ｉは、０より大きく、またはそれと等しく、９より小さい、またはそれと等しい整数であり、ｇは、１０より大きく、またはそれと等しく、１５より小さい、または等しい整数であり、ｋは、１６より大きく、またはそれと等しく、２６より小さい、または等しい整数であり、または、第１ＭＣＳテーブルのＭＣＳレベル指標ｍに対応するＴＢＳは、第２ＭＣＳテーブルのＭＣＳレベル指標ｍ＋１に対応するＴＢＳと同じであり、第１ＭＣＳテーブルのＭＣＳレベル指標ｎに対応するＴＢＳは、第２ＭＣＳテーブルのＭＣＳレベル指標ｎ＋２に対応するＴＢＳと同じであり、ここで、ｍは、０より大きく、またはそれと等しく、１５より小さい、または等しい整数であり、ｎは、１６より大きく、またはそれと等しく、２６より小さい、または等しい整数である。
【００１４】
第１態様の第３、第４または第８の可能な実施例を参照すると、第１態様の第９の可能な実施例において、第１ＭＣＳテーブルのＭＣＳレベル指標ｆに対応する変調スキームは、第２ＭＣＳテーブルのＭＣＳレベル指標ｆ＋１に対応する変調スキームと同じであり、第１ＭＣＳテーブルのＭＣＳレベル指標ｈに対応する変調スキームは、第２ＭＣＳテーブルのＭＣＳレベル指標ｈ＋２に対応する変調スキームと同じであり、ここで、ｆは、０より大きく、またはそれと等しく、８より小さい、または等しい整数であり、ｈは、９より大きく、またはそれと等しく、２６より小さい、または等しい整数であり、または、第１ＭＣＳテーブルのＭＣＳレベル指標ｉに対応する変調スキームは、第２ＭＣＳテーブルのＭＣＳレベル指標ｉに対応する変調スキームと同じであり、第１ＭＣＳテーブルのＭＣＳレベル指標ｇに対応する変調スキームは、第２ＭＣＳテーブルのＭＣＳレベル指標ｇ＋１に対応する変調スキームと同じであり、第１ＭＣＳテーブルのＭＣＳレベル指標ｋに対応する変調スキームは、第２ＭＣＳテーブルのＭＣＳレベル指標ｋ＋２に対応する変調スキームと同じであり、ここで、ｉは、０より大きく、またはそれと等しく、９より小さい、またはそれと等しい整数であり、ｇは、１０より大きく、またはそれと等しく、１５より小さい、または等しい整数であり、ｋは、１６より大きく、またはそれと等しく、２６より小さい、または等しい整数であり、または、第１ＭＣＳテーブルのＭＣＳレベル指標ｍに対応する変調スキームは、第２ＭＣＳテーブルのＭＣＳレベル指標ｍ＋１に対応する変調スキームと同じであり、第１ＭＣＳテーブルのＭＣＳレベル指標ｎに対応する変調スキームは、第２ＭＣＳテーブルのＭＣＳレベル指標ｎ＋２に対応する変調スキームと同じであり、ここで、ｍは、０より大きく、またはそれと等しく、１５より小さい、または等しい整数であり、ｎは、１６より大きく、またはそれと等しく、２６より小さい、または等しい整数である。
【００１５】
第１態様の第８または第９の可能な実施例を参照すると、第１態様の第１０の可能な実施例において、第１ＭＣＳテーブルのＭＣＳレベル指標２７および２８に対応する変調スキームは２５６−ＱＡＭである。
【００１６】
第１態様の第３または第４の可能な実施例を参照すると、第１態様の第１１の可能な実施例において、第１ＭＣＳテーブルのＭＣＳレベル指標ｐに対応するＴＢＳは、第２ＭＣＳテーブルのＭＣＳレベル指標ｐ＋１に対応するＴＢＳと同じであり、第１ＭＣＳテーブルのＭＣＳレベル指標ｘに対応するＴＢＳは、第２ＭＣＳテーブルのＭＣＳレベル指標ｘ＋２に対応するＴＢＳと同じであり、第１ＭＣＳテーブルのＭＣＳレベル指標ｙに対応するＴＢＳは、第２ＭＣＳテーブルのＭＣＳレベル指標ｙ＋３に対応するＴＢＳと同じであり、ここで、ｐは、０より大きく、またはそれと等しく、８より小さい、または等しい整数であり、ｘは、９より大きく、またはそれと等しく、１４より小さい、または等しい整数であり、ｙは、１５より大きく、またはそれと等しく、２５より小さい、または等しい整数である。
【００１７】
第１態様の第３、第４または第１１の可能な実施例を参照すると、第１態様の第１２の可能な実施例において、第１ＭＣＳテーブルのＭＣＳレベル指標ｐに対応する変調スキームは、第２ＭＣＳテーブルのＭＣＳレベル指標ｐ＋１に対応する変調スキームと同じであり、第１ＭＣＳテーブルのＭＣＳレベル指標ｘに対応する変調スキームは、第２ＭＣＳテーブルのＭＣＳレベル指標ｘ＋２に対応する変調スキームと同じであり、第１ＭＣＳテーブルのＭＣＳレベル指標ｙに対応する変調スキームは、第２ＭＣＳテーブルのＭＣＳレベル指標ｙ＋３に対応する変調スキームと同じであり、ここで、ｐは、０より大きく、またはそれと等しく、８より小さい、または等しい整数であり、ｘは、９より大きく、またはそれと等しく、１４より小さい、または等しい整数であり、ｙは、１５より大きく、またはそれと等しく、２５より小さい、または等しい整数である。
【００１８】
第１態様の第１１または第１２の可能な実施例を参照すると、第１態様の第１３の可能な実施例において、第１ＭＣＳテーブルのＭＣＳレベル指標２６、２７および２８に対応する変調スキームは２５６−ＱＡＭである。
【００１９】
第２態様はデータ送信方法を提供し、データ送信方法は、少なくとも２つの変調符号化スキームＭＣＳテーブルから１つのＭＣＳテーブルを選択してＭＣＳを判断し、少なくとも２つのトランスポートブロックサイズＴＢＳテーブルから１つのＴＢＳテーブルを選択してＴＢＳを判断する段階であり、少なくとも２つのＭＣＳテーブルのうち少なくとも１つのＭＣＳテーブルは、２５６−ＱＡＭに対応するＭＣＳを含む、段階と、判断されたＭＣＳと判断されたＴＢＳとに基づき、基地局により送信されるサービスデータを取得する段階とを備える。
【００２０】
第２態様を参照すると、第２態様の第１の可能な実施例において、方法は、基地局により送信されるインジケーション情報を受信する段階であり、インジケーション情報は、選択された１つのＭＣＳテーブルおよび／または選択された１つのＴＢＳテーブルについての情報を示すのに用いられる、段階をさらに備え、少なくとも２つの変調符号化スキームＭＣＳテーブルから１つのＭＣＳテーブルを選択して変調符号化スキームＭＣＳを判断し、少なくとも２つのトランスポートブロックサイズＴＢＳテーブルから１つのＴＢＳテーブルを選択してＴＢＳを判断する段階は、インジケーション情報に従って、少なくとも２つのＭＣＳテーブルから１つのＭＣＳテーブルを選択してＭＣＳを判断し、少なくとも２つのトランスポートブロックサイズＴＢＳテーブルから１つのＴＢＳテーブルを選択してＴＢＳを判断する段階を有する。
【００２１】
第２態様、または第２態様の第１の可能な実施例を参照すると、第２態様の第２の可能な実施例において、少なくとも２つのＭＣＳテーブルは第１ＭＣＳテーブルおよび第２ＭＣＳテーブルを含み、少なくとも２つのＴＢＳテーブルは第１ＴＢＳテーブルおよび第２ＴＢＳテーブルを含み、第１ＭＣＳテーブルは第１ＴＢＳテーブルと協同し、第２ＭＣＳテーブルは第２ＴＢＳテーブルと協同し、第１ＭＣＳテーブルは２５６−ＱＡＭ変調スキームを含み、および／または同じＭＣＳレベル指標および同じリソースブロックペアサイズに対応するとき、第１ＴＢＳテーブル内のＴＢＳは、第２ＴＢＳテーブル内のＴＢＳより小さくない。
【００２２】
第２態様の第２の可能な実施例を参照すると、第２態様の第３の可能な実施例において、第１ＭＣＳテーブルおよび第１ＴＢＳテーブルはＬＴＥリリース１２に対応し、第２ＭＣＳテーブルおよび第２ＴＢＳテーブルはＬＴＥリリース８から１１に対応する。
【００２３】
第２態様の第２または第３の可能な実施例を参照すると、第２態様の第４の可能な実施例において、第１ＭＣＳテーブルのＭＣＳレベル指標ａに対応するＴＢＳは、第２ＭＣＳテーブルのＭＣＳレベル指標ａ＋１に対応するＴＢＳと同じであり、ここで、ａは、０より大きく、またはそれと等しく、２７より小さい、またはそれと等しい整数であり、または、第１ＭＣＳテーブルのＭＣＳレベル指標ｂに対応するＴＢＳは、第２ＭＣＳテーブルのＭＣＳレベル指標ｂに対応するＴＢＳと同じであり、第１ＭＣＳテーブルのＭＣＳレベル指標ｃに対応するＴＢＳは、第２ＭＣＳテーブルのＭＣＳレベル指標ｃ＋１に対応するＴＢＳと同じであり、ここで、ｂは、０より大きく、またはそれと等しく、９より小さい、またはそれと等しい整数であり、ｃは、１０より大きく、またはそれと等しく、２７より小さい、またはそれと等しい整数であり、または、第１ＭＣＳテーブルのＭＣＳレベル指標ｄに対応するＴＢＳは、第２ＭＣＳテーブルのＭＣＳレベル指標ｄに対応するＴＢＳと同じであり、第１ＭＣＳテーブルのＭＣＳレベル指標ｅに対応するＴＢＳは、第２ＭＣＳテーブルのＭＣＳレベル指標ｅ＋１に対応するＴＢＳと同じであり、ここで、ｄは、０より大きく、またはそれと等しく、１６より小さい、またはそれと等しい整数であり、ｅは、１７より大きく、またはそれと等しく、２７より小さい、またはそれと等しい整数である。
【００２４】
第２態様の第２、第３または第４の可能な実施例を参照すると、第２態様の第５の可能な実施例において、第１ＭＣＳテーブルのＭＣＳレベル指標ａに対応する変調スキームは、第２ＭＣＳテーブルのＭＣＳレベル指標ａ＋１に対応する変調スキームと同じであり、ここで、ａは、０より大きく、またはそれと等しく、２７より小さい、またはそれと等しい整数であり、または、第１ＭＣＳテーブルのＭＣＳレベル指標ｂに対応する変調スキームは、第２ＭＣＳテーブルのＭＣＳレベル指標ｂに対応する変調スキームと同じであり、第１ＭＣＳテーブルのＭＣＳレベル指標ｃに対応する変調スキームは、第２ＭＣＳテーブルのＭＣＳレベル指標ｃ＋１に対応する変調スキームと同じであり、ここで、ｂは、０より大きく、またはそれと等しく、９より小さい、またはそれと等しい整数であり、ｃは、１０より大きく、またはそれと等しく、２７より小さい、またはそれと等しい整数であり、または、第１ＭＣＳテーブルのＭＣＳレベル指標ｄに対応する変調スキームは、第２ＭＣＳテーブルのＭＣＳレベル指標ｄに対応する変調スキームと同じであり、第１ＭＣＳテーブルのＭＣＳレベル指標ｅに対応する変調スキームは、第２ＭＣＳテーブルのＭＣＳレベル指標ｅ＋１に対応する変調スキームと同じであり、ここで、ｄは、０より大きく、またはそれと等しく、１６より小さい、またはそれと等しい整数であり、ｅは、１７より大きく、またはそれと等しく、２７より小さい、またはそれと等しい整数である。
【００２５】
第２態様の第４または第５の可能な実施例を参照すると、第２態様の第６の可能な実施例において、第１ＭＣＳテーブルのＭＣＳレベル指標２８に対応する変調スキームは２５６−ＱＡＭである。
【００２６】
第２態様の第２または第３の可能な実施例を参照すると、第２態様の第７の可能な実施例において、第１ＭＣＳテーブルのＭＣＳレベル指標ｆに対応するＴＢＳは、第２ＭＣＳテーブルのＭＣＳレベル指標ｆ＋１に対応するＴＢＳと同じであり、第１ＭＣＳテーブルのＭＣＳレベル指標ｈに対応するＴＢＳは、第２ＭＣＳテーブルのＭＣＳレベル指標ｈ＋２に対応するＴＢＳと同じであり、ここで、ｆは、０より大きく、またはそれと等しく、８より小さい、または等しい整数であり、ｈは、９より大きく、またはそれと等しく、２６より小さい、または等しい整数であり、または、第１ＭＣＳテーブルのＭＣＳレベル指標ｉに対応するＴＢＳは、第２ＭＣＳテーブルのＭＣＳレベル指標ｉに対応するＴＢＳと同じであり、第１ＭＣＳテーブルのＭＣＳレベル指標ｇに対応するＴＢＳは、第２ＭＣＳテーブルのＭＣＳレベル指標ｇ＋１に対応するＴＢＳと同じであり、第１ＭＣＳテーブルのＭＣＳレベル指標ｋに対応するＴＢＳは、第２ＭＣＳテーブルのＭＣＳレベル指標ｋ＋２に対応するＴＢＳと同じであり、ここで、ｉは、０より大きく、またはそれと等しく、９より小さい、またはそれと等しい整数であり、ｇは、１０より大きく、またはそれと等しく、１５より小さい、または等しい整数であり、ｋは、１６より大きく、またはそれと等しく、２６より小さい、または等しい整数であり、または、第１ＭＣＳテーブルのＭＣＳレベル指標ｍに対応するＴＢＳは、第２ＭＣＳテーブルのＭＣＳレベル指標ｍ＋１に対応するＴＢＳと同じであり、第１ＭＣＳテーブルのＭＣＳレベル指標ｎに対応するＴＢＳは、第２ＭＣＳテーブルのＭＣＳレベル指標ｎ＋２に対応するＴＢＳと同じであり、ここで、ｍは、０より大きく、またはそれと等しく、１５より小さい、または等しい整数であり、ｎは、１６より大きく、またはそれと等しく、２６より小さい、または等しい整数である。
【００２７】
第２態様の第２、第３または第７の可能な実施例を参照すると、第２態様の第８の可能な実施例において、第１ＭＣＳテーブルのＭＣＳレベル指標ｆに対応する変調スキームは、第２ＭＣＳテーブルのＭＣＳレベル指標ｆ＋１に対応する変調スキームと同じであり、第１ＭＣＳテーブルのＭＣＳレベル指標ｈに対応する変調スキームは、第２ＭＣＳテーブルのＭＣＳレベル指標ｈ＋２に対応する変調スキームと同じであり、ここで、ｆは、０より大きく、またはそれと等しく、８より小さい、または等しい整数であり、ｈは、９より大きく、またはそれと等しく、２６より小さい、または等しい整数であり、または、第１ＭＣＳテーブルのＭＣＳレベル指標ｉに対応する変調スキームは、第２ＭＣＳテーブルのＭＣＳレベル指標ｉに対応する変調スキームと同じであり、第１ＭＣＳテーブルのＭＣＳレベル指標ｇに対応する変調スキームは、第２ＭＣＳテーブルのＭＣＳレベル指標ｇ＋１に対応する変調スキームと同じであり、第１ＭＣＳテーブルのＭＣＳレベル指標ｋに対応する変調スキームは、第２ＭＣＳテーブルのＭＣＳレベル指標ｋ＋２に対応する変調スキームと同じであり、ここで、ｉは、０より大きく、またはそれと等しく、９より小さい、またはそれと等しい整数であり、ｇは、１０より大きく、またはそれと等しく、１５より小さい、または等しい整数であり、ｋは、１６より大きく、またはそれと等しく、２６より小さい、または等しい整数であり、または、第１ＭＣＳテーブルのＭＣＳレベル指標ｍに対応する変調スキームは、第２ＭＣＳテーブルのＭＣＳレベル指標ｍ＋１に対応する変調スキームと同じであり、第１ＭＣＳテーブルのＭＣＳレベル指標ｎに対応する変調スキームは、第２ＭＣＳテーブルのＭＣＳレベル指標ｎ＋２に対応する変調スキームと同じであり、ここで、ｍは、０より大きく、またはそれと等しく、１５より小さい、または等しい整数であり、ｎは、１６より大きく、またはそれと等しく、２６より小さい、または等しい整数である。
【００２８】
第２態様の第７または第８の可能な実施例を参照すると、第２態様の第９の可能な実施例において、第１ＭＣＳテーブルのＭＣＳレベル指標２７および２８に対応する変調スキームは２５６−ＱＡＭである。
【００２９】
第２態様の第２または第３の可能な実施例を参照すると、第２態様の第１０の可能な実施例において、第１ＭＣＳテーブルのＭＣＳレベル指標ｐに対応するＴＢＳは、第２ＭＣＳテーブルのＭＣＳレベル指標ｐ＋１に対応するＴＢＳと同じであり、第１ＭＣＳテーブルのＭＣＳレベル指標ｘに対応するＴＢＳは、第２ＭＣＳテーブルのＭＣＳレベル指標ｘ＋２に対応するＴＢＳと同じであり、第１ＭＣＳテーブルのＭＣＳレベル指標ｙに対応するＴＢＳは、第２ＭＣＳテーブルのＭＣＳレベル指標ｙ＋３に対応するＴＢＳと同じであり、ここで、ｐは、０より大きく、またはそれと等しく、８より小さい、または等しい整数であり、ｘは、９より大きく、またはそれと等しく、１４より小さい、または等しい整数であり、ｙは、１５より大きく、またはそれと等しく、２５より小さい、または等しい整数である。
【００３０】
第２態様の第２、第３または第１０の可能な実施例を参照すると、第２態様の第１１の可能な実施例において、第１ＭＣＳテーブルのＭＣＳレベル指標ｐに対応する変調スキームは、第２ＭＣＳテーブルのＭＣＳレベル指標ｐ＋１に対応する変調スキームと同じであり、第１ＭＣＳテーブルのＭＣＳレベル指標ｘに対応する変調スキームは、第２ＭＣＳテーブルのＭＣＳレベル指標ｘ＋２に対応する変調スキームと同じであり、第１ＭＣＳテーブルのＭＣＳレベル指標ｙに対応する変調スキームは、第２ＭＣＳテーブルのＭＣＳレベル指標ｙ＋３に対応する変調スキームと同じであり、ここで、ｐは、０より大きく、またはそれと等しく、８より小さい、または等しい整数であり、ｘは、９より大きく、またはそれと等しく、１４より小さい、または等しい整数であり、ｙは、１５より大きく、またはそれと等しく、２５より小さい、または等しい整数である。
【００３１】
第２態様の第１０または第１１の可能な実施例を参照すると、第２態様の第１２の可能な実施例において、第１ＭＣＳテーブルのＭＣＳレベル指標２６、２７および２８に対応する変調スキームは２５６−ＱＡＭである。
【００３２】
第３態様は基地局を提供し、基地局は、少なくとも２つの変調符号化スキームＭＣＳテーブルから１つのＭＣＳテーブルを選択してＭＣＳを判断し、少なくとも２つのトランスポートブロックサイズＴＢＳテーブルから１つのＴＢＳテーブルを選択してＴＢＳを判断するよう構成された選択および判断ユニットであり、少なくとも２つのＭＣＳテーブルのうち少なくとも１つのＭＣＳテーブルは、２５６直交振幅変調ＱＡＭに対応するＭＣＳを含む、選択および判断ユニットと、判断されたＭＣＳと判断されたＴＢＳとに基づきサービスデータをユーザ機器に送信するよう構成された送信ユニットとを備える。
【００３３】
第３態様を参照すると、第３態様の第１の可能な実施例において、選択および判断ユニットは、ユーザ機器が配置されているロングタームエボリューションＬＴＥシステムのリリースを判断するよう構成された判断サブユニットと、ユーザ機器が配置されているＬＴＥシステムのリリースに従って、少なくとも２つのＭＣＳテーブルから１つのＭＣＳテーブルを選択し、少なくとも２つのＴＢＳテーブルから１つのＴＢＳテーブルを選択するよう構成された選択サブユニットとを有する。
【００３４】
第３態様、または第３態様の第１の可能な実施例を参照すると、第３態様の第２の可能な実施例において、送信ユニットはさらに、インジケーション情報をユーザ機器に送信するよう構成され、インジケーション情報は、選択された１つのＭＣＳテーブルおよび／または選択された１つのＴＢＳテーブルについての情報を示すのに用いられる。
【００３５】
第３態様、または第３態様の第１または第２の可能な実施例を参照すると、第３態様の第３の可能な実施例において、少なくとも２つのＭＣＳテーブルは第１ＭＣＳテーブルおよび第２ＭＣＳテーブルを含み、少なくとも２つのＴＢＳテーブルは第１ＴＢＳテーブルおよび第２ＴＢＳテーブルを含み、第１ＭＣＳテーブルは第１ＴＢＳテーブルと協同し、第２ＭＣＳテーブルは第２ＴＢＳテーブルと協同し、第１ＭＣＳテーブルは２５６−ＱＡＭ変調スキームを含み、および／または、同じＭＣＳレベル指標および同じリソースブロックペアサイズに対応するとき、第１ＴＢＳテーブル内のＴＢＳは、第２ＴＢＳテーブル内のＴＢＳより小さくない。
【００３６】
第３態様の第３の可能な実施例を参照すると、第３態様の第４の可能な実施例において、第１ＭＣＳテーブルおよび第１ＴＢＳテーブルはＬＴＥリリース１２に対応し、第２ＭＣＳテーブルおよび第２ＴＢＳテーブルはＬＴＥリリース８から１１に対応する。
【００３７】
第３態様の第３または第４の可能な実施例を参照すると、第３態様の第５の可能な実施例において、第１ＭＣＳテーブルのＭＣＳレベル指標ａに対応するＴＢＳは、第２ＭＣＳテーブルのＭＣＳレベル指標ａ＋１に対応するＴＢＳと同じであり、ここで、ａは、０より大きく、またはそれと等しく、２７より小さい、またはそれと等しい整数であり、または、第１ＭＣＳテーブルのＭＣＳレベル指標ｂに対応するＴＢＳは、第２ＭＣＳテーブルのＭＣＳレベル指標ｂに対応するＴＢＳと同じであり、第１ＭＣＳテーブルのＭＣＳレベル指標ｃに対応するＴＢＳは、第２ＭＣＳテーブルのＭＣＳレベル指標ｃ＋１に対応するＴＢＳと同じであり、ここで、ｂは、０より大きく、またはそれと等しく、９より小さい、またはそれと等しい整数であり、ｃは、１０より大きく、またはそれと等しく、２７より小さい、またはそれと等しい整数であり、または、第１ＭＣＳテーブルのＭＣＳレベル指標ｄに対応するＴＢＳは、第２ＭＣＳテーブルのＭＣＳレベル指標ｄに対応するＴＢＳと同じであり、第１ＭＣＳテーブルのＭＣＳレベル指標ｅに対応するＴＢＳは、第２ＭＣＳテーブルのＭＣＳレベル指標ｅ＋１に対応するＴＢＳと同じであり、ここで、ｄは、０より大きく、またはそれと等しく、１６より小さい、またはそれと等しい整数であり、ｅは、１７より大きく、またはそれと等しく、２７より小さい、またはそれと等しい整数である。
【００３８】
第３態様の第３、第４または第５の可能な実施例を参照すると、第３態様の第６の可能な実施例において、第１ＭＣＳテーブルのＭＣＳレベル指標ａに対応する変調スキームは、第２ＭＣＳテーブルのＭＣＳレベル指標ａ＋１に対応する変調スキームと同じであり、ここで、ａは、０より大きく、またはそれと等しく、２７より小さい、またはそれと等しい整数であり、または、第１ＭＣＳテーブルのＭＣＳレベル指標ｂに対応する変調スキームは、第２ＭＣＳテーブルのＭＣＳレベル指標ｂに対応する変調スキームと同じであり、第１ＭＣＳテーブルのＭＣＳレベル指標ｃに対応する変調スキームは、第２ＭＣＳテーブルのＭＣＳレベル指標ｃ＋１に対応する変調スキームと同じであり、ここで、ｂは、０より大きく、またはそれと等しく、９より小さい、またはそれと等しい整数であり、ｃは、１０より大きく、またはそれと等しく、２７より小さい、またはそれと等しい整数であり、または、第１ＭＣＳテーブルのＭＣＳレベル指標ｄに対応する変調スキームは、第２ＭＣＳテーブルのＭＣＳレベル指標ｄに対応する変調スキームと同じであり、第１ＭＣＳテーブルのＭＣＳレベル指標ｅに対応する変調スキームは、第２ＭＣＳテーブルのＭＣＳレベル指標ｅ＋１に対応する変調スキームと同じであり、ここで、ｄは、０より大きく、またはそれと等しく、１６より小さい、またはそれと等しい整数であり、ｅは、１７より大きく、またはそれと等しく、２７より小さい、またはそれと等しい整数である。
【００３９】
第３態様の第５または第６の可能な実施例を参照すると、第３態様の第７の可能な実施例において、第１ＭＣＳテーブルのＭＣＳレベル指標２８に対応する変調スキームは２５６−ＱＡＭである。
【００４０】
第３態様の第３または第４の可能な実施例を参照すると、第３態様の第８の可能な実施例において、第１ＭＣＳテーブルのＭＣＳレベル指標ｆに対応するＴＢＳは、第２ＭＣＳテーブルのＭＣＳレベル指標ｆ＋１に対応するＴＢＳと同じであり、第１ＭＣＳテーブルのＭＣＳレベル指標ｈに対応するＴＢＳは、第２ＭＣＳテーブルのＭＣＳレベル指標ｈ＋２に対応するＴＢＳと同じであり、ここで、ｆは、０より大きく、またはそれと等しく、８より小さい、または等しい整数であり、ｈは、９より大きく、またはそれと等しく、２６より小さい、または等しい整数であり、または、第１ＭＣＳテーブルのＭＣＳレベル指標ｉに対応するＴＢＳは、第２ＭＣＳテーブルのＭＣＳレベル指標ｉに対応するＴＢＳと同じであり、第１ＭＣＳテーブルのＭＣＳレベル指標ｇに対応するＴＢＳは、第２ＭＣＳテーブルのＭＣＳレベル指標ｇ＋１に対応するＴＢＳと同じであり、第１ＭＣＳテーブルのＭＣＳレベル指標ｋに対応するＴＢＳは、第２ＭＣＳテーブルのＭＣＳレベル指標ｋ＋２に対応するＴＢＳと同じであり、ここで、ｉは、０より大きく、またはそれと等しく、９より小さい、またはそれと等しい整数であり、ｇは、１０より大きく、またはそれと等しく、１５より小さい、または等しい整数であり、ｋは、１６より大きく、またはそれと等しく、２６より小さい、または等しい整数であり、または、第１ＭＣＳテーブルのＭＣＳレベル指標ｍに対応するＴＢＳは、第２ＭＣＳテーブルのＭＣＳレベル指標ｍ＋１に対応するＴＢＳと同じであり、第１ＭＣＳテーブルのＭＣＳレベル指標ｎに対応するＴＢＳは、第２ＭＣＳテーブルのＭＣＳレベル指標ｎ＋２に対応するＴＢＳと同じであり、ここで、ｍは、０より大きく、またはそれと等しく、１５より小さい、または等しい整数であり、ｎは、１６より大きく、またはそれと等しく、２６より小さい、または等しい整数である。
【００４１】
第３態様の第３、第４または第８の可能な実施例を参照すると、第３態様の第９の可能な実施例において、第１ＭＣＳテーブルのＭＣＳレベル指標ｆに対応する変調スキームは、第２ＭＣＳテーブルのＭＣＳレベル指標ｆ＋１に対応する変調スキームと同じであり、第１ＭＣＳテーブルのＭＣＳレベル指標ｈに対応する変調スキームは、第２ＭＣＳテーブルのＭＣＳレベル指標ｈ＋２に対応する変調スキームと同じであり、ここで、ｆは、０より大きく、またはそれと等しく、８より小さい、または等しい整数であり、ｈは、９より大きく、またはそれと等しく、２６より小さい、または等しい整数であり、または、第１ＭＣＳテーブルのＭＣＳレベル指標ｉに対応する変調スキームは、第２ＭＣＳテーブルのＭＣＳレベル指標ｉに対応する変調スキームと同じであり、第１ＭＣＳテーブルのＭＣＳレベル指標ｇに対応する変調スキームは、第２ＭＣＳテーブルのＭＣＳレベル指標ｇ＋１に対応する変調スキームと同じであり、第１ＭＣＳテーブルのＭＣＳレベル指標ｋに対応する変調スキームは、第２ＭＣＳテーブルのＭＣＳレベル指標ｋ＋２に対応する変調スキームと同じであり、ここで、ｉは、０より大きく、またはそれと等しく、９より小さい、またはそれと等しい整数であり、ｇは、１０より大きく、またはそれと等しく、１５より小さい、または等しい整数であり、ｋは、１６より大きく、またはそれと等しく、２６より小さい、または等しい整数であり、または、第１ＭＣＳテーブルのＭＣＳレベル指標ｍに対応する変調スキームは、第２ＭＣＳテーブルのＭＣＳレベル指標ｍ＋１に対応する変調スキームと同じであり、第１ＭＣＳテーブルのＭＣＳレベル指標ｎに対応する変調スキームは、第２ＭＣＳテーブルのＭＣＳレベル指標ｎ＋２に対応する変調スキームと同じであり、ここで、ｍは、０より大きく、またはそれと等しく、１５より小さい、または等しい整数であり、ｎは、１６より大きく、またはそれと等しく、２６より小さい、または等しい整数である。
【００４２】
第３態様の第８または第９の可能な実施例を参照すると、第３態様の第１０の可能な実施例において、第１ＭＣＳテーブルのＭＣＳレベル指標２７および２８に対応する変調スキームは２５６−ＱＡＭである。
【００４３】
第３態様の第３または第４の可能な実施例を参照すると、第３態様の第１１の可能な実施例において、第１ＭＣＳテーブルのＭＣＳレベル指標ｐに対応するＴＢＳは、第２ＭＣＳテーブルのＭＣＳレベル指標ｐ＋１に対応するＴＢＳと同じであり、第１ＭＣＳテーブルのＭＣＳレベル指標ｘに対応するＴＢＳは、第２ＭＣＳテーブルのＭＣＳレベル指標ｘ＋２に対応するＴＢＳと同じであり、第１ＭＣＳテーブルのＭＣＳレベル指標ｙに対応するＴＢＳは、第２ＭＣＳテーブルのＭＣＳレベル指標ｙ＋３に対応するＴＢＳと同じであり、ここで、ｐは、０より大きく、またはそれと等しく、８より小さい、または等しい整数であり、ｘは、９より大きく、またはそれと等しく、１４より小さい、または等しい整数であり、ｙは、１５より大きく、またはそれと等しく、２５より小さい、または等しい整数である。
【００４４】
第３態様の第３、第４または第１１の可能な実施例を参照すると、第３態様の第１２の可能な実施例において、第１ＭＣＳテーブルのＭＣＳレベル指標ｐに対応する変調スキームは、第２ＭＣＳテーブルのＭＣＳレベル指標ｐ＋１に対応する変調スキームと同じであり、第１ＭＣＳテーブルのＭＣＳレベル指標ｘに対応する変調スキームは、第２ＭＣＳテーブルのＭＣＳレベル指標ｘ＋２に対応する変調スキームと同じであり、第１ＭＣＳテーブルのＭＣＳレベル指標ｙに対応する変調スキームは、第２ＭＣＳテーブルのＭＣＳレベル指標ｙ＋３に対応する変調スキームと同じであり、ここで、ｐは、０より大きく、またはそれと等しく、８より小さい、または等しい整数であり、ｘは、９より大きく、またはそれと等しく、１４より小さい、または等しい整数であり、ｙは、１５より大きく、またはそれと等しく、２５より小さい、または等しい整数である。
【００４５】
第３態様の第１１または第１２の可能な実施例を参照すると、第３態様の第１３の可能な実施例において、第１ＭＣＳテーブルのＭＣＳレベル指標２６、２７および２８に対応する変調スキームは２５６−ＱＡＭである。
【００４６】
第４態様はユーザ機器を提供し、ユーザ機器は、少なくとも２つの変調符号化スキームＭＣＳテーブルから１つのＭＣＳテーブルを選択してＭＣＳを判断し、少なくとも２つのトランスポートブロックサイズＴＢＳテーブルから１つのＴＢＳテーブルを選択してＴＢＳを判断するよう構成された選択および判断ユニットであり、少なくとも２つのＭＣＳテーブルのうち少なくとも１つのＭＣＳテーブルは、２５６−ＱＡＭに対応するＭＣＳを含む、選択および判断ユニットと、判断されたＭＣＳと判断されたＴＢＳとに基づき、基地局により送信されたサービスデータを取得するよう構成された取得ユニットとを備える。
【００４７】
第４態様を参照すると、第４態様の第１の可能な実施例において、取得ユニットはさらに、基地局により送信されたインジケーション情報を受信するよう構成され、インジケーション情報は、選択された１つのＭＣＳテーブルおよび／または選択された１つのＴＢＳテーブルについての情報を示すのに用いられ、選択および判断ユニットは具体的には、インジケーション情報に従って、少なくとも２つのＭＣＳテーブルから１つのＭＣＳテーブルを選択してＭＣＳを判断し、少なくとも２つのトランスポートブロックサイズＴＢＳテーブルから１つのＴＢＳテーブルを選択してＴＢＳを判断するよう構成される。
【００４８】
第４態様、または第４態様の第１の可能な実施例を参照すると、第４態様の第２の可能な実施例において、少なくとも２つのＭＣＳテーブルは第１ＭＣＳテーブルおよび第２ＭＣＳテーブルを含み、少なくとも２つのＴＢＳテーブルは第１ＴＢＳテーブルおよび第２ＴＢＳテーブルを含み、第１ＭＣＳテーブルは第１ＴＢＳテーブルと協同し、第２ＭＣＳテーブルは第２ＴＢＳテーブルと協同し、第１ＭＣＳテーブルは２５６−ＱＡＭ変調スキームを含み、および／または、同じＭＣＳレベル指標および同じリソースブロックペアサイズに対応するとき、第１ＴＢＳテーブル内のＴＢＳは、第２ＴＢＳテーブル内のＴＢＳより小さくない。
【００４９】
第４態様の第２の可能な実施例を参照すると、第４態様の第３の可能な実施例において、第１ＭＣＳテーブルおよび第１ＴＢＳテーブルはＬＴＥリリース１２に対応し、第２ＭＣＳテーブルおよび第２ＴＢＳテーブルはＬＴＥリリース８から１１に対応する。
【００５０】
第４態様の第２または第３の可能な実施例を参照すると、第４態様の第４の可能な実施例において、第１ＭＣＳテーブルのＭＣＳレベル指標ａに対応するＴＢＳは、第２ＭＣＳテーブルのＭＣＳレベル指標ａ＋１に対応するＴＢＳと同じであり、ここで、ａは、０より大きく、またはそれと等しく、２７より小さい、またはそれと等しい整数であり、または、第１ＭＣＳテーブルのＭＣＳレベル指標ｂに対応するＴＢＳは、第２ＭＣＳテーブルのＭＣＳレベル指標ｂに対応するＴＢＳと同じであり、第１ＭＣＳテーブルのＭＣＳレベル指標ｃに対応するＴＢＳは、第２ＭＣＳテーブルのＭＣＳレベル指標ｃ＋１に対応するＴＢＳと同じであり、ここで、ｂは、０より大きく、またはそれと等しく、９より小さい、またはそれと等しい整数であり、ｃは、１０より大きく、またはそれと等しく、２７より小さい、またはそれと等しい整数であり、または、第１ＭＣＳテーブルのＭＣＳレベル指標ｄに対応するＴＢＳは、第２ＭＣＳテーブルのＭＣＳレベル指標ｄに対応するＴＢＳと同じであり、第１ＭＣＳテーブルのＭＣＳレベル指標ｅに対応するＴＢＳは、第２ＭＣＳテーブルのＭＣＳレベル指標ｅ＋１に対応するＴＢＳと同じであり、ここで、ｄは、０より大きく、またはそれと等しく、１６より小さい、またはそれと等しい整数であり、ｅは、１７より大きく、またはそれと等しく、２７より小さい、またはそれと等しい整数である。
【００５１】
第４態様の第２、第３または第４の可能な実施例を参照すると、第４態様の第５の可能な実施例において、第１ＭＣＳテーブルのＭＣＳレベル指標ａに対応する変調スキームは、第２ＭＣＳテーブルのＭＣＳレベル指標ａ＋１に対応する変調スキームと同じであり、ここで、ａは、０より大きく、またはそれと等しく、２７より小さい、またはそれと等しい整数であり、または、第１ＭＣＳテーブルのＭＣＳレベル指標ｂに対応する変調スキームは、第２ＭＣＳテーブルのＭＣＳレベル指標ｂに対応する変調スキームと同じであり、第１ＭＣＳテーブルのＭＣＳレベル指標ｃに対応する変調スキームは、第２ＭＣＳテーブルのＭＣＳレベル指標ｃ＋１に対応する変調スキームと同じであり、ここで、ｂは、０より大きく、またはそれと等しく、９より小さい、またはそれと等しい整数であり、ｃは、１０より大きく、またはそれと等しく、２７より小さい、またはそれと等しい整数であり、または、第１ＭＣＳテーブルのＭＣＳレベル指標ｄに対応する変調スキームは、第２ＭＣＳテーブルのＭＣＳレベル指標ｄに対応する変調スキームと同じであり、第１ＭＣＳテーブルのＭＣＳレベル指標ｅに対応する変調スキームは、第２ＭＣＳテーブルのＭＣＳレベル指標ｅ＋１に対応する変調スキームと同じであり、ここで、ｄは、０より大きく、またはそれと等しく、１６より小さい、またはそれと等しい整数であり、ｅは、１７より大きく、またはそれと等しく、２７より小さい、またはそれと等しい整数である。
【００５２】
第４態様の第４または第５の可能な実施例を参照すると、第４態様の第６の可能な実施例において、第１ＭＣＳテーブルのＭＣＳレベル指標２８に対応する変調スキームは２５６−ＱＡＭである。
【００５３】
第４態様の第２または第３の可能な実施例を参照すると、第４態様の第７の可能な実施例において、第１ＭＣＳテーブルのＭＣＳレベル指標ｆに対応するＴＢＳは、第２ＭＣＳテーブルのＭＣＳレベル指標ｆ＋１に対応するＴＢＳと同じであり、第１ＭＣＳテーブルのＭＣＳレベル指標ｈに対応するＴＢＳは、第２ＭＣＳテーブルのＭＣＳレベル指標ｈ＋２に対応するＴＢＳと同じであり、ここで、ｆは、０より大きく、またはそれと等しく、８より小さい、または等しい整数であり、ｈは、９より大きく、またはそれと等しく、２６より小さい、または等しい整数であり、または、第１ＭＣＳテーブルのＭＣＳレベル指標ｉに対応するＴＢＳは、第２ＭＣＳテーブルのＭＣＳレベル指標ｉに対応するＴＢＳと同じであり、第１ＭＣＳテーブルのＭＣＳレベル指標ｇに対応するＴＢＳは、第２ＭＣＳテーブルのＭＣＳレベル指標ｇ＋１に対応するＴＢＳと同じであり、第１ＭＣＳテーブルのＭＣＳレベル指標ｋに対応するＴＢＳは、第２ＭＣＳテーブルのＭＣＳレベル指標ｋ＋２に対応するＴＢＳと同じであり、ここで、ｉは、０より大きく、またはそれと等しく、９より小さい、またはそれと等しい整数であり、ｇは、１０より大きく、またはそれと等しく、１５より小さい、または等しい整数であり、ｋは、１６より大きく、またはそれと等しく、２６より小さい、または等しい整数であり、または、第１ＭＣＳテーブルのＭＣＳレベル指標ｍに対応するＴＢＳは、第２ＭＣＳテーブルのＭＣＳレベル指標ｍ＋１に対応するＴＢＳと同じであり、第１ＭＣＳテーブルのＭＣＳレベル指標ｎに対応するＴＢＳは、第２ＭＣＳテーブルのＭＣＳレベル指標ｎ＋２に対応するＴＢＳと同じであり、ここで、ｍは、０より大きく、またはそれと等しく、１５より小さい、または等しい整数であり、ｎは、１６より大きく、またはそれと等しく、２６より小さい、または等しい整数である。
【００５４】
第４態様の第２、第３または第７の可能な実施例を参照すると、第４態様の第８の可能な実施例において、第１ＭＣＳテーブルのＭＣＳレベル指標ｆに対応する変調スキームは、第２ＭＣＳテーブルのＭＣＳレベル指標ｆ＋１に対応する変調スキームと同じであり、第１ＭＣＳテーブルのＭＣＳレベル指標ｈに対応する変調スキームは、第２ＭＣＳテーブルのＭＣＳレベル指標ｈ＋２に対応する変調スキームと同じであり、ここで、ｆは、０より大きく、またはそれと等しく、８より小さい、または等しい整数であり、ｈは、９より大きく、またはそれと等しく、２６より小さい、または等しい整数であり、または、第１ＭＣＳテーブルのＭＣＳレベル指標ｉに対応する変調スキームは、第２ＭＣＳテーブルのＭＣＳレベル指標ｉに対応する変調スキームと同じであり、第１ＭＣＳテーブルのＭＣＳレベル指標ｇに対応する変調スキームは、第２ＭＣＳテーブルのＭＣＳレベル指標ｇ＋１に対応する変調スキームと同じであり、第１ＭＣＳテーブルのＭＣＳレベル指標ｋに対応する変調スキームは、第２ＭＣＳテーブルのＭＣＳレベル指標ｋ＋２に対応する変調スキームと同じであり、ここで、ｉは、０より大きく、またはそれと等しく、９より小さい、またはそれと等しい整数であり、ｇは、１０より大きく、またはそれと等しく、１５より小さい、または等しい整数であり、ｋは、１６より大きく、またはそれと等しく、２６より小さい、または等しい整数であり、または、第１ＭＣＳテーブルのＭＣＳレベル指標ｍに対応する変調スキームは、第２ＭＣＳテーブルのＭＣＳレベル指標ｍ＋１に対応する変調スキームと同じであり、第１ＭＣＳテーブルのＭＣＳレベル指標ｎに対応する変調スキームは、第２ＭＣＳテーブルのＭＣＳレベル指標ｎ＋２に対応する変調スキームと同じであり、ここで、ｍは、０より大きく、またはそれと等しく、１５より小さい、または等しい整数であり、ｎは、１６より大きく、またはそれと等しく、２６より小さい、または等しい整数である。
【００５５】
第４態様の第７または第８の可能な実施例を参照すると、第４態様の第９の可能な実施例において、第１ＭＣＳテーブルのＭＣＳレベル指標２７および２８に対応する変調スキームは２５６−ＱＡＭである。
【００５６】
第４態様の第２または第３の可能な実施例を参照すると、第４態様の第１０の可能な実施例において、第１ＭＣＳテーブルのＭＣＳレベル指標ｐに対応するＴＢＳは、第２ＭＣＳテーブルのＭＣＳレベル指標ｐ＋１に対応するＴＢＳと同じであり、第１ＭＣＳテーブルのＭＣＳレベル指標ｘに対応するＴＢＳは、第２ＭＣＳテーブルのＭＣＳレベル指標ｘ＋２に対応するＴＢＳと同じであり、第１ＭＣＳテーブルのＭＣＳレベル指標ｙに対応するＴＢＳは、第２ＭＣＳテーブルのＭＣＳレベル指標ｙ＋３に対応するＴＢＳと同じであり、ここで、ｐは、０より大きく、またはそれと等しく、８より小さい、または等しい整数であり、ｘは、９より大きく、またはそれと等しく、１４より小さい、または等しい整数であり、ｙは、１５より大きく、またはそれと等しく、２５より小さい、または等しい整数である。
【００５７】
第４態様の第２、第３または第１０の可能な実施例を参照すると、第４態様の第１１の可能な実施例において、第１ＭＣＳテーブルのＭＣＳレベル指標ｐに対応する変調スキームは、第２ＭＣＳテーブルのＭＣＳレベル指標ｐ＋１に対応する変調スキームと同じであり、第１ＭＣＳテーブルのＭＣＳレベル指標ｘに対応する変調スキームは、第２ＭＣＳテーブルのＭＣＳレベル指標ｘ＋２に対応する変調スキームと同じであり、第１ＭＣＳテーブルのＭＣＳレベル指標ｙに対応する変調スキームは、第２ＭＣＳテーブルのＭＣＳレベル指標ｙ＋３に対応する変調スキームと同じであり、ここで、ｐは、０より大きく、またはそれと等しく、８より小さい、または等しい整数であり、ｘは、９より大きく、またはそれと等しく、１４より小さい、または等しい整数であり、ｙは、１５より大きく、またはそれと等しく、２５より小さい、または等しい整数である。
【００５８】
第４態様の第１０または第１１の可能な実施例を参照すると、第４態様の第１２の可能な実施例において、第１ＭＣＳテーブルのＭＣＳレベル指標２６、２７および２８に対応する変調スキームは２５６−ＱＡＭである。
【００５９】
第５の態様は基地局を提供し、基地局は、プロセッサと、メモリとを備え、メモリは、プログラムコードと、少なくとも２つの変調符号化スキームＭＣＳテーブルと、少なくとも２つのトランスポートブロックサイズＴＢＳテーブルとを格納し、プロセッサは、メモリ内のプログラムコードを呼び出して、少なくとも２つの変調符号化スキームＭＣＳテーブルから１つのＭＣＳテーブルを選択してＭＣＳを判断し、少なくとも２つのＴＢＳテーブルから１つのＴＢＳテーブルを選択してＴＢＳを判断する処理であり、少なくとも２つのＭＣＳテーブルのうち少なくとも１つのＭＣＳテーブルは、２５６直交振幅変調ＱＡＭに対応するＭＣＳを含む処理と、判断されたＭＣＳと判断されたＴＢＳとに基づき、サービスデータをユーザ機器へ送信する処理とを実行するよう構成されている。
【００６０】
第５の態様を参照すると、第５の態様の第１の可能な実施例において、プロセッサは、メモリ内のプログラムコードを呼び出して、具体的には、ユーザ機器が配置されているロングタームエボリューションＬＴＥシステムのリリースを判断する処理と、ユーザ機器が配置されているＬＴＥシステムのリリースに従って、少なくとも２つのＭＣＳテーブルから１つのＭＣＳテーブルを選択し、少なくとも２つのＴＢＳテーブルから１つのＴＢＳテーブルを選択する処理とを実行するよう構成されている。
【００６１】
第５の態様、または第５の態様の第１の可能な実施例を参照すると、第５の態様の第２の可能な実施例において、プロセッサは、メモリ内のプログラムコードを呼び出して、インジケーション情報をユーザ機器に送信する処理をさらに実行するよう構成され、インジケーション情報は、選択された１つのＭＣＳテーブルおよび／または選択された１つのＴＢＳテーブルについての情報を示すのに用いられる。
【００６２】
第５の態様、または第５の態様の第１または第２の可能な実施例を参照すると、第５の態様の第３の可能な実施例において、少なくとも２つのＭＣＳテーブルは第１ＭＣＳテーブルおよび第２ＭＣＳテーブルを含み、少なくとも２つのＴＢＳテーブルは第１ＴＢＳテーブルおよび第２ＴＢＳテーブルを含み、第１ＭＣＳテーブルは第１ＴＢＳテーブルと協同し、第２ＭＣＳテーブルは第２ＴＢＳテーブルと協同し、第１ＭＣＳテーブルは２５６−ＱＡＭ変調スキームを含み、および／または、同じＭＣＳレベル指標および同じリソースブロックペアサイズに対応するとき、第１ＴＢＳテーブル内のＴＢＳは、第２ＴＢＳテーブル内のＴＢＳより小さくない。
【００６３】
第５の態様の第３の可能な実施例を参照すると、第５の態様の第４の可能な実施例において、第１ＭＣＳテーブルおよび第１ＴＢＳテーブルはＬＴＥリリース１２に対応し、第２ＭＣＳテーブルおよび第２ＴＢＳテーブルはＬＴＥリリース８から１１に対応する。
【００６４】
第５の態様の第３または第４の可能な実施例を参照すると、第５の態様の第５の可能な実施例において、第１ＭＣＳテーブルのＭＣＳレベル指標ａに対応するＴＢＳは、第２ＭＣＳテーブルのＭＣＳレベル指標ａ＋１に対応するＴＢＳと同じであり、ここで、ａは、０より大きく、またはそれと等しく、２７より小さい、またはそれと等しい整数であり、または、第１ＭＣＳテーブルのＭＣＳレベル指標ｂに対応するＴＢＳは、第２ＭＣＳテーブルのＭＣＳレベル指標ｂに対応するＴＢＳと同じであり、第１ＭＣＳテーブルのＭＣＳレベル指標ｃに対応するＴＢＳは、第２ＭＣＳテーブルのＭＣＳレベル指標ｃ＋１に対応するＴＢＳと同じであり、ここで、ｂは、０より大きく、またはそれと等しく、９より小さい、またはそれと等しい整数であり、ｃは、１０より大きく、またはそれと等しく、２７より小さい、またはそれと等しい整数であり、または、第１ＭＣＳテーブルのＭＣＳレベル指標ｄに対応するＴＢＳは、第２ＭＣＳテーブルのＭＣＳレベル指標ｄに対応するＴＢＳと同じであり、第１ＭＣＳテーブルのＭＣＳレベル指標ｅに対応するＴＢＳは、第２ＭＣＳテーブルのＭＣＳレベル指標ｅ＋１に対応するＴＢＳと同じであり、ここで、ｄは、０より大きく、またはそれと等しく、１６より小さい、またはそれと等しい整数であり、ｅは、１７より大きく、またはそれと等しく、２７より小さい、またはそれと等しい整数である。
【００６５】
第５の態様の第３、第４または第５の可能な実施例を参照すると、第５の態様の第６の可能な実施例において、第１ＭＣＳテーブルのＭＣＳレベル指標ａに対応する変調スキームは、第２ＭＣＳテーブルのＭＣＳレベル指標ａ＋１に対応する変調スキームと同じであり、ここで、ａは、０より大きく、またはそれと等しく、２７より小さい、またはそれと等しい整数であり、または、第１ＭＣＳテーブルのＭＣＳレベル指標ｂに対応する変調スキームは、第２ＭＣＳテーブルのＭＣＳレベル指標ｂに対応する変調スキームと同じであり、第１ＭＣＳテーブルのＭＣＳレベル指標ｃに対応する変調スキームは、第２ＭＣＳテーブルのＭＣＳレベル指標ｃ＋１に対応する変調スキームと同じであり、ここで、ｂは、０より大きく、またはそれと等しく、９より小さい、またはそれと等しい整数であり、ｃは、１０より大きく、またはそれと等しく、２７より小さい、またはそれと等しい整数であり、または、第１ＭＣＳテーブルのＭＣＳレベル指標ｄに対応する変調スキームは、第２ＭＣＳテーブルのＭＣＳレベル指標ｄに対応する変調スキームと同じであり、第１ＭＣＳテーブルのＭＣＳレベル指標ｅに対応する変調スキームは、第２ＭＣＳテーブルのＭＣＳレベル指標ｅ＋１に対応する変調スキームと同じであり、ここで、ｄは、０より大きく、またはそれと等しく、１６より小さい、またはそれと等しい整数であり、ｅは、１７より大きく、またはそれと等しく、２７より小さい、またはそれと等しい整数である。
【００６６】
第５の態様の第５または第６の可能な実施例を参照すると、第５の態様の第７の可能な実施例において、第１ＭＣＳテーブルのＭＣＳレベル指標２８に対応する変調スキームは２５６−ＱＡＭである。
【００６７】
第５の態様の第３または第４の可能な実施例を参照すると、第５の態様の第８の可能な実施例において、第１ＭＣＳテーブルのＭＣＳレベル指標ｆに対応するＴＢＳは、第２ＭＣＳテーブルのＭＣＳレベル指標ｆ＋１に対応するＴＢＳと同じであり、第１ＭＣＳテーブルのＭＣＳレベル指標ｈに対応するＴＢＳは、第２ＭＣＳテーブルのＭＣＳレベル指標ｈ＋２に対応するＴＢＳと同じであり、ここで、ｆは、０より大きく、またはそれと等しく、８より小さい、または等しい整数であり、ｈは、９より大きく、またはそれと等しく、２６より小さい、または等しい整数であり、または、第１ＭＣＳテーブルのＭＣＳレベル指標ｉに対応するＴＢＳは、第２ＭＣＳテーブルのＭＣＳレベル指標ｉに対応するＴＢＳと同じであり、第１ＭＣＳテーブルのＭＣＳレベル指標ｇに対応するＴＢＳは、第２ＭＣＳテーブルのＭＣＳレベル指標ｇ＋１に対応するＴＢＳと同じであり、第１ＭＣＳテーブルのＭＣＳレベル指標ｋに対応するＴＢＳは、第２ＭＣＳテーブルのＭＣＳレベル指標ｋ＋２に対応するＴＢＳと同じであり、ここで、ｉは、０より大きく、またはそれと等しく、９より小さい、またはそれと等しい整数であり、ｇは、１０より大きく、またはそれと等しく、１５より小さい、または等しい整数であり、ｋは、１６より大きく、またはそれと等しく、２６より小さい、または等しい整数であり、または、第１ＭＣＳテーブルのＭＣＳレベル指標ｍに対応するＴＢＳは、第２ＭＣＳテーブルのＭＣＳレベル指標ｍ＋１に対応するＴＢＳと同じであり、第１ＭＣＳテーブルのＭＣＳレベル指標ｎに対応するＴＢＳは、第２ＭＣＳテーブルのＭＣＳレベル指標ｎ＋２に対応するＴＢＳと同じであり、ここで、ｍは、０より大きく、またはそれと等しく、１５より小さい、または等しい整数であり、ｎは、１６より大きく、またはそれと等しく、２６より小さい、または等しい整数である。
【００６８】
第５の態様の第３、第４または第８の可能な実施例を参照すると、第５の態様の第９の可能な実施例において、第１ＭＣＳテーブルのＭＣＳレベル指標ｆに対応する変調スキームは、第２ＭＣＳテーブルのＭＣＳレベル指標ｆ＋１に対応する変調スキームと同じであり、第１ＭＣＳテーブルのＭＣＳレベル指標ｈに対応する変調スキームは、第２ＭＣＳテーブルのＭＣＳレベル指標ｈ＋２に対応する変調スキームと同じであり、ここで、ｆは、０より大きく、またはそれと等しく、８より小さい、または等しい整数であり、ｈは、９より大きく、またはそれと等しく、２６より小さい、または等しい整数であり、または、第１ＭＣＳテーブルのＭＣＳレベル指標ｉに対応する変調スキームは、第２ＭＣＳテーブルのＭＣＳレベル指標ｉに対応する変調スキームと同じであり、第１ＭＣＳテーブルのＭＣＳレベル指標ｇに対応する変調スキームは、第２ＭＣＳテーブルのＭＣＳレベル指標ｇ＋１に対応する変調スキームと同じであり、第１ＭＣＳテーブルのＭＣＳレベル指標ｋに対応する変調スキームは、第２ＭＣＳテーブルのＭＣＳレベル指標ｋ＋２に対応する変調スキームと同じであり、ここで、ｉは、０より大きく、またはそれと等しく、９より小さい、またはそれと等しい整数であり、ｇは、１０より大きく、またはそれと等しく、１５より小さい、または等しい整数であり、ｋは、１６より大きく、またはそれと等しく、２６より小さい、または等しい整数であり、または、第１ＭＣＳテーブルのＭＣＳレベル指標ｍに対応する変調スキームは、第２ＭＣＳテーブルのＭＣＳレベル指標ｍ＋１に対応する変調スキームと同じであり、第１ＭＣＳテーブルのＭＣＳレベル指標ｎに対応する変調スキームは、第２ＭＣＳテーブルのＭＣＳレベル指標ｎ＋２に対応する変調スキームと同じであり、ここで、ｍは、０より大きく、またはそれと等しく、１５より小さい、または等しい整数であり、ｎは、１６より大きく、またはそれと等しく、２６より小さい、または等しい整数である。
【００６９】
第５の態様の第８または第９の可能な実施例を参照すると、第５の態様の第１０の可能な実施例において、第１ＭＣＳテーブルのＭＣＳレベル指標２７および２８に対応する変調スキームは２５６−ＱＡＭである。
【００７０】
第５の態様の第３または第４の可能な実施例を参照すると、第５の態様の第１１の可能な実施例において、第１ＭＣＳテーブルのＭＣＳレベル指標ｐに対応するＴＢＳは、第２ＭＣＳテーブルのＭＣＳレベル指標ｐ＋１に対応するＴＢＳと同じであり、第１ＭＣＳテーブルのＭＣＳレベル指標ｘに対応するＴＢＳは、第２ＭＣＳテーブルのＭＣＳレベル指標ｘ＋２に対応するＴＢＳと同じであり、第１ＭＣＳテーブルのＭＣＳレベル指標ｙに対応するＴＢＳは、第２ＭＣＳテーブルのＭＣＳレベル指標ｙ＋３に対応するＴＢＳと同じであり、ここで、ｐは、０より大きく、またはそれと等しく、８より小さい、または等しい整数であり、ｘは、９より大きく、またはそれと等しく、１４より小さい、または等しい整数であり、ｙは、１５より大きく、またはそれと等しく、２５より小さい、または等しい整数である。
【００７１】
第５の態様の第３、第４または第１１の可能な実施例を参照すると、第５の態様の第１２の可能な実施例において、第１ＭＣＳテーブルのＭＣＳレベル指標ｐに対応する変調スキームは、第２ＭＣＳテーブルのＭＣＳレベル指標ｐ＋１に対応する変調スキームと同じであり、第１ＭＣＳテーブルのＭＣＳレベル指標ｘに対応する変調スキームは、第２ＭＣＳテーブルのＭＣＳレベル指標ｘ＋２に対応する変調スキームと同じであり、第１ＭＣＳテーブルのＭＣＳレベル指標ｙに対応する変調スキームは、第２ＭＣＳテーブルのＭＣＳレベル指標ｙ＋３に対応する変調スキームと同じであり、ここで、ｐは、０より大きく、またはそれと等しく、８より小さい、または等しい整数であり、ｘは、９より大きく、またはそれと等しく、１４より小さい、または等しい整数であり、ｙは、１５より大きく、またはそれと等しく、２５より小さい、または等しい整数である。
【００７２】
第５の態様の第１１または第１２の可能な実施例を参照すると、第５の態様の第１３の可能な実施例において、第１ＭＣＳテーブルのＭＣＳレベル指標２６、２７および２８に対応する変調スキームは２５６−ＱＡＭである。
【００７３】
第６態様はユーザ機器を提供し、ユーザ機器は、プロセッサと、メモリとを備え、メモリは、プログラムコードと、少なくとも２つの変調符号化スキームＭＣＳテーブルと、少なくとも２つのトランスポートブロックサイズＴＢＳテーブルとを格納し、プロセッサは、メモリ内のプログラムコードを呼び出して、少なくとも２つの変調符号化スキームＭＣＳテーブルから１つのＭＣＳテーブルを選択してＭＣＳを判断し、少なくとも２つのトランスポートブロックサイズＴＢＳテーブルから１つのＴＢＳテーブルを選択してＴＢＳを判断する処理であり、少なくとも２つのＭＣＳテーブルのうち少なくとも１つのＭＣＳテーブルは、２５６−ＱＡＭに対応するＭＣＳを含む処理と、判断されたＭＣＳと判断されたＴＢＳとに基づき、基地局により送信されたサービスデータを取得する処理とを実行するよう構成されている。
【００７４】
第６態様を参照すると、第６態様の第１の可能な実施例において、プロセッサはメモリ内のプログラムコードを呼び出して、具体的には、基地局により送信されたインジケーション情報を受信する処理であり、インジケーション情報は、選択された１つのＭＣＳテーブルおよび／または選択された１つのＴＢＳテーブルについての情報を示すのに用いられる処理と、インジケーション情報に従って、少なくとも２つのＭＣＳテーブルから１つのＭＣＳテーブルを選択してＭＣＳを判断し、少なくとも２つのトランスポートブロックサイズＴＢＳテーブルから１つのＴＢＳテーブルを選択してＴＢＳを判断する処理とを実行するよう構成されている。
【００７５】
第６態様、または第６態様の第１の可能な実施例を参照すると、第６態様の第２の可能な実施例において、少なくとも２つのＭＣＳテーブルは第１ＭＣＳテーブルおよび第２ＭＣＳテーブルを含み、少なくとも２つのＴＢＳテーブルは第１ＴＢＳテーブルおよび第２ＴＢＳテーブルを含み、第１ＭＣＳテーブルは第１ＴＢＳテーブルと協同し、第２ＭＣＳテーブルは第２ＴＢＳテーブルと協同し、第１ＭＣＳテーブルは２５６−ＱＡＭ変調スキームを含み、および／または、同じＭＣＳレベル指標および同じリソースブロックペアサイズに対応するとき、第１ＴＢＳテーブル内のＴＢＳは、第２ＴＢＳテーブル内のＴＢＳより小さくない。
【００７６】
第６態様の第２の可能な実施例を参照すると、第６態様の第３の可能な実施例において、第１ＭＣＳテーブルおよび第１ＴＢＳテーブルはＬＴＥリリース１２に対応し、第２ＭＣＳテーブルおよび第２ＴＢＳテーブルはＬＴＥリリース８から１１に対応する。
【００７７】
第６態様の第２または第３の可能な実施例を参照すると、第６態様の第４の可能な実施例において、第１ＭＣＳテーブルのＭＣＳレベル指標ａに対応するＴＢＳは、第２ＭＣＳテーブルのＭＣＳレベル指標ａ＋１に対応するＴＢＳと同じであり、ここで、ａは、０より大きく、またはそれと等しく、２７より小さい、またはそれと等しい整数であり、または、第１ＭＣＳテーブルのＭＣＳレベル指標ｂに対応するＴＢＳは、第２ＭＣＳテーブルのＭＣＳレベル指標ｂに対応するＴＢＳと同じであり、第１ＭＣＳテーブルのＭＣＳレベル指標ｃに対応するＴＢＳは、第２ＭＣＳテーブルのＭＣＳレベル指標ｃ＋１に対応するＴＢＳと同じであり、ここで、ｂは、０より大きく、またはそれと等しく、９より小さい、またはそれと等しい整数であり、ｃは、１０より大きく、またはそれと等しく、２７より小さい、またはそれと等しい整数であり、または、第１ＭＣＳテーブルのＭＣＳレベル指標ｄに対応するＴＢＳは、第２ＭＣＳテーブルのＭＣＳレベル指標ｄに対応するＴＢＳと同じであり、第１ＭＣＳテーブルのＭＣＳレベル指標ｅに対応するＴＢＳは、第２ＭＣＳテーブルのＭＣＳレベル指標ｅ＋１に対応するＴＢＳと同じであり、ここで、ｄは、０より大きく、またはそれと等しく、１６より小さい、またはそれと等しい整数であり、ｅは、１７より大きく、またはそれと等しく、２７より小さい、またはそれと等しい整数である。
【００７８】
第６態様の第２、第３または第４の可能な実施例を参照すると、第６態様の第５の可能な実施例において、第１ＭＣＳテーブルのＭＣＳレベル指標ａに対応する変調スキームは、第２ＭＣＳテーブルのＭＣＳレベル指標ａ＋１に対応する変調スキームと同じであり、ここで、ａは、０より大きく、またはそれと等しく、２７より小さい、またはそれと等しい整数であり、または、第１ＭＣＳテーブルのＭＣＳレベル指標ｂに対応する変調スキームは、第２ＭＣＳテーブルのＭＣＳレベル指標ｂに対応する変調スキームと同じであり、第１ＭＣＳテーブルのＭＣＳレベル指標ｃに対応する変調スキームは、第２ＭＣＳテーブルのＭＣＳレベル指標ｃ＋１に対応する変調スキームと同じであり、ここで、ｂは、０より大きく、またはそれと等しく、９より小さい、またはそれと等しい整数であり、ｃは、１０より大きく、またはそれと等しく、２７より小さい、またはそれと等しい整数であり、または、第１ＭＣＳテーブルのＭＣＳレベル指標ｄに対応する変調スキームは、第２ＭＣＳテーブルのＭＣＳレベル指標ｄに対応する変調スキームと同じであり、第１ＭＣＳテーブルのＭＣＳレベル指標ｅに対応する変調スキームは、第２ＭＣＳテーブルのＭＣＳレベル指標ｅ＋１に対応する変調スキームと同じであり、ここで、ｄは、０より大きく、またはそれと等しく、１６より小さい、またはそれと等しい整数であり、ｅは、１７より大きく、またはそれと等しく、２７より小さい、またはそれと等しい整数である。
【００７９】
第６態様の第４または第５の可能な実施例を参照すると、第６態様の第６の可能な実施例において、第１ＭＣＳテーブルのＭＣＳレベル指標２８に対応する変調スキームは２５６−ＱＡＭである。
【００８０】
第６態様の第２または第３の可能な実施例を参照すると、第６態様の第７の可能な実施例において、第１ＭＣＳテーブルのＭＣＳレベル指標ｆに対応するＴＢＳは、第２ＭＣＳテーブルのＭＣＳレベル指標ｆ＋１に対応するＴＢＳと同じであり、第１ＭＣＳテーブルのＭＣＳレベル指標ｈに対応するＴＢＳは、第２ＭＣＳテーブルのＭＣＳレベル指標ｈ＋２に対応するＴＢＳと同じであり、ここで、ｆは、０より大きく、またはそれと等しく、８より小さい、または等しい整数であり、ｈは、９より大きく、またはそれと等しく、２６より小さい、または等しい整数であり、または、第１ＭＣＳテーブルのＭＣＳレベル指標ｉに対応するＴＢＳは、第２ＭＣＳテーブルのＭＣＳレベル指標ｉに対応するＴＢＳと同じであり、第１ＭＣＳテーブルのＭＣＳレベル指標ｇに対応するＴＢＳは、第２ＭＣＳテーブルのＭＣＳレベル指標ｇ＋１に対応するＴＢＳと同じであり、第１ＭＣＳテーブルのＭＣＳレベル指標ｋに対応するＴＢＳは、第２ＭＣＳテーブルのＭＣＳレベル指標ｋ＋２に対応するＴＢＳと同じであり、ここで、ｉは、０より大きく、またはそれと等しく、９より小さい、またはそれと等しい整数であり、ｇは、１０より大きく、またはそれと等しく、１５より小さい、または等しい整数であり、ｋは、１６より大きく、またはそれと等しく、２６より小さい、または等しい整数であり、または、第１ＭＣＳテーブルのＭＣＳレベル指標ｍに対応するＴＢＳは、第２ＭＣＳテーブルのＭＣＳレベル指標ｍ＋１に対応するＴＢＳと同じであり、第１ＭＣＳテーブルのＭＣＳレベル指標ｎに対応するＴＢＳは、第２ＭＣＳテーブルのＭＣＳレベル指標ｎ＋２に対応するＴＢＳと同じであり、ここで、ｍは、０より大きく、またはそれと等しく、１５より小さい、または等しい整数であり、ｎは、１６より大きく、またはそれと等しく、２６より小さい、または等しい整数である。
【００８１】
第６態様の第２、第３または第７の可能な実施例を参照すると、第６態様の第８の可能な実施例において、第１ＭＣＳテーブルのＭＣＳレベル指標ｆに対応する変調スキームは、第２ＭＣＳテーブルのＭＣＳレベル指標ｆ＋１に対応する変調スキームと同じであり、第１ＭＣＳテーブルのＭＣＳレベル指標ｈに対応する変調スキームは、第２ＭＣＳテーブルのＭＣＳレベル指標ｈ＋２に対応する変調スキームと同じであり、ここで、ｆは、０より大きく、またはそれと等しく、８より小さい、または等しい整数であり、ｈは、９より大きく、またはそれと等しく、２６より小さい、または等しい整数であり、または、第１ＭＣＳテーブルのＭＣＳレベル指標ｉに対応する変調スキームは、第２ＭＣＳテーブルのＭＣＳレベル指標ｉに対応する変調スキームと同じであり、第１ＭＣＳテーブルのＭＣＳレベル指標ｇに対応する変調スキームは、第２ＭＣＳテーブルのＭＣＳレベル指標ｇ＋１に対応する変調スキームと同じであり、第１ＭＣＳテーブルのＭＣＳレベル指標ｋに対応する変調スキームは、第２ＭＣＳテーブルのＭＣＳレベル指標ｋ＋２に対応する変調スキームと同じであり、ここで、ｉは、０より大きく、またはそれと等しく、９より小さい、またはそれと等しい整数であり、ｇは、１０より大きく、またはそれと等しく、１５より小さい、または等しい整数であり、ｋは、１６より大きく、またはそれと等しく、２６より小さい、または等しい整数であり、または、第１ＭＣＳテーブルのＭＣＳレベル指標ｍに対応する変調スキームは、第２ＭＣＳテーブルのＭＣＳレベル指標ｍ＋１に対応する変調スキームと同じであり、第１ＭＣＳテーブルのＭＣＳレベル指標ｎに対応する変調スキームは、第２ＭＣＳテーブルのＭＣＳレベル指標ｎ＋２に対応する変調スキームと同じであり、ここで、ｍは、０より大きく、またはそれと等しく、１５より小さい、または等しい整数であり、ｎは、１６より大きく、またはそれと等しく、２６より小さい、または等しい整数である。
【００８２】
第６態様の第７または第８の可能な実施例を参照すると、第６態様の第９の可能な実施例において、第１ＭＣＳテーブルのＭＣＳレベル指標２７および２８に対応する変調スキームは２５６−ＱＡＭである。
【００８３】
第６態様の第２または第３の可能な実施例を参照すると、第６態様の第１０の可能な実施例において、第１ＭＣＳテーブルのＭＣＳレベル指標ｐに対応するＴＢＳは、第２ＭＣＳテーブルのＭＣＳレベル指標ｐ＋１に対応するＴＢＳと同じであり、第１ＭＣＳテーブルのＭＣＳレベル指標ｘに対応するＴＢＳは、第２ＭＣＳテーブルのＭＣＳレベル指標ｘ＋２に対応するＴＢＳと同じであり、第１ＭＣＳテーブルのＭＣＳレベル指標ｙに対応するＴＢＳは、第２ＭＣＳテーブルのＭＣＳレベル指標ｙ＋３に対応するＴＢＳと同じであり、ここで、ｐは、０より大きく、またはそれと等しく、８より小さい、または等しい整数であり、ｘは、９より大きく、またはそれと等しく、１４より小さい、または等しい整数であり、ｙは、１５より大きく、またはそれと等しく、２５より小さい、または等しい整数である。
【００８４】
第６態様の第２、第３または第１０の可能な実施例を参照すると、第６態様の第１１の可能な実施例において、第１ＭＣＳテーブルのＭＣＳレベル指標ｐに対応する変調スキームは、第２ＭＣＳテーブルのＭＣＳレベル指標ｐ＋１に対応する変調スキームと同じであり、第１ＭＣＳテーブルのＭＣＳレベル指標ｘに対応する変調スキームは、第２ＭＣＳテーブルのＭＣＳレベル指標ｘ＋２に対応する変調スキームと同じであり、第１ＭＣＳテーブルのＭＣＳレベル指標ｙに対応する変調スキームは、第２ＭＣＳテーブルのＭＣＳレベル指標ｙ＋３に対応する変調スキームと同じであり、ここで、ｐは、０より大きく、またはそれと等しく、８より小さい、または等しい整数であり、ｘは、９より大きく、またはそれと等しく、１４より小さい、または等しい整数であり、ｙは、１５より大きく、またはそれと等しく、２５より小さい、または等しい整数である。
【００８５】
第６態様の第１０または第１１の可能な実施例を参照すると、第６態様の第１２の可能な実施例において、第１ＭＣＳテーブルのＭＣＳレベル指標２６、２７および２８に対応する変調スキームは２５６−ＱＡＭである。
【００８６】
ゆえに、本願発明の複数の実施形態において、基地局は、少なくとも２つのＭＣＳテーブルから１つのＭＣＳテーブルを選択してＭＣＳを判断し、少なくとも２つのＴＢＳテーブルから１つのＴＢＳテーブルを選択してＴＢＳを判断する。比較的多くの選択機会があり、異なるユーザ機器属性に特定的な、特定的に対応している複数のＭＣＳテーブルおよび複数のＴＢＳテーブルが選択され得るので、システムの周波数スペクトル効率は比較的高くなり得、システムスループットは比較的高い。少なくとも２つのＭＣＳテーブルに存在している少なくとも１つのＭＣＳテーブルは２５６−ＱＡＭに対応するＭＣＳを含み、ゆえに、ユーザ機器のサービスデータのために比較的高い変調スキームを用いる必要があるとき、基地局は、２５６−ＱＡＭに対応するＭＣＳを含むＭＣＳテーブルを選択してＭＣＳを判断し得る。これにより、システムの周波数スペクトル効率をさらに改善し得、システムスループットをさらに改善し得る。
【図面の簡単な説明】
【００８７】
本願発明の複数の実施形態における技術的解決法をより明確に説明するべく、下記に、実施形態または従来技術を説明するために必要となる添付の図面を簡単に紹介する。明らかに、下記の説明における添付の図面は、本願発明のいくつかの実施形態を単に示し、当業者は、創造努力なしでこれら添付の図面から他の図面をさらに導き出し得る。
【００８８】
【図１】本願発明の実施形態に係るデータ送信方法の概略フローチャートである。
【００８９】
【図２】本願発明の他の実施形態に係るデータ送信方法の概略フローチャートである。
【００９０】
【図３】本願発明の他の実施形態に係る基地局の概略ブロック図である。
【００９１】
【図４】本願発明の他の実施形態に係る基地局の概略ブロック図である。
【００９２】
【図５】本願発明の他の実施形態に係るユーザ機器の概略ブロック図である。
【００９３】
【図６】本願発明の他の実施形態に係る基地局の概略ブロック図である。
【００９４】
【図７】本願発明の他の実施形態に係るユーザ機器の概略ブロック図である。
【発明を実施するための形態】
【００９５】
下記に、本願発明の複数の実施形態における添付の図面を参照し、本願発明の複数の実施形態における技術的解決法が明確かつ完全に説明される。明らかに、説明されている複数の実施形態は、本願発明の複数の実施形態のいくつかであるが全てではない。創造努力なしで、本願発明の複数の実施形態に基づき当業者により得られる全ての他の実施形態が、本願発明の保護範囲に含まれる。
【００９６】
図１は、本願発明の実施形態に係るデータ送信方法１００の概略フローチャートである。図１に示されているように、方法１００は以下を含み得る。
【００９７】
Ｓ１１０：少なくとも２つのＭＣＳテーブルから１つのＭＣＳテーブルを選択してＭＣＳを判断し、少なくとも２つのＴＢＳテーブルから１つのＴＢＳテーブルを選択してＴＢＳを判断する段階であり、少なくとも２つのＭＣＳテーブルのうち少なくとも１つのＭＣＳテーブルは、２５６直交振幅変調（Ｑｕａｄｒａｔｕｒｅ  Ａｍｐｌｉｔｕｄｅ  Ｍｏｄｕｌａｔｉｏｎ，ＱＡＭ）に対応するＭＣＳを含む、段階。
【００９８】
Ｓ１２０：判断されたＭＣＳと判断されたＴＢＳとに基づき、サービスデータをユーザ機器へ送信する段階。
【００９９】
具体的には、サービスデータをユーザ機器へ送信する必要があるとき、基地局は、少なくとも２つの格納されたＭＣＳテーブルから１つのＭＣＳテーブルを選択し、少なくとも２つの格納されたＴＢＳテーブルから１つのＴＢＳテーブルを選択し得、基地局は、選択された１つのＴＢＳテーブルから、基地局とユーザ機器との間のチャネルの状態に従って、送信される必要があるサービスデータのためのＭＣＳレベルを判断し得る。ここで、判断されたＭＣＳレベルは変調スキームとＴＢＳ指標とに対応し得る。それから、基地局は、選択されたＴＢＳテーブルから、ユーザ機器へ送信される必要があるサービスデータにより占有される必要があるリソースブロックペア数とＴＢＳ指標とに従って、サービスデータの送信が占有する必要があるＴＢＳを判断し得る。それから、基地局は、ＭＣＳレベルに対応する変調スキームと、判断されたＴＢＳとに従って、リソースブロックペアの対応する位置でサービスデータを送信し得る。上述の少なくとも２つのテーブルに存在している少なくとも１つのＭＣＳテーブルは、２５６−ＱＡＭに対応するＭＣＳを含む。
【０１００】
ゆえに、本願発明の複数の実施形態において、基地局は、少なくとも２つのＭＣＳテーブルから１つのＭＣＳテーブルを選択してＭＣＳを判断し、少なくとも２つのＴＢＳテーブルから１つのＴＢＳテーブルを選択してＴＢＳを判断する。比較的多くの選択機会があり、特定的に対応している複数のＭＣＳテーブルおよび複数のＴＢＳテーブルが異なるユーザ機器属性に特定的に選択され得るので、システムの周波数スペクトル効率は比較的高くなり得、システムスループットは比較的高い。少なくとも２つのＭＣＳテーブルに存在している少なくとも１つのＭＣＳテーブルは２５６−ＱＡＭに対応するＭＣＳを含み、ゆえに、ユーザ機器のサービスデータのために比較的高い変調スキームを用いる必要があるとき、基地局は、２５６−ＱＡＭに対応するＭＣＳを含むＭＣＳテーブルを選択してＭＣＳを判断し得る。これにより、システムの周波数スペクトル効率をさらに改善し得、システムスループットをさらに改善し得る。
【０１０１】
本願発明の本実施形態において、少なくとも２つのＭＣＳテーブルから１つのＭＣＳテーブルを選択してＭＣＳを判断し、少なくとも２つのＴＢＳテーブルから１つのＴＢＳテーブルを選択してＴＢＳを判断する段階Ｓ１１０は、ユーザ機器が配置されているロングタームエボリューション（Ｌｏｎｇ  Ｔｅｒｍ  Ｅｖｏｌｕｔｉｏｎ，ＬＴＥ）システムのリリースを判断する段階と、ユーザ機器が配置されているＬＴＥシステムのリリースに従って、少なくとも２つのＭＣＳテーブルから１つのＭＣＳテーブルを選択し、少なくとも２つのＴＢＳテーブルから１つのＴＢＳテーブルを選択する段階とを含み得る。
【０１０２】
具体的には、サービスデータがユーザ機器へ送信される必要があると判断されたとき、基地局はまず、ユーザ機器が配置されているＬＴＥシステムのリリースを判断し得、それから、少なくとも２つのＭＣＳテーブルから１つのＭＣＳテーブルを選択してＭＣＳを判断し、少なくとも２つのＴＢＳテーブルから１つのＴＢＳテーブルを選択してＬＴＥリリースに従ってＴＢＳを判断し得る。それから、基地局は、判断されたＭＣＳと判断されたＴＢＳとに基づき、サービスデータをユーザ機器へ送信し得る。
【０１０３】
ゆえに、本願発明の本実施形態において、ユーザ機器が配置されているＬＴＥシステムのリリースに基づき、１つのＭＣＳテーブルが少なくとも２つのＭＣＳテーブルから選択されてＭＣＳが判断され、１つのＴＢＳテーブルが少なくとも２つのＴＢＳテーブルから選択されてＴＢＳが判断される。ゆえに、複数のＭＣＳテーブルおよび複数のＴＢＳテーブルが、異なる複数のＬＴＥリリースの異なる複数の属性に関して設定され得、ＭＣＳテーブルおよびＴＢＳテーブルがＬＴＥリリースの属性に準拠しないという事実によって引き起こされる、システムの周波数スペクトル効率の低下の問題が回避され得、リソース要素（Ｒｅｓｏｕｒｃｅ  Ｅｌｅｍｅｎｔ，ＲＥ）の利用が改善され、システムの周波数スペクトル効率も改善され、システムスループットが改善され得る。
【０１０４】
オプションで、本願発明の本実施形態において、ＭＣＳテーブルが、ＭＣＳレベル指標と、（変調次数およびＴＢＳ指標）との間の対応関係を格納するために用いられ得、ＭＣＳレベル指標と（変調次数およびＴＢＳ指標）との間の対応関係を格納し得る任意の格納形態が、ＭＣＳテーブルと呼ばれ得る。オプションで、ＴＢＳテーブルが、ＴＢＳ指標と（ＴＢＳおよびリソースブロックサイズ）との対応関係を格納するために用いられ得、ＴＢＳ指標と（ＴＢＳおよびリソースブロックサイズ）との対応関係を格納し得る任意の格納形態が、ＴＢＳテーブルと呼ばれ得る。
【０１０５】
オプションで、本願発明の本実施形態において、ＭＣＳテーブルが全てのＭＣＳレベル指標を網羅し得、ＭＣＳテーブルは、複数のＭＣＳサブテーブルの形態で存在し得、つまり、ＭＣＳテーブルがいくつかのＭＣＳレベル指標を網羅する。オプションで、本願発明の本実施形態において、ＴＢＳテーブルが１つのＴＢＳテーブルに対応するＭＣＳテーブルに対応する全てのＴＢＳ指標を網羅し得、ＴＢＳテーブルは、複数のＴＢＳサブテーブルの形態で存在し得、つまり、ＴＢＳサブテーブルがいくつかのＴＢＳ指標を網羅する。
【０１０６】
オプションで、本願発明の本実施形態において、上述の少なくとも２つのＭＣＳテーブルは、第１ＭＣＳテーブルおよび第２ＭＣＳテーブルを含み得、上述の少なくとも２つのＴＢＳテーブルは、第１ＴＢＳテーブルおよび第２ＴＢＳテーブルを含み得、第１ＭＣＳテーブルは第１ＴＢＳテーブルと協同し、第２ＭＣＳテーブルは第２ＴＢＳテーブルと協同する。オプションで、第１ＭＣＳテーブルは２５６−ＱＡＭ変調スキームを含み、および／または同じＭＣＳレベル指標および同じリソースブロックペアサイズに対応するとき、第１ＴＢＳテーブル内のＴＢＳは、第２ＴＢＳテーブル内のＴＢＳより小さくない。
【０１０７】
本願発明の本実施形態において、サービスデータがユーザ機器へ送信される段階Ｓ１２０の前に、方法１００は、インジケーション情報をユーザ機器へ送信する段階であり、インジケーション情報は、選択された１つのＭＣＳテーブルおよび／または選択された１つのＴＢＳテーブルについての情報を示すのに用いられる、段階をさらに含み得る。
【０１０８】
つまり、基地局がサービスデータをユーザ機器へ送信する前に、ユーザ機器がサービスデータを正しく取得出来るよう、基地局はユーザ機器に、サービスデータのために用いられる１セットのＭＣＳテーブルとＴＢＳテーブルとを通知し得る。具体的には、基地局は、選択されたＭＣＳテーブルについての情報のみをユーザ機器へ送信し得、それから、基地局は、選択されたＭＣＳテーブルについての情報を用いることにより、基地局により用いられるＭＣＳテーブルを判断し、ＭＣＳテーブルに対応するＴＢＳテーブルを判断し得、または、基地局は、選択されたＴＢＳテーブルについての情報のみをユーザ機器へ送信し得、それから、ユーザ機器は、選択されたＴＢＳテーブルについての情報を用いることにより、基地局により用いられるＴＢＳテーブルを判断し、ＴＢＳテーブルに対応するＭＣＳテーブルを判断し得、または、もちろん、基地局は、用いられるＭＣＳテーブルおよびＴＢＳテーブルについての情報をユーザ機器へ送信し得、ユーザ機器は直接的に、情報に従って、基地局により用いられるＴＢＳテーブルおよびＭＣＳテーブルを判断し得る。
【０１０９】
本願発明の本実施形態において、上述のインジケーション情報は、無線リソース制御（Ｒａｄｉｏ  Ｒｅｓｏｕｒｃｅ  Ｃｏｎｔｒｏｌ，ＲＲＣ）シグナリングまたは下りリンク制御情報（Ｄｏｗｎｌｉｎｋ  Ｃｏｎｔｒｏｌ  Ｉｎｆｏｒｍａｔｉｏｎ，ＤＣＩ）シグナリングを用いることにより伝搬され得る。本願発明の本実施形態において、サービスデータのために用いられる１セットのＭＣＳテーブルとＴＢＳテーブルとは、複数のＤＣＩビットの既存のビットを用いることにより暗に示され得、例えば、任意の１セットのＭＣＳテーブルとＴＢＳテーブルとが用いられることを示す特別な値にＲＶフィールドが設定される。
【０１１０】
本願発明の本実施形態において、サービスデータをユーザ機器へ送信する前に、基地局はさらに、ユーザ機器へ、サービスデータのために用いられるＭＣＳレベルについての（ＭＣＳレベル指標などの）情報を送信し得、サービスデータのリソースブロックペアについての情報を送信し得る。ゆえに、ユーザ機器は、サービスデータのために基地局により用いられるＭＣＳレベルについての情報に基づき、基地局により用いられるＭＣＳテーブルからＭＣＳレベルを判断し得、判断されたＭＣＳレベルとリソースブロックペアについての情報とに基づき、サービスデータのためのＴＢＳを判断し得、ゆえに、ＭＣＳレベルおよびＴＢＳに従ってリソースブロックペア上でサービスデータを取得し得る。
【０１１１】
本願発明の本実施形態において、用いられるＭＣＳレベルについての情報を示すのに用いられるフィールドは５ビットであり得、つまり、異なる複数のＭＣＳテーブルがそれぞれ３２個のＭＣＳレベル指標を含む。
【０１１２】
本願発明の理解の便宜上、本願発明の本実施形態に係る第１ＭＣＳテーブル、第１ＴＢＳテーブル、第２ＭＣＳテーブルおよび第２ＴＢＳテーブルは複数の例を通じて下記に説明される。下記に示されているＭＣＳテーブルとＴＢＳテーブルとは本願発明の単なる特定の実施形態であり、本願発明の保護範囲の限定を何ら構成すべきではないことが理解されるべきである。
【０１１３】
具体的には、先述の第２ＭＣＳテーブルは下記の表１に示されている。
表１
【表１】
0006282747.tif 000002
【０１１４】
本願発明の本実施形態において示されているＭＣＳテーブルにおいて、各ＭＣＳレベルは、１つの変調次数（２、４または６）、およびＴＢＳ指標（ＩＴＢＳ）に対応する。変調次数は、どの変調スキームが用いられるのかを示すのに用いられ得、例えば、２は、四位相偏移変調（Ｑｕａｄｒａｔｕｒｅ  Ｐｈａｓｅ  Ｓｈｉｆｔ  Ｋｅｙｉｎｇ，ＱＰＳＫ）を表し、４は、１６−ＱＡＭを表し、６は、６４−ＱＡＭを表し、データ送信が必要とするＴＢＳのサイズは、ＴＢＳ指標を用いることにより得られ得る。つまり、ＴＢＳは、下記の表２に示されている第２ＴＢＳテーブルを用いることにより、および、ＴＢＳ指標と、サービスデータの送信が必要とするリソースブロックペアのサイズとを用いることにより判断され得る。表２は、０から１０個のリソースブロックペアがある場合のＴＢＳテーブルを示していることが理解されるべきである。もちろん、リソースブロックペア数（ＮＰＲＢ）は、０から２０、または他の複数の値でもあり得、表２は、例示的な説明を行う目的のためのみであり、本願発明の限定を何ら構成すべきものではない。
表２
【表２】
0006282747.tif 000003
【０１１５】
本願発明の本実施形態に従って言及されている第２ＭＣＳテーブルおよび第２ＴＢＳテーブルは、例として表１と表２とを用いることにより上記に示されている。オプションで、上記の表１および表２に示されているＭＣＳテーブルおよびＴＢＳテーブルは、ＬＴＥリリース８から１１に対応し得る。
【０１１６】
先述の第１ＭＣＳテーブルは第２ＭＣＳテーブルと異なってもよく、先述の第１ＴＢＳテーブルは第２ＴＢＳテーブルと異なってもよい。
【０１１７】
本願発明の本実施形態において、第１ＭＣＳテーブルと第２ＭＣＳテーブルとの間の関係は、複数の例を用いることにより説明されている。
【０１１８】
例えば、第１ＭＣＳテーブルのＭＣＳレベル指標ａに対応するＴＢＳは、第２ＭＣＳテーブルのＭＣＳレベル指標ａ＋１に対応するＴＢＳと同じであり得、および／または第１ＭＣＳテーブルのＭＣＳレベル指標ａに対応する変調スキームは、第２ＭＣＳテーブルのＭＣＳレベル指標ａ＋１に対応する変調スキームと同じであり、ここで、ａは、０より大きく、またはそれと等しく、２７より小さい、またはそれと等しい整数である。オプションで、第１ＭＣＳテーブルのＭＣＳレベル指標２８に対応する変調スキームは、２５６−ＱＡＭである。具体的には、第１ＭＣＳテーブルは、下記の表３に示され得る。変調次数８は、用いられている変調スキームが２５６−ＱＡＭであることを表す。
表３
【表３】
0006282747.tif 000004
【０１１９】
他の例として、第１ＭＣＳテーブルのＭＣＳレベル指標ｂに対応するＴＢＳは、第２ＭＣＳテーブルのＭＣＳレベル指標ｂに対応するＴＢＳと同じであり、第１ＭＣＳテーブルのＭＣＳレベル指標ｃに対応するＴＢＳは、第２ＭＣＳテーブルのＭＣＳレベル指標ｃ＋１に対応するＴＢＳと同じであり、および／または、第１ＭＣＳテーブルのＭＣＳレベル指標ｂに対応する変調スキームは、第２ＭＣＳテーブルのＭＣＳレベル指標ｂに対応する変調スキームと同じであり、第１ＭＣＳテーブルのＭＣＳレベル指標ｃに対応する変調スキームは、第２ＭＣＳテーブルのＭＣＳレベル指標ｃ＋１に対応する変調スキームと同じであり、ここで、ｂは、０より大きく、またはそれと等しく、９より小さい、またはそれと等しい整数であり、ｃは、１０より大きく、またはそれと等しく、２７より小さい、またはそれと等しい整数である。オプションで、第１ＭＣＳテーブルのＭＣＳレベル指標２８に対応する変調スキームは、２５６−ＱＡＭである。具体的には、第１ＭＣＳテーブルは、下記の表４に示され得る。
表４
【表４】
0006282747.tif 000005
【０１２０】
他の例として、第１ＭＣＳテーブルのＭＣＳレベル指標ｄに対応するＴＢＳは、第２ＭＣＳテーブルのＭＣＳレベル指標ｄに対応するＴＢＳと同じであり、第１ＭＣＳテーブルのＭＣＳレベル指標ｅに対応するＴＢＳは、第２ＭＣＳテーブルのＭＣＳレベル指標ｅ＋１に対応するＴＢＳと同じであり、および／または、第１ＭＣＳテーブルのＭＣＳレベル指標ｄに対応する変調スキームは、第２ＭＣＳテーブルのＭＣＳレベル指標ｄに対応する変調スキームと同じであり、第１ＭＣＳテーブルのＭＣＳレベル指標ｅに対応する変調スキームは、第２ＭＣＳテーブルのＭＣＳレベル指標ｅ＋１に対応する変調スキームと同じであり、ここで、ｄは、０より大きく、またはそれと等しく、１６より小さい、またはそれと等しい整数であり、ｅは、１７より大きく、またはそれと等しく、２７より小さい、またはそれと等しい整数である。オプションで、第１ＭＣＳテーブルのＭＣＳレベル指標２８に対応する変調スキームは、２５６−ＱＡＭである。具体的には、第１ＭＣＳテーブルは、下記の表５に示され得る。
表５
【表５】
0006282747.tif 000006
【０１２１】
他の例として、第１ＭＣＳテーブルのＭＣＳレベル指標ｆに対応するＴＢＳは、第２ＭＣＳテーブルのＭＣＳレベル指標ｆ＋１に対応するＴＢＳと同じであり、第１ＭＣＳテーブルのＭＣＳレベル指標ｈに対応するＴＢＳは、第２ＭＣＳテーブルのＭＣＳレベル指標ｈ＋２に対応するＴＢＳと同じであり、および／または、第１ＭＣＳテーブルのＭＣＳレベル指標ｆに対応する変調スキームは、第２ＭＣＳテーブルのＭＣＳレベル指標ｆ＋１に対応する変調スキームと同じであり、第１ＭＣＳテーブルのＭＣＳレベル指標ｈに対応する変調スキームは、第２ＭＣＳテーブルのＭＣＳレベル指標ｈ＋２に対応する変調スキームと同じであり、ここで、ｆは、０より大きく、またはそれと等しく、８より小さい、または等しい整数であり、ｈは、９より大きく、またはそれと等しく、２６より小さい、または等しい整数である。オプションで、第１ＭＣＳテーブルのＭＣＳレベル指標２７および２８に対応する変調スキームは、２５６−ＱＡＭである。具体的には、第１ＭＣＳテーブルは、下記の表６に示され得る。
表６
【表６】
0006282747.tif 000007
【０１２２】
他の例として、第１ＭＣＳテーブルのＭＣＳレベル指標ｉに対応するＴＢＳは、第２ＭＣＳテーブルのＭＣＳレベル指標ｉに対応するＴＢＳと同じであり、第１ＭＣＳテーブルのＭＣＳレベル指標ｇに対応するＴＢＳは、第２ＭＣＳテーブルのＭＣＳレベル指標ｇ＋１に対応するＴＢＳと同じであり、第１ＭＣＳテーブルのＭＣＳレベル指標ｋに対応するＴＢＳは、第２ＭＣＳテーブルのＭＣＳレベル指標ｋ＋２に対応するＴＢＳと同じであり、ここで、ｉは、０より大きく、またはそれと等しく、９より小さい、またはそれと等しい整数であり、ｇは、１０より大きく、またはそれと等しく、１５より小さい、または等しい整数であり、ｋは、１６より大きく、またはそれと等しく、２６より小さい、または等しい整数であり、および／または、第１ＭＣＳテーブルのＭＣＳレベル指標ｉに対応する変調スキームは、第２ＭＣＳテーブルのＭＣＳレベル指標ｉに対応する変調スキームと同じであり、第１ＭＣＳテーブルのＭＣＳレベル指標ｇに対応する変調スキームは、第２ＭＣＳテーブルのＭＣＳレベル指標ｇ＋１に対応する変調スキームと同じであり、第１ＭＣＳテーブルのＭＣＳレベル指標ｋに対応する変調スキームは、第２ＭＣＳテーブルのＭＣＳレベル指標ｋ＋２に対応する変調スキームと同じであり、ここで、ｉは、０より大きく、またはそれと等しく、９より小さい、またはそれと等しい整数であり、ｇは、１０より大きく、またはそれと等しく、１５より小さい、または等しい整数であり、ｋは、１６より大きく、またはそれと等しく、２６より小さい、または等しい整数である。オプションで、第１ＭＣＳテーブルのＭＣＳレベル指標２７および２８に対応する変調スキームは、２５６−ＱＡＭである。具体的には、第１ＭＣＳテーブルは、下記の表７に示され得る。
表７
【表７】
0006282747.tif 000008
【０１２３】
他の例として、第１ＭＣＳテーブルのＭＣＳレベル指標ｍに対応するＴＢＳは、第２ＭＣＳテーブルのＭＣＳレベル指標ｍ＋１に対応するＴＢＳと同じであり、第１ＭＣＳテーブルのＭＣＳレベル指標ｎに対応するＴＢＳは、第２ＭＣＳテーブルのＭＣＳレベル指標ｎ＋２に対応するＴＢＳと同じであり、ここで、ｍは、０より大きく、またはそれと等しく、１５より小さい、または等しい整数であり、ｎは、１６より大きく、またはそれと等しく、２６より小さい、または等しい整数であり、および／または、第１ＭＣＳテーブルのＭＣＳレベル指標ｍに対応する変調スキームは、第２ＭＣＳテーブルのＭＣＳレベル指標ｍ＋１に対応する変調スキームと同じであり、第１ＭＣＳテーブルのＭＣＳレベル指標ｎに対応する変調スキームは、第２ＭＣＳテーブルのＭＣＳレベル指標ｎ＋２に対応する変調スキームと同じであり、ここで、ｍは、０より大きく、またはそれと等しく、１５より小さい、または等しい整数であり、ｎは、１６より大きく、またはそれと等しく、２６より小さい、または等しい整数である。オプションで、第１ＭＣＳテーブルのＭＣＳレベル指標２７および２８に対応する変調スキームは、２５６−ＱＡＭである。具体的には、第１ＭＣＳテーブルは、下記の表８に示され得る。
表８
【表８】
0006282747.tif 000009
【０１２４】
他の例として、第１ＭＣＳテーブルのＭＣＳレベル指標ｐに対応するＴＢＳは、第２ＭＣＳテーブルのＭＣＳレベル指標ｐ＋１に対応するＴＢＳと同じであり、第１ＭＣＳテーブルのＭＣＳレベル指標ｘに対応するＴＢＳは、第２ＭＣＳテーブルのＭＣＳレベル指標ｘ＋２に対応するＴＢＳと同じであり、第１ＭＣＳテーブルのＭＣＳレベル指標ｙに対応するＴＢＳは、第２ＭＣＳテーブルのＭＣＳレベル指標ｙ＋３に対応するＴＢＳと同じであり、ここで、ｐは、０より大きく、またはそれと等しく、８より小さい、または等しい整数であり、ｘは、９より大きく、またはそれと等しく、１４より小さい、または等しい整数であり、ｙは、１５より大きく、またはそれと等しく、２５より小さい、または等しい整数であり、および／または、第１ＭＣＳテーブルのＭＣＳレベル指標ｐに対応する変調スキームは、第２ＭＣＳテーブルのＭＣＳレベル指標ｐ＋１に対応する変調スキームと同じであり、第１ＭＣＳテーブルのＭＣＳレベル指標ｘに対応する変調スキームは、第２ＭＣＳテーブルのＭＣＳレベル指標ｘ＋２に対応する変調スキームと同じであり、第１ＭＣＳテーブルのＭＣＳレベル指標ｙに対応する変調スキームは、第２ＭＣＳテーブルのＭＣＳレベル指標ｙ＋３に対応する変調スキームと同じであり、ここで、ｐは、０より大きく、またはそれと等しく、８より小さい、または等しい整数であり、ｘは、９より大きく、またはそれと等しく、１４より小さい、または等しい整数であり、ｙは、１５より大きく、またはそれと等しく、２５より小さい、または等しい整数である。オプションで、第１ＭＣＳテーブルのＭＣＳレベル指標２６、２７および２８に対応する変調スキームは、２５６−ＱＡＭである。具体的には、第１ＭＣＳテーブルは、下記の表９に示され得る。
表９
【表９】
0006282747.tif 000010
【０１２５】
上記の表１から表９に示されているＭＣＳテーブルおよびＴＢＳテーブルの形態は、本願発明の本実施形態の限定を構成すべきではないことが理解されるべきである。例えば、ＴＢＳ指標Ａと、上記の表３から表９のいずれか１つに示されているＭＣＳテーブルに一致する第１ＴＢＳテーブル内のリソースブロックペアサイズＢに対応するＴＢＳとは、ＴＢＳ指標Ａと、第２ＴＢＳテーブル内のリソースブロックペアサイズＢに対応するＴＢＳと同じであり得る。しかし、上記の表３から表９に示されているＭＣＳテーブル内の複数のＴＢＳ指標は、０から２８まで順にも配置され得、この場合、上記の表３から表９のいずれか１つに示されているＭＣＳテーブルに一致する第１ＴＢＳテーブル内のＴＢＳ指標Ａと、リソースブロックペア数Ｂに対応するＴＢＳとは、第２ＴＢＳテーブル内のＴＢＳ指標Ａと、リソースブロックペア数Ｂに対応するＴＢＳと必ずしも同じではない。例えば、表３に関して、同じリソースブロックペアサイズの場合、第１ＭＣＳテーブルのＭＣＳレベル指標ａに対応するＴＢＳは、第２ＭＣＳテーブルのＭＣＳレベル指標ａ＋１に対応するＴＢＳと同じであり得、つまり、同じリソースブロックペアサイズの場合、第１ＭＣＳレベル指標ａに対応するＴＢＳ指標がＣであり、第２ＭＣＳレベル指標ａ＋１に対応するＴＢＳ指標がＤである場合、第１ＴＢＳテーブル内のＴＢＳ指標Ｃに対応するＴＢＳは、第２ＴＢＳテーブル内のＴＢＳ指標Ｄに対応するＴＢＳと同じである。
【０１２６】
本願発明の本実施形態において、先述の第１ＭＣＳテーブルおよび第１ＴＢＳテーブルは、ＬＴＥリリース１２に対応し得、先述の第２ＭＣＳテーブルおよび第２ＴＢＳテーブルは、ＬＴＥリリース８から１１に対応し得る。
【０１２７】
従来技術において、リリース８から１１に対応するＭＣＳテーブルおよびＴＢＳテーブルは、リリース１２における各ＬＴＥシステムのために直接的に用いられる。本願発明の本実施形態において、ＬＴＥリリース１２に対応するユーザ機器に関して、前記第１ＭＣＳテーブルが用いられる場合、前記第１ＭＣＳテーブルは２５６−ＱＡＭ変調スキームを含み得、ゆえに、この場合、リリース１２におけるスモールセルエンハンスメント（Ｓｍａｌｌ  Ｃｅｌｌ  Ｅｎｈａｎｃｅｍｅｎｔ，ＳＣＥ）シナリオに対応する信号対干渉プラス雑音比（Ｓｉｇｎａｌ  ｔｏ  Ｉｎｔｅｒｆｅｒｅｎｃｅ  ｐｌｕｓ  Ｎｏｉｓｅ  Ｒａｔｉｏ，ＳＩＮＲ）が比較的大きいとき、前記基地局は、そのシナリオで前記ユーザ機器により送信されたサービスデータを、より高い変調スキーム、つまり、２５６−ＱＡＭ変調スキームを用いることにより変調させ得、これにより、システムの周波数スペクトル効率が改善され得、システムスループットが高められ得る。
【０１２８】
さらに、同じＭＣＳレベルおよび同じリソースブロックペア数の場合、第１ＴＢＳテーブル内のＴＢＳは、第２ＴＢＳテーブル内のＴＢＳより小さくないので、および、この場合、ＬＴＥリリース１２におけるニューキャリアタイプ（Ｎｅｗ  Ｃａｒｒｉｅｒ  Ｔｙｐｅ，ＮＣＴ）シナリオにおいて、物理下りリンク制御チャネル（Ｐｈｙｓｉｃａｌ  Ｄｏｗｎｌｉｎｋ  Ｃｏｎｔｒｏｌ  Ｃｈａｎｎｅｌ，ＰＤＣＣＨ）エリアまたはセル固有の参照信号（Ｃｅｌｌ−ｓｐｅｃｉｆｉｃ  ｒｅｆｅｒｅｎｃｅ  ｓｉｇｎａｌ，ＣＲＳ）エリアがなく、復調参照信号（ＤｅＭｏｄｕｌａｔｉｏｎ  Ｒｅｆｅｒｅｎｃｅ  Ｓｉｇｎａｌ，ＤＭＲＳ）エリアのみがあるので、サービスデータの送信のために用いられるＲＥがより多くあり得、ゆえに、そのシナリオでのサービスデータのユーザ機器への送信のエンコード効率は、第１ＴＢＳテーブルを用いることにより改善され得る。
【０１２９】
（具体的には、ＮＣＴシナリオにおけるものであり得る）リリース１２におけるＬＴＥシステムに関して、本願発明の第１ＭＣＳテーブルおよび第１ＴＢＳテーブルが用いられたときに得られるエンコード効率、および従来技術におけるリリース８から１１に対応する第２ＭＣＳテーブルおよび第２ＴＢＳテーブルが用いられたときに得られるエンコード効率に関する統計が集められ、本願発明の第１ＭＣＳテーブルおよび第１ＴＢＳテーブルが用いられたときに得られるエンコード効率は、リリース８から１１に対応する第２ＭＣＳテーブルおよび第２ＴＢＳテーブルが用いられたときに得られるエンコード効率より明らかに高い。下記の表１０は、リリース１２におけるＬＴＥシステムのシナリオにおいてリソースブロックペア数が２０であるときに、リリース８から１１に対応するＭＣＳテーブルおよびＴＢＳテーブルが用いられたときに得られるエンコード効率を示しており、下記の表１１は、リリース１２におけるＬＴＥシステムのシナリオにおいてリソースブロックペア数が２０であるときに、表９に示されている第１ＭＣＳテーブル、および第１ＭＣＳテーブルに対応するＴＢＳが用いられたときに得られるエンコード効率を示している。
表１０
【表１０】
0006282747.tif 000011
表１１
【表１１】
0006282747.tif 000012
【０１３０】
表１１内のＴＢＳ指標２７、２８および２９に対応する複数のＴＢＳは、具体的なシチュエーションに応じて設定され得、本願発明の本実施形態において、本明細書で限定されない。
【０１３１】
ゆえに、上記の表１０および表１１から、本願発明の本実施形態における第１ＭＣＳテーブルおよび第１ＴＢＳテーブルが用いられてリリース１２に対応するユーザ機器のＭＣＳレベル、およびＴＢＳが判断されるときに得られる有効符号化レートは、第２ＭＣＳテーブルおよび第２ＴＢＳテーブルが用いられてリリース１２に対応するユーザ機器のＭＣＳレベル、およびＴＢＳが判断されるときに得られる有効符号化レートより明らかに高く、ターゲットの符号化レートに非常に近いことがわかる。
【０１３２】
ゆえに、本願発明の本実施形態において、基地局は、少なくとも２つのＭＣＳテーブルから１つのＭＣＳテーブルを選択してＭＣＳを判断し、少なくとも２つのＴＢＳテーブルから１つのＴＢＳテーブルを選択してＴＢＳを判断する。比較的多くの選択機会があり、異なる複数のＭＣＳテーブルおよび複数のＴＢＳテーブルが異なるユーザ機器属性に特定的に選択され得るので、システムの周波数スペクトル効率は比較的高くなり得、システムスループットは比較的高い。少なくとも２つのＭＣＳテーブルに存在している少なくとも１つのＭＣＳテーブルは２５６−ＱＡＭに対応するＭＣＳを含み、ゆえに、ユーザ機器のサービスデータのために比較的高い変調スキームを用いる必要があるとき、基地局は、２５６−ＱＡＭに対応するＭＣＳを含むＭＣＳテーブルを選択してＭＣＳを判断し得る。これにより、システムの周波数スペクトル効率をさらに改善し得、システムスループットをさらに改善し得る。
【０１３３】
本願発明の複数の実施形態におけるデータ送信方法は上記で、基地局側から見て説明されており、本願発明の複数の実施形態におけるデータ送信方法は下記に、ユーザ機器側から見て説明される。
【０１３４】
図２は、本願発明の実施形態に係るデータ送信方法２００の概略フローチャートである。図２に示されているように、方法２００は以下を含む。
【０１３５】
Ｓ２１０：少なくとも２つの変調符号化スキームＭＣＳテーブルから１つのＭＣＳテーブルを選択してＭＣＳを判断し、少なくとも２つのトランスポートブロックサイズＴＢＳテーブルから１つのＴＢＳテーブルを選択してＴＢＳを判断する段階であり、少なくとも２つのＭＣＳテーブルのうち少なくとも１つのＭＣＳテーブルは、２５６−ＱＡＭに対応するＭＣＳを含む、段階。
【０１３６】
Ｓ２２０：判断されたＭＣＳと判断されたＴＢＳとに基づき、基地局により送信されたサービスデータを取得する段階。
【０１３７】
具体的には、基地局により送信されたサービスデータが受信される必要があると判断されたとき、ユーザ機器は、少なくとも２つの格納されたＭＣＳテーブルから１つのＭＣＳテーブルを選択し得、少なくとも２つの格納されたＴＢＳテーブルから１つのＴＢＳテーブルを選択し得、それから、選択された１つのＴＢＳテーブルから、受信される必要があるサービスデータのためのＭＣＳレベルを判断し得、ここで、判断されたＭＣＳレベルは、変調スキームとＴＢＳ指標とに対応し得る。それから、ユーザ機器は、受信される必要があるサービスデータにより占有されるリソースブロックペアのサイズとＴＢＳ指標とに従って、サービスデータにより占有されるＴＢＳを判断し得、ゆえに、ユーザ機器は、ＭＣＳレベルに対応する変調スキームと判断されたＴＢＳとに従って、基地局により送信されるサービスデータを取得し得る。上述の少なくとも２つのテーブルに存在している少なくとも１つのＭＣＳテーブルは、２５６−ＱＡＭに対応するＭＣＳを含む。
【０１３８】
ゆえに、本願発明の本実施形態において、少なくとも２つのＭＣＳテーブルから１つのＭＣＳテーブルが選択されてＭＣＳが判断され、少なくとも２つのＴＢＳテーブルから１つのＴＢＳテーブルが選択されてＴＢＳが判断される。比較的多くの選択機会があるので、システムの周波数スペクトル効率は比較的高くなり得、システムスループットは比較的高い。少なくとも２つのＭＣＳテーブルに存在している少なくとも１つのＭＣＳテーブルは２５６−ＱＡＭに対応するＭＣＳを含み、ゆえに、ユーザ機器のサービスデータのために比較的高い変調スキームを用いる必要があるとき、基地局は、２５６−ＱＡＭに対応するＭＣＳを含むＭＣＳテーブルを選択してＭＣＳを判断し得る。これにより、システムの周波数スペクトル効率をさらに改善し得、システムスループットをさらに改善し得る。
【０１３９】
オプションで、本願発明の本実施形態において、ＭＣＳテーブルが、ＭＣＳレベル指標と、（変調次数およびＴＢＳ指標）との間の対応関係を格納するために用いられ得、ＭＣＳレベル指標と（変調次数およびＴＢＳ指標）との間の対応関係を格納し得る任意の格納形態が、ＭＣＳテーブルと呼ばれ得る。オプションで、ＴＢＳテーブルが、ＴＢＳ指標と（ＴＢＳおよびリソースブロックサイズ）との対応関係を格納するために用いられ得、ＴＢＳ指標と（ＴＢＳおよびリソースブロックサイズ）との対応関係を格納し得る任意の格納形態が、ＴＢＳテーブルと呼ばれ得る。
【０１４０】
オプションで、本願発明の本実施形態において、ＭＣＳテーブルが全てのＭＣＳレベル指標を網羅し得、ＭＣＳテーブルは、複数のＭＣＳサブテーブルの形態で存在し得、つまり、ＭＣＳテーブルがいくつかのＭＣＳレベル指標を網羅する。オプションで、本願発明の本実施形態において、ＴＢＳテーブルが１つのＴＢＳテーブルに対応するＭＣＳテーブルに対応する全てのＴＢＳ指標を網羅し得、ＴＢＳテーブルは、複数のＴＢＳサブテーブルの形態で存在し得、つまり、ＴＢＳサブテーブルがいくつかのＴＢＳ指標を網羅する。
【０１４１】
オプションで、本願発明の本実施形態において、上述の少なくとも２つのＭＣＳテーブルは、第１ＭＣＳテーブルおよび第２ＭＣＳテーブルを含み得、上述の少なくとも２つのＴＢＳテーブルは、第１ＴＢＳテーブルおよび第２ＴＢＳテーブルを含み得、第１ＭＣＳテーブルは第１ＴＢＳテーブルと協同し、第２ＭＣＳテーブルは第２ＴＢＳテーブルと協同する。オプションで、第１ＭＣＳテーブルは２５６−ＱＡＭ変調スキームを含み、および／または同じＭＣＳレベル指標および同じリソースブロックペアサイズに対応するとき、第１ＴＢＳテーブル内のＴＢＳは、第２ＴＢＳテーブル内のＴＢＳより小さくない。
【０１４２】
本願発明の本実施形態において、方法１００は、基地局により送信されたインジケーション情報を受信する段階をさらに含み得、ここで、インジケーション情報は、選択された１つのＭＣＳテーブルおよび／または選択された１つのＴＢＳテーブルについての情報を示すのに用いられる。対応して、少なくとも２つの変調符号化スキームＭＣＳテーブルから１つのＭＣＳテーブルを選択して変調符号化スキームＭＣＳを判断し、少なくとも２つのトランスポートブロックサイズＴＢＳテーブルから１つのＴＢＳテーブルを選択してＴＢＳを判断する段階であるＳ２１０は、インジケーション情報に従って、少なくとも２つのＭＣＳテーブルから１つのＭＣＳテーブルを選択してＭＣＳを判断し、少なくとも２つのトランスポートブロックサイズＴＢＳテーブルから１つのＴＢＳテーブルを選択してＴＢＳを判断する段階を含み得る。
【０１４３】
つまり、基地局がサービスデータをユーザ機器へ送信する前に、ユーザ機器がサービスデータを正しく取得出来るよう、基地局はユーザ機器に、サービスデータのために用いられる１セットのＭＣＳテーブルとＴＢＳテーブルとを通知し得る。具体的には、基地局は、選択されたＭＣＳテーブルについての情報のみをユーザ機器へ送信し得、それから、基地局は、選択されたＭＣＳテーブルについての情報を用いることにより、基地局により用いられるＭＣＳテーブルを判断し、ＭＣＳテーブルに対応するＴＢＳテーブルを判断し得、または、基地局は、選択されたＴＢＳテーブルについての情報のみをユーザ機器へ送信し得、それから、ユーザ機器は、選択されたＴＢＳテーブルについての情報を用いることにより、基地局により用いられるＴＢＳテーブルを判断し、ＴＢＳテーブルに対応するＭＣＳテーブルを判断し得、または、もちろん、基地局は、用いられるＭＣＳテーブルおよびＴＢＳテーブルについての情報をユーザ機器へ送信し得、ユーザ機器は直接的に、情報に従って、基地局により用いられるＴＢＳテーブルおよびＭＣＳテーブルを判断し得る。
【０１４４】
本願発明の本実施形態において、サービスデータをユーザ機器へ送信する前に、基地局はさらに、ユーザ機器へ、サービスデータのために用いられるＭＣＳレベルについての（ＭＣＳレベル指標などの）情報を送信し得、サービスデータのリソースブロックペアについての情報を送信し得る。ゆえに、ユーザ機器は、サービスデータのために基地局により用いられるＭＣＳレベルについての情報に基づき、基地局により用いられるＭＣＳテーブルからＭＣＳレベルを判断し得、判断されたＭＣＳレベルとリソースブロックペアについての情報とに基づき、サービスデータのためのＴＢＳを判断し得、ゆえに、ＭＣＳレベルおよびＴＢＳに従ってリソースブロックペア上でサービスデータを取得し得る。
【０１４５】
本願発明の理解の便宜上、本願発明の本実施形態に係る第１ＭＣＳテーブル、第１ＴＢＳテーブル、第２ＭＣＳテーブルおよび第２ＴＢＳテーブルは複数の例を通じて下記に説明される。下記に示されているＭＣＳテーブルとＴＢＳテーブルとは本願発明の単なる特定の実施形態であり、本願発明の保護範囲の限定を何ら構成すべきではないことが理解されるべきである。具体的には、先述の第２ＭＣＳテーブルおよび第２ＴＢＳテーブルはそれぞれ、上記の表１および表２に示され得る。
【０１４６】
先述の第１ＭＣＳテーブルは第２ＭＣＳテーブルと異なってもよく、先述の第１ＴＢＳテーブルは第２ＴＢＳテーブルと異なってもよい。
【０１４７】
本願発明の本実施形態において、第１ＭＣＳテーブルと第２ＭＣＳテーブルとの間の関係は、複数の例を通じて説明されている。
【０１４８】
例えば、第１ＭＣＳテーブルのＭＣＳレベル指標ａに対応するＴＢＳは、第２ＭＣＳテーブルのＭＣＳレベル指標ａ＋１に対応するＴＢＳと同じであり得、および／または第１ＭＣＳテーブルのＭＣＳレベル指標ａに対応する変調スキームは、第２ＭＣＳテーブルのＭＣＳレベル指標ａ＋１に対応する変調スキームと同じであり、ここで、ａは、０より大きく、またはそれと等しく、２７より小さい、またはそれと等しい整数である。オプションで、第１ＭＣＳテーブルのＭＣＳレベル指標２８に対応する変調スキームは、２５６−ＱＡＭである。具体的には、第１ＭＣＳテーブルは、上記の表３に示され得る。
【０１４９】
他の例として、第１ＭＣＳテーブルのＭＣＳレベル指標ｂに対応するＴＢＳは、第２ＭＣＳテーブルのＭＣＳレベル指標ｂに対応するＴＢＳと同じであり、第１ＭＣＳテーブルのＭＣＳレベル指標ｃに対応するＴＢＳは、第２ＭＣＳテーブルのＭＣＳレベル指標ｃ＋１に対応するＴＢＳと同じであり、および／または、第１ＭＣＳテーブルのＭＣＳレベル指標ｂに対応する変調スキームは、第２ＭＣＳテーブルのＭＣＳレベル指標ｂに対応する変調スキームと同じであり、第１ＭＣＳテーブルのＭＣＳレベル指標ｃに対応する変調スキームは、第２ＭＣＳテーブルのＭＣＳレベル指標ｃ＋１に対応する変調スキームと同じであり、ここで、ｂは、０より大きく、またはそれと等しく、９より小さい、またはそれと等しい整数であり、ｃは、１０より大きく、またはそれと等しく、２７より小さい、またはそれと等しい整数である。オプションで、第１ＭＣＳテーブルのＭＣＳレベル指標２８に対応する変調スキームは、２５６−ＱＡＭである。具体的には、第１ＭＣＳテーブルは、上記の表４に示され得る。
【０１５０】
他の例として、第１ＭＣＳテーブルのＭＣＳレベル指標ｄに対応するＴＢＳは、第２ＭＣＳテーブルのＭＣＳレベル指標ｄに対応するＴＢＳと同じであり、第１ＭＣＳテーブルのＭＣＳレベル指標ｅに対応するＴＢＳは、第２ＭＣＳテーブルのＭＣＳレベル指標ｅ＋１に対応するＴＢＳと同じであり、および／または、第１ＭＣＳテーブルのＭＣＳレベル指標ｄに対応する変調スキームは、第２ＭＣＳテーブルのＭＣＳレベル指標ｄに対応する変調スキームと同じであり、第１ＭＣＳテーブルのＭＣＳレベル指標ｅに対応する変調スキームは、第２ＭＣＳテーブルのＭＣＳレベル指標ｅ＋１に対応する変調スキームと同じであり、ここで、ｄは、０より大きく、またはそれと等しく、１６より小さい、またはそれと等しい整数であり、ｅは、１７より大きく、またはそれと等しく、２７より小さい、またはそれと等しい整数である。オプションで、第１ＭＣＳテーブルのＭＣＳレベル指標２８に対応する変調スキームは、２５６−ＱＡＭである。具体的には、第１ＭＣＳテーブルは、上記の表５に示され得る。
【０１５１】
他の例として、第１ＭＣＳテーブルのＭＣＳレベル指標ｆに対応するＴＢＳは、第２ＭＣＳテーブルのＭＣＳレベル指標ｆ＋１に対応するＴＢＳと同じであり、第１ＭＣＳテーブルのＭＣＳレベル指標ｈに対応するＴＢＳは、第２ＭＣＳテーブルのＭＣＳレベル指標ｈ＋２に対応するＴＢＳと同じであり、および／または、第１ＭＣＳテーブルのＭＣＳレベル指標ｆに対応する変調スキームは、第２ＭＣＳテーブルのＭＣＳレベル指標ｆ＋１に対応する変調スキームと同じであり、第１ＭＣＳテーブルのＭＣＳレベル指標ｈに対応する変調スキームは、第２ＭＣＳテーブルのＭＣＳレベル指標ｈ＋２に対応する変調スキームと同じであり、ここで、ｆは、０より大きく、またはそれと等しく、８より小さい、または等しい整数であり、ｈは、９より大きく、またはそれと等しく、２６より小さい、または等しい整数である。オプションで、第１ＭＣＳテーブルのＭＣＳレベル指標２７および２８に対応する変調スキームは、２５６−ＱＡＭである。具体的には、第１ＭＣＳテーブルは、上記の表６に示され得る。
【０１５２】
他の例として、第１ＭＣＳテーブルのＭＣＳレベル指標ｉに対応するＴＢＳは、第２ＭＣＳテーブルのＭＣＳレベル指標ｉに対応するＴＢＳと同じであり、第１ＭＣＳテーブルのＭＣＳレベル指標ｇに対応するＴＢＳは、第２ＭＣＳテーブルのＭＣＳレベル指標ｇ＋１に対応するＴＢＳと同じであり、第１ＭＣＳテーブルのＭＣＳレベル指標ｋに対応するＴＢＳは、第２ＭＣＳテーブルのＭＣＳレベル指標ｋ＋２に対応するＴＢＳと同じであり、ここで、ｉは、０より大きく、またはそれと等しく、９より小さい、またはそれと等しい整数であり、ｇは、１０より大きく、またはそれと等しく、１５より小さい、または等しい整数であり、ｋは、１６より大きく、またはそれと等しく、２６より小さい、または等しい整数であり、および／または、第１ＭＣＳテーブルのＭＣＳレベル指標ｉに対応する変調スキームは、第２ＭＣＳテーブルのＭＣＳレベル指標ｉに対応する変調スキームと同じであり、第１ＭＣＳテーブルのＭＣＳレベル指標ｇに対応する変調スキームは、第２ＭＣＳテーブルのＭＣＳレベル指標ｇ＋１に対応する変調スキームと同じであり、第１ＭＣＳテーブルのＭＣＳレベル指標ｋに対応する変調スキームは、第２ＭＣＳテーブルのＭＣＳレベル指標ｋ＋２に対応する変調スキームと同じであり、ここで、ｉは、０より大きく、またはそれと等しく、９より小さい、またはそれと等しい整数であり、ｇは、１０より大きく、またはそれと等しく、１５より小さい、または等しい整数であり、ｋは、１６より大きく、またはそれと等しく、２６より小さい、または等しい整数である。オプションで、第１ＭＣＳテーブルのＭＣＳレベル指標２７および２８に対応する変調スキームは、２５６−ＱＡＭである。具体的には、第１ＭＣＳテーブルは、上記の表７に示され得る。
【０１５３】
他の例として、第１ＭＣＳテーブルのＭＣＳレベル指標ｍに対応するＴＢＳは、第２ＭＣＳテーブルのＭＣＳレベル指標ｍ＋１に対応するＴＢＳと同じであり、第１ＭＣＳテーブルのＭＣＳレベル指標ｎに対応するＴＢＳは、第２ＭＣＳテーブルのＭＣＳレベル指標ｎ＋２に対応するＴＢＳと同じであり、ここで、ｍは、０より大きく、またはそれと等しく、１５より小さい、または等しい整数であり、ｎは、１６より大きく、またはそれと等しく、２６より小さい、または等しい整数であり、および／または、第１ＭＣＳテーブルのＭＣＳレベル指標ｍに対応する変調スキームは、第２ＭＣＳテーブルのＭＣＳレベル指標ｍ＋１に対応する変調スキームと同じであり、第１ＭＣＳテーブルのＭＣＳレベル指標ｎに対応する変調スキームは、第２ＭＣＳテーブルのＭＣＳレベル指標ｎ＋２に対応する変調スキームと同じであり、ここで、ｍは、０より大きく、またはそれと等しく、１５より小さい、または等しい整数であり、ｎは、１６より大きく、またはそれと等しく、２６より小さい、または等しい整数である。オプションで、第１ＭＣＳテーブルのＭＣＳレベル指標２７および２８に対応する変調スキームは、２５６−ＱＡＭである。具体的には、第１ＭＣＳテーブルは、上記の表８に示され得る。
【０１５４】
他の例として、第１ＭＣＳテーブルのＭＣＳレベル指標ｐに対応するＴＢＳは、第２ＭＣＳテーブルのＭＣＳレベル指標ｐ＋１に対応するＴＢＳと同じであり、第１ＭＣＳテーブルのＭＣＳレベル指標ｘに対応するＴＢＳは、第２ＭＣＳテーブルのＭＣＳレベル指標ｘ＋２に対応するＴＢＳと同じであり、第１ＭＣＳテーブルのＭＣＳレベル指標ｙに対応するＴＢＳは、第２ＭＣＳテーブルのＭＣＳレベル指標ｙ＋３に対応するＴＢＳと同じであり、ここで、ｐは、０より大きく、またはそれと等しく、８より小さい、または等しい整数であり、ｘは、９より大きく、またはそれと等しく、１４より小さい、または等しい整数であり、ｙは、１５より大きく、またはそれと等しく、２５より小さい、または等しい整数であり、および／または、第１ＭＣＳテーブルのＭＣＳレベル指標ｐに対応する変調スキームは、第２ＭＣＳテーブルのＭＣＳレベル指標ｐ＋１に対応する変調スキームと同じであり、第１ＭＣＳテーブルのＭＣＳレベル指標ｘに対応する変調スキームは、第２ＭＣＳテーブルのＭＣＳレベル指標ｘ＋２に対応する変調スキームと同じであり、第１ＭＣＳテーブルのＭＣＳレベル指標ｙに対応する変調スキームは、第２ＭＣＳテーブルのＭＣＳレベル指標ｙ＋３に対応する変調スキームと同じであり、ここで、ｐは、０より大きく、またはそれと等しく、８より小さい、または等しい整数であり、ｘは、９より大きく、またはそれと等しく、１４より小さい、または等しい整数であり、ｙは、１５より大きく、またはそれと等しく、２５より小さい、または等しい整数である。オプションで、第１ＭＣＳテーブルのＭＣＳレベル指標２６、２７および２８に対応する変調スキームは、２５６−ＱＡＭである。具体的には、第１ＭＣＳテーブルは、上記の表９に示され得る。
【０１５５】
本願発明の本実施形態において、先述の第１ＭＣＳテーブルおよび第１ＴＢＳテーブルは、ＬＴＥリリース１２に対応し得、先述の第２ＭＣＳテーブルおよび第２ＴＢＳテーブルは、ＬＴＥリリース８から１１に対応し得る。
【０１５６】
ゆえに、本願発明の本実施形態において、少なくとも２つのＭＣＳテーブルから１つのＭＣＳテーブルが選択されてＭＣＳが判断され、少なくとも２つのＴＢＳテーブルから１つのＴＢＳテーブルが選択されてＴＢＳが判断される。比較的多くの選択機会があるので、システムの周波数スペクトル効率は比較的高くなり得、システムスループットは比較的高い。少なくとも２つのＭＣＳテーブルに存在している少なくとも１つのＭＣＳテーブルは２５６−ＱＡＭに対応するＭＣＳを含み、ゆえに、ユーザ機器のサービスデータのために比較的高い変調スキームを用いる必要があるとき、基地局は、２５６−ＱＡＭに対応するＭＣＳを含むＭＣＳテーブルを選択してＭＣＳを判断し得る。これにより、システムの周波数スペクトル効率をさらに改善し得、システムスループットをさらに改善し得る。
【０１５７】
図３は、本願発明の実施形態に係る基地局３００の概略ブロック図である。図３に示されているように、基地局３００は、少なくとも２つの変調符号化スキームＭＣＳテーブルから１つのＭＣＳテーブルを選択してＭＣＳを判断し、少なくとも２つのトランスポートブロックサイズＴＢＳテーブルから１つのＴＢＳテーブルを選択してＴＢＳを判断するよう構成された選択および判断ユニット３１０であり、少なくとも２つのＭＣＳテーブルのうち少なくとも１つのＭＣＳテーブルは、２５６直交振幅変調ＱＡＭに対応するＭＣＳを含む、選択および判断ユニット３１０と、判断されたＭＣＳと判断されたＴＢＳとに基づきサービスデータをユーザ機器に送信するよう構成された送信ユニット３２０とを含む。
【０１５８】
オプションで、図４に示されているように、選択および判断ユニット３１０は、ユーザ機器が配置されているロングタームエボリューションＬＴＥシステムのリリースを判断するよう構成された判断サブユニット３１２と、ユーザ機器が配置されているＬＴＥシステムのリリースに従って、少なくとも２つのＭＣＳテーブルから１つのＭＣＳテーブルを選択し、少なくとも２つのＴＢＳテーブルから１つのＴＢＳテーブルを選択するよう構成された選択サブユニット３１４とを含む。
【０１５９】
オプションで、送信ユニット３２０はさらに、インジケーション情報をユーザ機器へ送信するよう構成され、ここで、インジケーション情報は、選択された１つのＭＣＳテーブルおよび／または選択された１つのＴＢＳテーブルについての情報を示すのに用いられる。
【０１６０】
オプションで、少なくとも２つのＭＣＳテーブルは第１ＭＣＳテーブルおよび第２ＭＣＳテーブルを含み、少なくとも２つのＴＢＳテーブルは第１ＴＢＳテーブルおよび第２ＴＢＳテーブルを含み、第１ＭＣＳテーブルは第１ＴＢＳテーブルと協同し、第２ＭＣＳテーブルは第２ＴＢＳテーブルと協同し、第１ＭＣＳテーブルは２５６−ＱＡＭ変調スキームを含み、および／または、同じＭＣＳレベル指標および同じリソースブロックペアサイズに対応するとき、第１ＴＢＳテーブル内のＴＢＳは、第２ＴＢＳテーブル内のＴＢＳより小さくない。
【０１６１】
オプションで、第１ＭＣＳテーブルおよび第１ＴＢＳテーブルは、ＬＴＥリリース１２に対応し、第２ＭＣＳテーブルおよび第２ＴＢＳテーブルは、ＬＴＥリリース８から１１に対応する。
【０１６２】
オプションで、第１ＭＣＳテーブルのＭＣＳレベル指標ａに対応するＴＢＳは、第２ＭＣＳテーブルのＭＣＳレベル指標ａ＋１に対応するＴＢＳと同じであり、ここで、ａは、０より大きく、またはそれと等しく、２７より小さい、またはそれと等しい整数であり、または、第１ＭＣＳテーブルのＭＣＳレベル指標ｂに対応するＴＢＳは、第２ＭＣＳテーブルのＭＣＳレベル指標ｂに対応するＴＢＳと同じであり、第１ＭＣＳテーブルのＭＣＳレベル指標ｃに対応するＴＢＳは、第２ＭＣＳテーブルのＭＣＳレベル指標ｃ＋１に対応するＴＢＳと同じであり、ここで、ｂは、０より大きく、またはそれと等しく、９より小さい、またはそれと等しい整数であり、ｃは、１０より大きく、またはそれと等しく、２７より小さい、またはそれと等しい整数であり、または、第１ＭＣＳテーブルのＭＣＳレベル指標ｄに対応するＴＢＳは、第２ＭＣＳテーブルのＭＣＳレベル指標ｄに対応するＴＢＳと同じであり、第１ＭＣＳテーブルのＭＣＳレベル指標ｅに対応するＴＢＳは、第２ＭＣＳテーブルのＭＣＳレベル指標ｅ＋１に対応するＴＢＳと同じであり、ここで、ｄは、０より大きく、またはそれと等しく、１６より小さい、またはそれと等しい整数であり、ｅは、１７より大きく、またはそれと等しく、２７より小さい、またはそれと等しい整数である。
【０１６３】
オプションで、第１ＭＣＳテーブルのＭＣＳレベル指標ａに対応する変調スキームは、第２ＭＣＳテーブルのＭＣＳレベル指標ａ＋１に対応する変調スキームと同じであり、ここで、ａは、０より大きく、またはそれと等しく、２７より小さい、またはそれと等しい整数であり、または、第１ＭＣＳテーブルのＭＣＳレベル指標ｂに対応する変調スキームは、第２ＭＣＳテーブルのＭＣＳレベル指標ｂに対応する変調スキームと同じであり、第１ＭＣＳテーブルのＭＣＳレベル指標ｃに対応する変調スキームは、第２ＭＣＳテーブルのＭＣＳレベル指標ｃ＋１に対応する変調スキームと同じであり、ここで、ｂは、０より大きく、またはそれと等しく、９より小さい、またはそれと等しい整数であり、ｃは、１０より大きく、またはそれと等しく、２７より小さい、またはそれと等しい整数であり、または、第１ＭＣＳテーブルのＭＣＳレベル指標ｄに対応する変調スキームは、第２ＭＣＳテーブルのＭＣＳレベル指標ｄに対応する変調スキームと同じであり、第１ＭＣＳテーブルのＭＣＳレベル指標ｅに対応する変調スキームは、第２ＭＣＳテーブルのＭＣＳレベル指標ｅ＋１に対応する変調スキームと同じであり、ここで、ｄは、０より大きく、またはそれと等しく、１６より小さい、またはそれと等しい整数であり、ｅは、１７より大きく、またはそれと等しく、２７より小さい、またはそれと等しい整数である。
【０１６４】
オプションで、第１ＭＣＳテーブルのＭＣＳレベル指標２８に対応する変調スキームは、２５６−ＱＡＭである。
【０１６５】
オプションで、第１ＭＣＳテーブルのＭＣＳレベル指標ｆに対応するＴＢＳは、第２ＭＣＳテーブルのＭＣＳレベル指標ｆ＋１に対応するＴＢＳと同じであり、第１ＭＣＳテーブルのＭＣＳレベル指標ｈに対応するＴＢＳは、第２ＭＣＳテーブルのＭＣＳレベル指標ｈ＋２に対応するＴＢＳと同じであり、ここで、ｆは、０より大きく、またはそれと等しく、８より小さい、または等しい整数であり、ｈは、９より大きく、またはそれと等しく、２６より小さい、または等しい整数であり、または、第１ＭＣＳテーブルのＭＣＳレベル指標ｉに対応するＴＢＳは、第２ＭＣＳテーブルのＭＣＳレベル指標ｉに対応するＴＢＳと同じであり、第１ＭＣＳテーブルのＭＣＳレベル指標ｇに対応するＴＢＳは、第２ＭＣＳテーブルのＭＣＳレベル指標ｇ＋１に対応するＴＢＳと同じであり、第１ＭＣＳテーブルのＭＣＳレベル指標ｋに対応するＴＢＳは、第２ＭＣＳテーブルのＭＣＳレベル指標ｋ＋２に対応するＴＢＳと同じであり、ここで、ｉは、０より大きく、またはそれと等しく、９より小さい、またはそれと等しい整数であり、ｇは、１０より大きく、またはそれと等しく、１５より小さい、または等しい整数であり、ｋは、１６より大きく、またはそれと等しく、２６より小さい、または等しい整数であり、または、第１ＭＣＳテーブルのＭＣＳレベル指標ｍに対応するＴＢＳは、第２ＭＣＳテーブルのＭＣＳレベル指標ｍ＋１に対応するＴＢＳと同じであり、第１ＭＣＳテーブルのＭＣＳレベル指標ｎに対応するＴＢＳは、第２ＭＣＳテーブルのＭＣＳレベル指標ｎ＋２に対応するＴＢＳと同じであり、ここで、ｍは、０より大きく、またはそれと等しく、１５より小さい、または等しい整数であり、ｎは、１６より大きく、またはそれと等しく、２６より小さい、または等しい整数である。
【０１６６】
オプションで、第１ＭＣＳテーブルのＭＣＳレベル指標ｆに対応する変調スキームは、第２ＭＣＳテーブルのＭＣＳレベル指標ｆ＋１に対応する変調スキームと同じであり、第１ＭＣＳテーブルのＭＣＳレベル指標ｈに対応する変調スキームは、第２ＭＣＳテーブルのＭＣＳレベル指標ｈ＋２に対応する変調スキームと同じであり、ここで、ｆは、０より大きく、またはそれと等しく、８より小さい、または等しい整数であり、ｈは、９より大きく、またはそれと等しく、２６より小さい、または等しい整数であり、または、第１ＭＣＳテーブルのＭＣＳレベル指標ｉに対応する変調スキームは、第２ＭＣＳテーブルのＭＣＳレベル指標ｉに対応する変調スキームと同じであり、第１ＭＣＳテーブルのＭＣＳレベル指標ｇに対応する変調スキームは、第２ＭＣＳテーブルのＭＣＳレベル指標ｇ＋１に対応する変調スキームと同じであり、第１ＭＣＳテーブルのＭＣＳレベル指標ｋに対応する変調スキームは、第２ＭＣＳテーブルのＭＣＳレベル指標ｋ＋２に対応する変調スキームと同じであり、ここで、ｉは、０より大きく、またはそれと等しく、９より小さい、またはそれと等しい整数であり、ｇは、１０より大きく、またはそれと等しく、１５より小さい、または等しい整数であり、ｋは、１６より大きく、またはそれと等しく、２６より小さい、または等しい整数であり、または、第１ＭＣＳテーブルのＭＣＳレベル指標ｍに対応する変調スキームは、第２ＭＣＳテーブルのＭＣＳレベル指標ｍ＋１に対応する変調スキームと同じであり、第１ＭＣＳテーブルのＭＣＳレベル指標ｎに対応する変調スキームは、第２ＭＣＳテーブルのＭＣＳレベル指標ｎ＋２に対応する変調スキームと同じであり、ここで、ｍは、０より大きく、またはそれと等しく、１５より小さい、または等しい整数であり、ｎは、１６より大きく、またはそれと等しく、２６より小さい、または等しい整数である。
【０１６７】
オプションで、第１ＭＣＳテーブルのＭＣＳレベル指標２７および２８に対応する変調スキームは、２５６−ＱＡＭである。
【０１６８】
オプションで、第１ＭＣＳテーブルのＭＣＳレベル指標ｐに対応するＴＢＳは、第２ＭＣＳテーブルのＭＣＳレベル指標ｐ＋１に対応するＴＢＳと同じであり、第１ＭＣＳテーブルのＭＣＳレベル指標ｘに対応するＴＢＳは、第２ＭＣＳテーブルのＭＣＳレベル指標ｘ＋２に対応するＴＢＳと同じであり、第１ＭＣＳテーブルのＭＣＳレベル指標ｙに対応するＴＢＳは、第２ＭＣＳテーブルのＭＣＳレベル指標ｙ＋３に対応するＴＢＳと同じであり、ここで、ｐは、０より大きく、またはそれと等しく、８より小さい、または等しい整数であり、ｘは、９より大きく、またはそれと等しく、１４より小さい、または等しい整数であり、ｙは、１５より大きく、またはそれと等しく、２５より小さい、または等しい整数である。
【０１６９】
オプションで、第１ＭＣＳテーブルのＭＣＳレベル指標ｐに対応する変調スキームは、第２ＭＣＳテーブルのＭＣＳレベル指標ｐ＋１に対応する変調スキームと同じであり、第１ＭＣＳテーブルのＭＣＳレベル指標ｘに対応する変調スキームは、第２ＭＣＳテーブルのＭＣＳレベル指標ｘ＋２に対応する変調スキームと同じであり、第１ＭＣＳテーブルのＭＣＳレベル指標ｙに対応する変調スキームは、第２ＭＣＳテーブルのＭＣＳレベル指標ｙ＋３に対応する変調スキームと同じであり、ここで、ｐは、０より大きく、またはそれと等しく、８より小さい、または等しい整数であり、ｘは、９より大きく、またはそれと等しく、１４より小さい、または等しい整数であり、ｙは、１５より大きく、またはそれと等しく、２５より小さい、または等しい整数である。
【０１７０】
オプションで、第１ＭＣＳテーブルのＭＣＳレベル指標２６、２７および２８に対応する変調スキームは、２５６−ＱＡＭである。
【０１７１】
本願発明の本実施形態に係る基地局３００は、本願発明の実施形態におけるデータ送信方法における基地局に対応し得ることが理解されるべきであり、簡潔にすることを目的として、詳細は本明細書において再び説明されていない。
【０１７２】
ゆえに、本願発明の複数の実施形態において、基地局は、少なくとも２つのＭＣＳテーブルから１つのＭＣＳテーブルを選択してＭＣＳを判断し、少なくとも２つのＴＢＳテーブルから１つのＴＢＳテーブルを選択してＴＢＳを判断する。比較的多くの選択機会があり、特定的に対応している複数のＭＣＳテーブルおよび複数のＴＢＳテーブルが異なるユーザ機器属性に特定的に選択され得るので、システムの周波数スペクトル効率は比較的高くなり得、システムスループットは比較的高い。少なくとも２つのＭＣＳテーブルに存在している少なくとも１つのＭＣＳテーブルは２５６−ＱＡＭに対応するＭＣＳを含み、ゆえに、ユーザ機器のサービスデータのために比較的高い変調スキームを用いる必要があるとき、基地局は、２５６−ＱＡＭに対応するＭＣＳを含むＭＣＳテーブルを選択してＭＣＳを判断し得る。これにより、システムの周波数スペクトル効率をさらに改善し得、システムスループットをさらに改善し得る。
【０１７３】
図５は、本願発明の実施形態に係るユーザ機器４００の概略ブロック図である。図５に示されているように、ユーザ機器４００は、少なくとも２つの変調符号化スキームＭＣＳテーブルから１つのＭＣＳテーブルを選択してＭＣＳを判断し、少なくとも２つのトランスポートブロックサイズＴＢＳテーブルから１つのＴＢＳテーブルを選択してＴＢＳを判断するよう構成された選択および判断ユニット４１０であり、少なくとも２つのＭＣＳテーブルのうち少なくとも１つのＭＣＳテーブルは、２５６−ＱＡＭに対応するＭＣＳを含む、選択および判断ユニット４１０と、判断されたＭＣＳと判断されたＴＢＳとに基づき、基地局により送信されたサービスデータを取得するよう構成された取得ユニット４２０とを含む。
【０１７４】
オプションで、取得ユニット４２０はさらに、基地局により送信されたインジケーション情報を受信するよう構成され、インジケーション情報は、選択された１つのＭＣＳテーブルおよび／または選択された１つのＴＢＳテーブルについての情報を示すのに用いられ、選択および判断ユニット４１０は具体的には、インジケーション情報に従って、少なくとも２つのＭＣＳテーブルから１つのＭＣＳテーブルを選択してＭＣＳを判断し、少なくとも２つのトランスポートブロックサイズＴＢＳテーブルから１つのＴＢＳテーブルを選択してＴＢＳを判断するよう構成される。
【０１７５】
オプションで、少なくとも２つのＭＣＳテーブルは第１ＭＣＳテーブルおよび第２ＭＣＳテーブルを含み、少なくとも２つのＴＢＳテーブルは第１ＴＢＳテーブルおよび第２ＴＢＳテーブルを含み、第１ＭＣＳテーブルは第１ＴＢＳテーブルと協同し、第２ＭＣＳテーブルは第２ＴＢＳテーブルと協同し、第１ＭＣＳテーブルは２５６−ＱＡＭ変調スキームを含み、および／または、同じＭＣＳレベル指標および同じリソースブロックペアサイズに対応するとき、第１ＴＢＳテーブル内のＴＢＳは、第２ＴＢＳテーブル内のＴＢＳより小さくない。
【０１７６】
オプションで、第１ＭＣＳテーブルおよび第１ＴＢＳテーブルは、ＬＴＥリリース１２に対応し、第２ＭＣＳテーブルおよび第２ＴＢＳテーブルは、ＬＴＥリリース８から１１に対応する。
【０１７７】
オプションで、第１ＭＣＳテーブルのＭＣＳレベル指標ａに対応するＴＢＳは、第２ＭＣＳテーブルのＭＣＳレベル指標ａ＋１に対応するＴＢＳと同じであり、ここで、ａは、０より大きく、またはそれと等しく、２７より小さい、またはそれと等しい整数であり、または、第１ＭＣＳテーブルのＭＣＳレベル指標ｂに対応するＴＢＳは、第２ＭＣＳテーブルのＭＣＳレベル指標ｂに対応するＴＢＳと同じであり、第１ＭＣＳテーブルのＭＣＳレベル指標ｃに対応するＴＢＳは、第２ＭＣＳテーブルのＭＣＳレベル指標ｃ＋１に対応するＴＢＳと同じであり、ここで、ｂは、０より大きく、またはそれと等しく、９より小さい、またはそれと等しい整数であり、ｃは、１０より大きく、またはそれと等しく、２７より小さい、またはそれと等しい整数であり、または、第１ＭＣＳテーブルのＭＣＳレベル指標ｄに対応するＴＢＳは、第２ＭＣＳテーブルのＭＣＳレベル指標ｄに対応するＴＢＳと同じであり、第１ＭＣＳテーブルのＭＣＳレベル指標ｅに対応するＴＢＳは、第２ＭＣＳテーブルのＭＣＳレベル指標ｅ＋１に対応するＴＢＳと同じであり、ここで、ｄは、０より大きく、またはそれと等しく、１６より小さい、またはそれと等しい整数であり、ｅは、１７より大きく、またはそれと等しく、２７より小さい、またはそれと等しい整数である。
【０１７８】
オプションで、第１ＭＣＳテーブルのＭＣＳレベル指標ａに対応する変調スキームは、第２ＭＣＳテーブルのＭＣＳレベル指標ａ＋１に対応する変調スキームと同じであり、ここで、ａは、０より大きく、またはそれと等しく、２７より小さい、またはそれと等しい整数であり、または、第１ＭＣＳテーブルのＭＣＳレベル指標ｂに対応する変調スキームは、第２ＭＣＳテーブルのＭＣＳレベル指標ｂに対応する変調スキームと同じであり、第１ＭＣＳテーブルのＭＣＳレベル指標ｃに対応する変調スキームは、第２ＭＣＳテーブルのＭＣＳレベル指標ｃ＋１に対応する変調スキームと同じであり、ここで、ｂは、０より大きく、またはそれと等しく、９より小さい、またはそれと等しい整数であり、ｃは、１０より大きく、またはそれと等しく、２７より小さい、またはそれと等しい整数であり、または、第１ＭＣＳテーブルのＭＣＳレベル指標ｄに対応する変調スキームは、第２ＭＣＳテーブルのＭＣＳレベル指標ｄに対応する変調スキームと同じであり、第１ＭＣＳテーブルのＭＣＳレベル指標ｅに対応する変調スキームは、第２ＭＣＳテーブルのＭＣＳレベル指標ｅ＋１に対応する変調スキームと同じであり、ここで、ｄは、０より大きく、またはそれと等しく、１６より小さい、またはそれと等しい整数であり、ｅは、１７より大きく、またはそれと等しく、２７より小さい、またはそれと等しい整数である。
【０１７９】
オプションで、第１ＭＣＳテーブルのＭＣＳレベル指標２８に対応する変調スキームは、２５６−ＱＡＭである。
【０１８０】
オプションで、第１ＭＣＳテーブルのＭＣＳレベル指標ｆに対応するＴＢＳは、第２ＭＣＳテーブルのＭＣＳレベル指標ｆ＋１に対応するＴＢＳと同じであり、第１ＭＣＳテーブルのＭＣＳレベル指標ｈに対応するＴＢＳは、第２ＭＣＳテーブルのＭＣＳレベル指標ｈ＋２に対応するＴＢＳと同じであり、ここで、ｆは、０より大きく、またはそれと等しく、８より小さい、または等しい整数であり、ｈは、９より大きく、またはそれと等しく、２６より小さい、または等しい整数であり、または、第１ＭＣＳテーブルのＭＣＳレベル指標ｉに対応するＴＢＳは、第２ＭＣＳテーブルのＭＣＳレベル指標ｉに対応するＴＢＳと同じであり、第１ＭＣＳテーブルのＭＣＳレベル指標ｇに対応するＴＢＳは、第２ＭＣＳテーブルのＭＣＳレベル指標ｇ＋１に対応するＴＢＳと同じであり、第１ＭＣＳテーブルのＭＣＳレベル指標ｋに対応するＴＢＳは、第２ＭＣＳテーブルのＭＣＳレベル指標ｋ＋２に対応するＴＢＳと同じであり、ここで、ｉは、０より大きく、またはそれと等しく、９より小さい、またはそれと等しい整数であり、ｇは、１０より大きく、またはそれと等しく、１５より小さい、または等しい整数であり、ｋは、１６より大きく、またはそれと等しく、２６より小さい、または等しい整数であり、または、第１ＭＣＳテーブルのＭＣＳレベル指標ｍに対応するＴＢＳは、第２ＭＣＳテーブルのＭＣＳレベル指標ｍ＋１に対応するＴＢＳと同じであり、第１ＭＣＳテーブルのＭＣＳレベル指標ｎに対応するＴＢＳは、第２ＭＣＳテーブルのＭＣＳレベル指標ｎ＋２に対応するＴＢＳと同じであり、ここで、ｍは、０より大きく、またはそれと等しく、１５より小さい、または等しい整数であり、ｎは、１６より大きく、またはそれと等しく、２６より小さい、または等しい整数である。
【０１８１】
オプションで、第１ＭＣＳテーブルのＭＣＳレベル指標ｆに対応する変調スキームは、第２ＭＣＳテーブルのＭＣＳレベル指標ｆ＋１に対応する変調スキームと同じであり、第１ＭＣＳテーブルのＭＣＳレベル指標ｈに対応する変調スキームは、第２ＭＣＳテーブルのＭＣＳレベル指標ｈ＋２に対応する変調スキームと同じであり、ここで、ｆは、０より大きく、またはそれと等しく、８より小さい、または等しい整数であり、ｈは、９より大きく、またはそれと等しく、２６より小さい、または等しい整数であり、または、第１ＭＣＳテーブルのＭＣＳレベル指標ｉに対応する変調スキームは、第２ＭＣＳテーブルのＭＣＳレベル指標ｉに対応する変調スキームと同じであり、第１ＭＣＳテーブルのＭＣＳレベル指標ｇに対応する変調スキームは、第２ＭＣＳテーブルのＭＣＳレベル指標ｇ＋１に対応する変調スキームと同じであり、第１ＭＣＳテーブルのＭＣＳレベル指標ｋに対応する変調スキームは、第２ＭＣＳテーブルのＭＣＳレベル指標ｋ＋２に対応する変調スキームと同じであり、ここで、ｉは、０より大きく、またはそれと等しく、９より小さい、またはそれと等しい整数であり、ｇは、１０より大きく、またはそれと等しく、１５より小さい、または等しい整数であり、ｋは、１６より大きく、またはそれと等しく、２６より小さい、または等しい整数であり、または、第１ＭＣＳテーブルのＭＣＳレベル指標ｍに対応する変調スキームは、第２ＭＣＳテーブルのＭＣＳレベル指標ｍ＋１に対応する変調スキームと同じであり、第１ＭＣＳテーブルのＭＣＳレベル指標ｎに対応する変調スキームは、第２ＭＣＳテーブルのＭＣＳレベル指標ｎ＋２に対応する変調スキームと同じであり、ここで、ｍは、０より大きく、またはそれと等しく、１５より小さい、または等しい整数であり、ｎは、１６より大きく、またはそれと等しく、２６より小さい、または等しい整数である。
【０１８２】
オプションで、第１ＭＣＳテーブルのＭＣＳレベル指標２７および２８に対応する変調スキームは、２５６−ＱＡＭである。
【０１８３】
オプションで、第１ＭＣＳテーブルのＭＣＳレベル指標ｐに対応するＴＢＳは、第２ＭＣＳテーブルのＭＣＳレベル指標ｐ＋１に対応するＴＢＳと同じであり、第１ＭＣＳテーブルのＭＣＳレベル指標ｘに対応するＴＢＳは、第２ＭＣＳテーブルのＭＣＳレベル指標ｘ＋２に対応するＴＢＳと同じであり、第１ＭＣＳテーブルのＭＣＳレベル指標ｙに対応するＴＢＳは、第２ＭＣＳテーブルのＭＣＳレベル指標ｙ＋３に対応するＴＢＳと同じであり、ここで、ｐは、０より大きく、またはそれと等しく、８より小さい、または等しい整数であり、ｘは、９より大きく、またはそれと等しく、１４より小さい、または等しい整数であり、ｙは、１５より大きく、またはそれと等しく、２５より小さい、または等しい整数である。
【０１８４】
オプションで、第１ＭＣＳテーブルのＭＣＳレベル指標ｐに対応する変調スキームは、第２ＭＣＳテーブルのＭＣＳレベル指標ｐ＋１に対応する変調スキームと同じであり、第１ＭＣＳテーブルのＭＣＳレベル指標ｘに対応する変調スキームは、第２ＭＣＳテーブルのＭＣＳレベル指標ｘ＋２に対応する変調スキームと同じであり、第１ＭＣＳテーブルのＭＣＳレベル指標ｙに対応する変調スキームは、第２ＭＣＳテーブルのＭＣＳレベル指標ｙ＋３に対応する変調スキームと同じであり、ここで、ｐは、０より大きく、またはそれと等しく、８より小さい、または等しい整数であり、ｘは、９より大きく、またはそれと等しく、１４より小さい、または等しい整数であり、ｙは、１５より大きく、またはそれと等しく、２５より小さい、または等しい整数である。
【０１８５】
オプションで、第１ＭＣＳテーブルのＭＣＳレベル指標２６、２７および２８に対応する変調スキームは、２５６−ＱＡＭである。
【０１８６】
本願発明の本実施形態に係るユーザ機器４００は、本願発明の実施形態におけるデータ送信方法におけるユーザ機器に対応し得ることが理解されるべきであり、簡潔にすることを目的として、詳細は本明細書において再び説明されていない。
【０１８７】
ゆえに、本願発明の本実施形態において、少なくとも２つのＭＣＳテーブルから１つのＭＣＳテーブルが選択されてＭＣＳが判断され、少なくとも２つのＴＢＳテーブルから１つのＴＢＳテーブルが選択されてＴＢＳが判断される。比較的多くの選択機会があるので、システムの周波数スペクトル効率は比較的高くなり得、システムスループットは比較的高い。少なくとも２つのＭＣＳテーブルに存在している少なくとも１つのＭＣＳテーブルは２５６−ＱＡＭに対応するＭＣＳを含み、ゆえに、ユーザ機器のサービスデータのために比較的高い変調スキームを用いる必要があるとき、基地局は、２５６−ＱＡＭに対応するＭＣＳを含むＭＣＳテーブルを選択してＭＣＳを判断し得る。これにより、システムの周波数スペクトル効率をさらに改善し得、システムスループットをさらに改善し得る。
【０１８８】
図６は、本願発明の実施形態に係る基地局５００の概略ブロック図である。基地局５００は、プロセッサ５１０と、メモリ５２０とを備え、メモリ５２０は、プログラムコードと、少なくとも２つの変調符号化スキームＭＣＳテーブルと、少なくとも２つのトランスポートブロックサイズＴＢＳテーブルとを格納し、プロセッサ５１０は、メモリ５２０内のプログラムコードを呼び出して、少なくとも２つの変調符号化スキームＭＣＳテーブルから１つのＭＣＳテーブルを選択してＭＣＳを判断し、少なくとも２つのＴＢＳテーブルから１つのＴＢＳテーブルを選択してＴＢＳを判断する処理であり、少なくとも２つのＭＣＳテーブルのうち少なくとも１つのＭＣＳテーブルは、２５６直交振幅変調ＱＡＭに対応するＭＣＳを含む処理と、判断されたＭＣＳと判断されたＴＢＳとに基づき、サービスデータをユーザ機器へ送信する処理とを実行するよう構成されている。
【０１８９】
オプションで、プロセッサ５１０は、メモリ５２０内のプログラムコードを呼び出して、具体的には、ユーザ機器が配置されているロングタームエボリューションＬＴＥシステムのリリースを判断する処理と、ユーザ機器が配置されているＬＴＥシステムのリリースに従って、少なくとも２つのＭＣＳテーブルから１つのＭＣＳテーブルを選択し、少なくとも２つのＴＢＳテーブルから１つのＴＢＳテーブルを選択する処理とを実行するよう構成されている。
【０１９０】
オプションで、プロセッサ５１０は、メモリ５２０内のプログラムコードを呼び出して、インジケーション情報をユーザ機器に送信する処理をさらに実行するよう構成され、インジケーション情報は、選択された１つのＭＣＳテーブルおよび／または選択された１つのＴＢＳテーブルについての情報を示すのに用いられる。
【０１９１】
オプションで、少なくとも２つのＭＣＳテーブルは第１ＭＣＳテーブルおよび第２ＭＣＳテーブルを含み、少なくとも２つのＴＢＳテーブルは第１ＴＢＳテーブルおよび第２ＴＢＳテーブルを含み、第１ＭＣＳテーブルは第１ＴＢＳテーブルと協同し、第２ＭＣＳテーブルは第２ＴＢＳテーブルと協同し、第１ＭＣＳテーブルは２５６−ＱＡＭ変調スキームを含み、および／または、同じＭＣＳレベル指標および同じリソースブロックペアサイズに対応するとき、第１ＴＢＳテーブル内のＴＢＳは、第２ＴＢＳテーブル内のＴＢＳより小さくない。
【０１９２】
オプションで、第１ＭＣＳテーブルおよび第１ＴＢＳテーブルは、ＬＴＥリリース１２に対応し、第２ＭＣＳテーブルおよび第２ＴＢＳテーブルは、ＬＴＥリリース８から１１に対応する。
【０１９３】
オプションで、第１ＭＣＳテーブルのＭＣＳレベル指標ａに対応するＴＢＳは、第２ＭＣＳテーブルのＭＣＳレベル指標ａ＋１に対応するＴＢＳと同じであり、ここで、ａは、０より大きく、またはそれと等しく、２７より小さい、またはそれと等しい整数であり、または、第１ＭＣＳテーブルのＭＣＳレベル指標ｂに対応するＴＢＳは、第２ＭＣＳテーブルのＭＣＳレベル指標ｂに対応するＴＢＳと同じであり、第１ＭＣＳテーブルのＭＣＳレベル指標ｃに対応するＴＢＳは、第２ＭＣＳテーブルのＭＣＳレベル指標ｃ＋１に対応するＴＢＳと同じであり、ここで、ｂは、０より大きく、またはそれと等しく、９より小さい、またはそれと等しい整数であり、ｃは、１０より大きく、またはそれと等しく、２７より小さい、またはそれと等しい整数であり、または、第１ＭＣＳテーブルのＭＣＳレベル指標ｄに対応するＴＢＳは、第２ＭＣＳテーブルのＭＣＳレベル指標ｄに対応するＴＢＳと同じであり、第１ＭＣＳテーブルのＭＣＳレベル指標ｅに対応するＴＢＳは、第２ＭＣＳテーブルのＭＣＳレベル指標ｅ＋１に対応するＴＢＳと同じであり、ここで、ｄは、０より大きく、またはそれと等しく、１６より小さい、またはそれと等しい整数であり、ｅは、１７より大きく、またはそれと等しく、２７より小さい、またはそれと等しい整数である。
【０１９４】
オプションで、第１ＭＣＳテーブルのＭＣＳレベル指標ａに対応する変調スキームは、第２ＭＣＳテーブルのＭＣＳレベル指標ａ＋１に対応する変調スキームと同じであり、ここで、ａは、０より大きく、またはそれと等しく、２７より小さい、またはそれと等しい整数であり、または、第１ＭＣＳテーブルのＭＣＳレベル指標ｂに対応する変調スキームは、第２ＭＣＳテーブルのＭＣＳレベル指標ｂに対応する変調スキームと同じであり、第１ＭＣＳテーブルのＭＣＳレベル指標ｃに対応する変調スキームは、第２ＭＣＳテーブルのＭＣＳレベル指標ｃ＋１に対応する変調スキームと同じであり、ここで、ｂは、０より大きく、またはそれと等しく、９より小さい、またはそれと等しい整数であり、ｃは、１０より大きく、またはそれと等しく、２７より小さい、またはそれと等しい整数であり、または、第１ＭＣＳテーブルのＭＣＳレベル指標ｄに対応する変調スキームは、第２ＭＣＳテーブルのＭＣＳレベル指標ｄに対応する変調スキームと同じであり、第１ＭＣＳテーブルのＭＣＳレベル指標ｅに対応する変調スキームは、第２ＭＣＳテーブルのＭＣＳレベル指標ｅ＋１に対応する変調スキームと同じであり、ここで、ｄは、０より大きく、またはそれと等しく、１６より小さい、またはそれと等しい整数であり、ｅは、１７より大きく、またはそれと等しく、２７より小さい、またはそれと等しい整数である。
【０１９５】
オプションで、第１ＭＣＳテーブルのＭＣＳレベル指標２８に対応する変調スキームは、２５６−ＱＡＭである。
【０１９６】
オプションで、第１ＭＣＳテーブルのＭＣＳレベル指標ｆに対応するＴＢＳは、第２ＭＣＳテーブルのＭＣＳレベル指標ｆ＋１に対応するＴＢＳと同じであり、第１ＭＣＳテーブルのＭＣＳレベル指標ｈに対応するＴＢＳは、第２ＭＣＳテーブルのＭＣＳレベル指標ｈ＋２に対応するＴＢＳと同じであり、ここで、ｆは、０より大きく、またはそれと等しく、８より小さい、または等しい整数であり、ｈは、９より大きく、またはそれと等しく、２６より小さい、または等しい整数であり、または、第１ＭＣＳテーブルのＭＣＳレベル指標ｉに対応するＴＢＳは、第２ＭＣＳテーブルのＭＣＳレベル指標ｉに対応するＴＢＳと同じであり、第１ＭＣＳテーブルのＭＣＳレベル指標ｇに対応するＴＢＳは、第２ＭＣＳテーブルのＭＣＳレベル指標ｇ＋１に対応するＴＢＳと同じであり、第１ＭＣＳテーブルのＭＣＳレベル指標ｋに対応するＴＢＳは、第２ＭＣＳテーブルのＭＣＳレベル指標ｋ＋２に対応するＴＢＳと同じであり、ここで、ｉは、０より大きく、またはそれと等しく、９より小さい、またはそれと等しい整数であり、ｇは、１０より大きく、またはそれと等しく、１５より小さい、または等しい整数であり、ｋは、１６より大きく、またはそれと等しく、２６より小さい、または等しい整数であり、または、第１ＭＣＳテーブルのＭＣＳレベル指標ｍに対応するＴＢＳは、第２ＭＣＳテーブルのＭＣＳレベル指標ｍ＋１に対応するＴＢＳと同じであり、第１ＭＣＳテーブルのＭＣＳレベル指標ｎに対応するＴＢＳは、第２ＭＣＳテーブルのＭＣＳレベル指標ｎ＋２に対応するＴＢＳと同じであり、ここで、ｍは、０より大きく、またはそれと等しく、１５より小さい、または等しい整数であり、ｎは、１６より大きく、またはそれと等しく、２６より小さい、または等しい整数である。
【０１９７】
オプションで、第１ＭＣＳテーブルのＭＣＳレベル指標ｆに対応する変調スキームは、第２ＭＣＳテーブルのＭＣＳレベル指標ｆ＋１に対応する変調スキームと同じであり、第１ＭＣＳテーブルのＭＣＳレベル指標ｈに対応する変調スキームは、第２ＭＣＳテーブルのＭＣＳレベル指標ｈ＋２に対応する変調スキームと同じであり、ここで、ｆは、０より大きく、またはそれと等しく、８より小さい、または等しい整数であり、ｈは、９より大きく、またはそれと等しく、２６より小さい、または等しい整数であり、または、第１ＭＣＳテーブルのＭＣＳレベル指標ｉに対応する変調スキームは、第２ＭＣＳテーブルのＭＣＳレベル指標ｉに対応する変調スキームと同じであり、第１ＭＣＳテーブルのＭＣＳレベル指標ｇに対応する変調スキームは、第２ＭＣＳテーブルのＭＣＳレベル指標ｇ＋１に対応する変調スキームと同じであり、第１ＭＣＳテーブルのＭＣＳレベル指標ｋに対応する変調スキームは、第２ＭＣＳテーブルのＭＣＳレベル指標ｋ＋２に対応する変調スキームと同じであり、ここで、ｉは、０より大きく、またはそれと等しく、９より小さい、またはそれと等しい整数であり、ｇは、１０より大きく、またはそれと等しく、１５より小さい、または等しい整数であり、ｋは、１６より大きく、またはそれと等しく、２６より小さい、または等しい整数であり、または、第１ＭＣＳテーブルのＭＣＳレベル指標ｍに対応する変調スキームは、第２ＭＣＳテーブルのＭＣＳレベル指標ｍ＋１に対応する変調スキームと同じであり、第１ＭＣＳテーブルのＭＣＳレベル指標ｎに対応する変調スキームは、第２ＭＣＳテーブルのＭＣＳレベル指標ｎ＋２に対応する変調スキームと同じであり、ここで、ｍは、０より大きく、またはそれと等しく、１５より小さい、または等しい整数であり、ｎは、１６より大きく、またはそれと等しく、２６より小さい、または等しい整数である。
【０１９８】
オプションで、第１ＭＣＳテーブルのＭＣＳレベル指標２７および２８に対応する変調スキームは、２５６−ＱＡＭである。
【０１９９】
オプションで、第１ＭＣＳテーブルのＭＣＳレベル指標ｐに対応するＴＢＳは、第２ＭＣＳテーブルのＭＣＳレベル指標ｐ＋１に対応するＴＢＳと同じであり、第１ＭＣＳテーブルのＭＣＳレベル指標ｘに対応するＴＢＳは、第２ＭＣＳテーブルのＭＣＳレベル指標ｘ＋２に対応するＴＢＳと同じであり、第１ＭＣＳテーブルのＭＣＳレベル指標ｙに対応するＴＢＳは、第２ＭＣＳテーブルのＭＣＳレベル指標ｙ＋３に対応するＴＢＳと同じであり、ここで、ｐは、０より大きく、またはそれと等しく、８より小さい、または等しい整数であり、ｘは、９より大きく、またはそれと等しく、１４より小さい、または等しい整数であり、ｙは、１５より大きく、またはそれと等しく、２５より小さい、または等しい整数である。
【０２００】
オプションで、第１ＭＣＳテーブルのＭＣＳレベル指標ｐに対応する変調スキームは、第２ＭＣＳテーブルのＭＣＳレベル指標ｐ＋１に対応する変調スキームと同じであり、第１ＭＣＳテーブルのＭＣＳレベル指標ｘに対応する変調スキームは、第２ＭＣＳテーブルのＭＣＳレベル指標ｘ＋２に対応する変調スキームと同じであり、第１ＭＣＳテーブルのＭＣＳレベル指標ｙに対応する変調スキームは、第２ＭＣＳテーブルのＭＣＳレベル指標ｙ＋３に対応する変調スキームと同じであり、ここで、ｐは、０より大きく、またはそれと等しく、８より小さい、または等しい整数であり、ｘは、９より大きく、またはそれと等しく、１４より小さい、または等しい整数であり、ｙは、１５より大きく、またはそれと等しく、２５より小さい、または等しい整数である。
【０２０１】
オプションで、第１ＭＣＳテーブルのＭＣＳレベル指標２６、２７および２８に対応する変調スキームは、２５６−ＱＡＭである。
【０２０２】
本願発明の本実施形態に係る基地局５００は、本願発明の実施形態におけるデータ送信方法における基地局に対応し得ることが理解されるべきであり、簡潔にすることを目的として、詳細は本明細書において再び説明されていない。
【０２０３】
ゆえに、本願発明の本実施形態において、基地局は、少なくとも２つのＭＣＳテーブルから１つのＭＣＳテーブルを選択してＭＣＳを判断し、少なくとも２つのＴＢＳテーブルから１つのＴＢＳテーブルを選択してＴＢＳを判断する。比較的多くの選択機会があり、特定的に対応している複数のＭＣＳテーブルおよび複数のＴＢＳテーブルが異なるユーザ機器属性に特定的に選択され得るので、システムの周波数スペクトル効率は比較的高くなり得、システムスループットは比較的高い。少なくとも２つのＭＣＳテーブルに存在している少なくとも１つのＭＣＳテーブルは２５６−ＱＡＭに対応するＭＣＳを含み、ゆえに、ユーザ機器のサービスデータのために比較的高い変調スキームを用いる必要があるとき、基地局は、２５６−ＱＡＭに対応するＭＣＳを含むＭＣＳテーブルを選択してＭＣＳを判断し得る。これにより、システムの周波数スペクトル効率をさらに改善し得、システムスループットをさらに改善し得る。
【０２０４】
図７は、本願発明の実施形態に係るユーザ機器６００の概略ブロック図である。図７に示されているように、ユーザ機器６００は、プロセッサ６１０と、メモリ６２０とを備え、メモリ６２０は、プログラムコードと、少なくとも２つの変調符号化スキームＭＣＳテーブルと、少なくとも２つのトランスポートブロックサイズＴＢＳテーブルとを格納し、プロセッサ６１０は、メモリ６２０内のプログラムコードを呼び出して、少なくとも２つの変調符号化スキームＭＣＳテーブルから１つのＭＣＳテーブルを選択してＭＣＳを判断し、少なくとも２つのトランスポートブロックサイズＴＢＳテーブルから１つのＴＢＳテーブルを選択してＴＢＳを判断する処理であり、少なくとも２つのＭＣＳテーブルのうち少なくとも１つのＭＣＳテーブルは、２５６−ＱＡＭに対応するＭＣＳを含む処理と、判断されたＭＣＳと判断されたＴＢＳとに基づき、基地局により送信されたサービスデータを取得する処理とを実行するよう構成されている。
【０２０５】
オプションで、プロセッサ６１０はメモリ６２０内のプログラムコードを呼び出して、具体的には、基地局により送信されたインジケーション情報を受信する処理であり、インジケーション情報は、選択された１つのＭＣＳテーブルおよび／または選択された１つのＴＢＳテーブルについての情報を示すのに用いられる処理と、インジケーション情報に従って、少なくとも２つのＭＣＳテーブルから１つのＭＣＳテーブルを選択してＭＣＳを判断し、少なくとも２つのトランスポートブロックサイズＴＢＳテーブルから１つのＴＢＳテーブルを選択してＴＢＳを判断する処理とを実行するよう構成されている。
【０２０６】
オプションで、少なくとも２つのＭＣＳテーブルは第１ＭＣＳテーブルおよび第２ＭＣＳテーブルを含み、少なくとも２つのＴＢＳテーブルは第１ＴＢＳテーブルおよび第２ＴＢＳテーブルを含み、第１ＭＣＳテーブルは第１ＴＢＳテーブルと協同し、第２ＭＣＳテーブルは第２ＴＢＳテーブルと協同し、第１ＭＣＳテーブルは２５６−ＱＡＭ変調スキームを含み、および／または、同じＭＣＳレベル指標および同じリソースブロックペアサイズに対応するとき、第１ＴＢＳテーブル内のＴＢＳは、第２ＴＢＳテーブル内のＴＢＳより小さくない。
【０２０７】
オプションで、第１ＭＣＳテーブルおよび第１ＴＢＳテーブルは、ＬＴＥリリース１２に対応し、第２ＭＣＳテーブルおよび第２ＴＢＳテーブルは、ＬＴＥリリース８から１１に対応する。
【０２０８】
オプションで、第１ＭＣＳテーブルのＭＣＳレベル指標ａに対応するＴＢＳは、第２ＭＣＳテーブルのＭＣＳレベル指標ａ＋１に対応するＴＢＳと同じであり、ここで、ａは、０より大きく、またはそれと等しく、２７より小さい、またはそれと等しい整数であり、または、第１ＭＣＳテーブルのＭＣＳレベル指標ｂに対応するＴＢＳは、第２ＭＣＳテーブルのＭＣＳレベル指標ｂに対応するＴＢＳと同じであり、第１ＭＣＳテーブルのＭＣＳレベル指標ｃに対応するＴＢＳは、第２ＭＣＳテーブルのＭＣＳレベル指標ｃ＋１に対応するＴＢＳと同じであり、ここで、ｂは、０より大きく、またはそれと等しく、９より小さい、またはそれと等しい整数であり、ｃは、１０より大きく、またはそれと等しく、２７より小さい、またはそれと等しい整数であり、または、第１ＭＣＳテーブルのＭＣＳレベル指標ｄに対応するＴＢＳは、第２ＭＣＳテーブルのＭＣＳレベル指標ｄに対応するＴＢＳと同じであり、第１ＭＣＳテーブルのＭＣＳレベル指標ｅに対応するＴＢＳは、第２ＭＣＳテーブルのＭＣＳレベル指標ｅ＋１に対応するＴＢＳと同じであり、ここで、ｄは、０より大きく、またはそれと等しく、１６より小さい、またはそれと等しい整数であり、ｅは、１７より大きく、またはそれと等しく、２７より小さい、またはそれと等しい整数である。
【０２０９】
オプションで、第１ＭＣＳテーブルのＭＣＳレベル指標ａに対応する変調スキームは、第２ＭＣＳテーブルのＭＣＳレベル指標ａ＋１に対応する変調スキームと同じであり、ここで、ａは、０より大きく、またはそれと等しく、２７より小さい、またはそれと等しい整数であり、または、第１ＭＣＳテーブルのＭＣＳレベル指標ｂに対応する変調スキームは、第２ＭＣＳテーブルのＭＣＳレベル指標ｂに対応する変調スキームと同じであり、第１ＭＣＳテーブルのＭＣＳレベル指標ｃに対応する変調スキームは、第２ＭＣＳテーブルのＭＣＳレベル指標ｃ＋１に対応する変調スキームと同じであり、ここで、ｂは、０より大きく、またはそれと等しく、９より小さい、またはそれと等しい整数であり、ｃは、１０より大きく、またはそれと等しく、２７より小さい、またはそれと等しい整数であり、または、第１ＭＣＳテーブルのＭＣＳレベル指標ｄに対応する変調スキームは、第２ＭＣＳテーブルのＭＣＳレベル指標ｄに対応する変調スキームと同じであり、第１ＭＣＳテーブルのＭＣＳレベル指標ｅに対応する変調スキームは、第２ＭＣＳテーブルのＭＣＳレベル指標ｅ＋１に対応する変調スキームと同じであり、ここで、ｄは、０より大きく、またはそれと等しく、１６より小さい、またはそれと等しい整数であり、ｅは、１７より大きく、またはそれと等しく、２７より小さい、またはそれと等しい整数である。
【０２１０】
オプションで、第１ＭＣＳテーブルのＭＣＳレベル指標２８に対応する変調スキームは、２５６−ＱＡＭである。
【０２１１】
オプションで、第１ＭＣＳテーブルのＭＣＳレベル指標ｆに対応するＴＢＳは、第２ＭＣＳテーブルのＭＣＳレベル指標ｆ＋１に対応するＴＢＳと同じであり、第１ＭＣＳテーブルのＭＣＳレベル指標ｈに対応するＴＢＳは、第２ＭＣＳテーブルのＭＣＳレベル指標ｈ＋２に対応するＴＢＳと同じであり、ここで、ｆは、０より大きく、またはそれと等しく、８より小さい、または等しい整数であり、ｈは、９より大きく、またはそれと等しく、２６より小さい、または等しい整数であり、または、第１ＭＣＳテーブルのＭＣＳレベル指標ｉに対応するＴＢＳは、第２ＭＣＳテーブルのＭＣＳレベル指標ｉに対応するＴＢＳと同じであり、第１ＭＣＳテーブルのＭＣＳレベル指標ｇに対応するＴＢＳは、第２ＭＣＳテーブルのＭＣＳレベル指標ｇ＋１に対応するＴＢＳと同じであり、第１ＭＣＳテーブルのＭＣＳレベル指標ｋに対応するＴＢＳは、第２ＭＣＳテーブルのＭＣＳレベル指標ｋ＋２に対応するＴＢＳと同じであり、ここで、ｉは、０より大きく、またはそれと等しく、９より小さい、またはそれと等しい整数であり、ｇは、１０より大きく、またはそれと等しく、１５より小さい、または等しい整数であり、ｋは、１６より大きく、またはそれと等しく、２６より小さい、または等しい整数であり、または、第１ＭＣＳテーブルのＭＣＳレベル指標ｍに対応するＴＢＳは、第２ＭＣＳテーブルのＭＣＳレベル指標ｍ＋１に対応するＴＢＳと同じであり、第１ＭＣＳテーブルのＭＣＳレベル指標ｎに対応するＴＢＳは、第２ＭＣＳテーブルのＭＣＳレベル指標ｎ＋２に対応するＴＢＳと同じであり、ここで、ｍは、０より大きく、またはそれと等しく、１５より小さい、または等しい整数であり、ｎは、１６より大きく、またはそれと等しく、２６より小さい、または等しい整数である。
【０２１２】
オプションで、第１ＭＣＳテーブルのＭＣＳレベル指標ｆに対応する変調スキームは、第２ＭＣＳテーブルのＭＣＳレベル指標ｆ＋１に対応する変調スキームと同じであり、第１ＭＣＳテーブルのＭＣＳレベル指標ｈに対応する変調スキームは、第２ＭＣＳテーブルのＭＣＳレベル指標ｈ＋２に対応する変調スキームと同じであり、ここで、ｆは、０より大きく、またはそれと等しく、８より小さい、または等しい整数であり、ｈは、９より大きく、またはそれと等しく、２６より小さい、または等しい整数であり、または、第１ＭＣＳテーブルのＭＣＳレベル指標ｉに対応する変調スキームは、第２ＭＣＳテーブルのＭＣＳレベル指標ｉに対応する変調スキームと同じであり、第１ＭＣＳテーブルのＭＣＳレベル指標ｇに対応する変調スキームは、第２ＭＣＳテーブルのＭＣＳレベル指標ｇ＋１に対応する変調スキームと同じであり、第１ＭＣＳテーブルのＭＣＳレベル指標ｋに対応する変調スキームは、第２ＭＣＳテーブルのＭＣＳレベル指標ｋ＋２に対応する変調スキームと同じであり、ここで、ｉは、０より大きく、またはそれと等しく、９より小さい、またはそれと等しい整数であり、ｇは、１０より大きく、またはそれと等しく、１５より小さい、または等しい整数であり、ｋは、１６より大きく、またはそれと等しく、２６より小さい、または等しい整数であり、または、第１ＭＣＳテーブルのＭＣＳレベル指標ｍに対応する変調スキームは、第２ＭＣＳテーブルのＭＣＳレベル指標ｍ＋１に対応する変調スキームと同じであり、第１ＭＣＳテーブルのＭＣＳレベル指標ｎに対応する変調スキームは、第２ＭＣＳテーブルのＭＣＳレベル指標ｎ＋２に対応する変調スキームと同じであり、ここで、ｍは、０より大きく、またはそれと等しく、１５より小さい、または等しい整数であり、ｎは、１６より大きく、またはそれと等しく、２６より小さい、または等しい整数である。
【０２１３】
オプションで、第１ＭＣＳテーブルのＭＣＳレベル指標２７および２８に対応する変調スキームは、２５６−ＱＡＭである。
【０２１４】
オプションで、第１ＭＣＳテーブルのＭＣＳレベル指標ｐに対応するＴＢＳは、第２ＭＣＳテーブルのＭＣＳレベル指標ｐ＋１に対応するＴＢＳと同じであり、第１ＭＣＳテーブルのＭＣＳレベル指標ｘに対応するＴＢＳは、第２ＭＣＳテーブルのＭＣＳレベル指標ｘ＋２に対応するＴＢＳと同じであり、第１ＭＣＳテーブルのＭＣＳレベル指標ｙに対応するＴＢＳは、第２ＭＣＳテーブルのＭＣＳレベル指標ｙ＋３に対応するＴＢＳと同じであり、ここで、ｐは、０より大きく、またはそれと等しく、８より小さい、または等しい整数であり、ｘは、９より大きく、またはそれと等しく、１４より小さい、または等しい整数であり、ｙは、１５より大きく、またはそれと等しく、２５より小さい、または等しい整数である。
【０２１５】
オプションで、第１ＭＣＳテーブルのＭＣＳレベル指標ｐに対応する変調スキームは、第２ＭＣＳテーブルのＭＣＳレベル指標ｐ＋１に対応する変調スキームと同じであり、第１ＭＣＳテーブルのＭＣＳレベル指標ｘに対応する変調スキームは、第２ＭＣＳテーブルのＭＣＳレベル指標ｘ＋２に対応する変調スキームと同じであり、第１ＭＣＳテーブルのＭＣＳレベル指標ｙに対応する変調スキームは、第２ＭＣＳテーブルのＭＣＳレベル指標ｙ＋３に対応する変調スキームと同じであり、ここで、ｐは、０より大きく、またはそれと等しく、８より小さい、または等しい整数であり、ｘは、９より大きく、またはそれと等しく、１４より小さい、または等しい整数であり、ｙは、１５より大きく、またはそれと等しく、２５より小さい、または等しい整数である。
【０２１６】
オプションで、第１ＭＣＳテーブルのＭＣＳレベル指標２６、２７および２８に対応する変調スキームは、２５６−ＱＡＭである。
【０２１７】
本願発明の本実施形態に係るユーザ機器６００は、本願発明の実施形態におけるデータ送信方法におけるユーザ機器に対応し得ることが理解されるべきであり、簡潔にすることを目的として、詳細は本明細書において再び説明されていない。
【０２１８】
ゆえに、本願発明の本実施形態において、少なくとも２つのＭＣＳテーブルから１つのＭＣＳテーブルが選択されてＭＣＳが判断され、少なくとも２つのＴＢＳテーブルから１つのＴＢＳテーブルが選択されてＴＢＳが判断される。比較的多くの選択機会があるので、システムの周波数スペクトル効率は比較的高くなり得、システムスループットは比較的高い。少なくとも２つのＭＣＳテーブルに存在している少なくとも１つのＭＣＳテーブルは２５６−ＱＡＭに対応するＭＣＳを含み、ゆえに、ユーザ機器のサービスデータのために比較的高い変調スキームを用いる必要があるとき、基地局は、２５６−ＱＡＭに対応するＭＣＳを含むＭＣＳテーブルを選択してＭＣＳを判断し得る。これにより、システムの周波数スペクトル効率をさらに改善し得、システムスループットをさらに改善し得る。
【０２１９】
当業者は、本明細書に開示されている複数の実施形態を参照して説明されている例示的な複数のユニットおよびアルゴリズム段階が、電子ハードウェア、またはコンピュータソフトウェアと電子ハードウェアとの組み合わせにより実装され得ることを認識するかもしれない。それらの機能がハードウェアにより実行されるかソフトウェアにより実行されるかは、複数の技術的解決法の特定の複数の応用および複数の設計的制約条件次第である。当業者は、説明されている複数の機能を、それぞれの特定の応用のために実装するべく異なる複数の方法を用い得るが、その実装が本願発明の範囲を超えるものとして見なされるべきではない。
【０２２０】
簡便かつ簡潔な説明をする目的で、上述のシステム、装置、およびユニットの詳細な動作処理は、上述の方法の複数の実施形態における対応する処理を指すことが当業者により明確に理解され得、詳細は本明細書で再び説明されていない。
【０２２１】
本願において提供されているいくつかの実施形態において、開示されたシステム、装置、および方法は他の複数のやり方で実装され得ることが理解されるべきである。例えば、説明されている装置の複数の実施形態は単に例示的なものである。例えば、ユニットの区分けは、単に論理的な機能の区分けであり、実際の実装においては他の区分けであり得る。例えば、複数のユニットまたは構成要素が、他のシステムと組み合わせられるか、もしくはそれに統合され得、または、いくつかの機能は無視され、または実行され得ない。加えて、表示された、または議論された複数の相互結合または複数の直接結合または複数の通信接続は、いくつかのインタフェースを用いることにより実装され得る。複数の装置間または複数のユニット間の複数の間接結合または複数の通信接続は電子的、機械的、または他の複数の形態で実装され得る。
【０２２２】
別個の複数の部分として説明されている複数のユニットは、物理的に別個であってもよく、または別個でなくてもよく、複数のユニットとして表示されている複数の部分は、複数の物理的なユニットであってもよく、または複数の物理的なユニットでなくもよく、１つの位置に配置されてもよく、または、複数のネットワークユニット上で分散させられてよい。複数のユニットのいくつかまたは全ては、複数の実施形態の複数の解決法の複数の目的を達成するための、実際の要求に従って選択され得る。
【０２２３】
加えて、本願発明の複数の実施形態における複数の機能ユニットは、１つの処理ユニットに統合され得るか、または、複数のユニットのそれぞれは物理的に単独で存在し得、または、２つ以上のユニットが１つのユニットに統合される。
【０２２４】
複数の機能がソフトウェア機能ユニットの形態で実装され、独立した製品として販売または用いられる場合、それら機能はコンピュータ可読記憶媒体に格納され得る。そのような理解に基づき、本願発明の複数の技術的解決法は基本的に、または従来技術に寄与する一部、または複数の技術的解決法のうちのいくつかは、ソフトウェア製品の形態で実装され得る。コンピュータソフトウェア製品は記憶媒体に格納され、本願発明の複数の実施形態において説明された複数の方法の複数の段階の全てまたはいくつかを実行するよう、（パーソナルコンピュータ、サーバ、またはネットワークデバイスであり得る）コンピュータデバイスに命令するためのいくつかの命令を含む。上述の記憶媒体は、ＵＳＢフラッシュドライブ、ポータブルハードドライブ、読み取り専用メモリ（ＲＯＭ，Ｒｅａｄ−Ｏｎｌｙ  Ｍｅｍｏｒｙ）、ランダムアクセスメモリ（ＲＡＭ，Ｒａｎｄｏｍ  Ａｃｃｅｓｓ  Ｍｅｍｏｒｙ）、磁気ディスク、または光ディスクなどの、プログラムコードを格納できる任意の媒体を含む。
【０２２５】
上述の説明は、本願発明の単に特定の複数の実施形態であるが、本願発明の保護範囲を限定することは意図されていない。本願発明において開示されている技術的範囲内で当業者により容易に理解される何らかの変形例および置換例は、本願発明の保護範囲に含まれる。ゆえに、本願発明の保護範囲は、特許請求項の保護範囲となる。
（項目１）
少なくとも２つの変調符号化スキームＭＣＳテーブルから１つのＭＣＳテーブルを選択してＭＣＳを判断し、少なくとも２つのトランスポートブロックサイズＴＢＳテーブルから１つのＴＢＳテーブルを選択してＴＢＳを判断する段階であり、上記少なくとも２つのＭＣＳテーブルのうち少なくとも１つのＭＣＳテーブルは、２５６直交振幅変調ＱＡＭに対応するＭＣＳを含む、段階と、
判断された上記ＭＣＳと判断された上記ＴＢＳとに基づき、サービスデータをユーザ機器へ送信する段階と
を備えるデータ送信方法。
（項目２）
少なくとも２つの変調符号化スキームＭＣＳテーブルから１つのＭＣＳテーブルを選択してＭＣＳを判断し、少なくとも２つのトランスポートブロックサイズＴＢＳテーブルから１つのＴＢＳテーブルを選択してＴＢＳを判断する上記段階は、
上記ユーザ機器が配置されているロングタームエボリューションＬＴＥシステムのリリースを判断する段階と、
上記ユーザ機器が配置されている上記ＬＴＥシステムの上記リリースに従って、上記少なくとも２つのＭＣＳテーブルから上記１つのＭＣＳテーブルを選択し、上記少なくとも２つのＴＢＳテーブルから上記１つのＴＢＳテーブルを選択する段階と
を有する、項目１に記載のデータ送信方法。
（項目３）
サービスデータをユーザ機器へ送信する上記段階の前に、インジケーション情報を上記ユーザ機器へ送信する段階であり、上記インジケーション情報は、選択された上記１つのＭＣＳテーブルおよび／または選択された上記１つのＴＢＳテーブルについての情報を示すのに用いられる、段階をさらに備える、項目１または２に記載のデータ送信方法。
（項目４）
上記少なくとも２つのＭＣＳテーブルは第１ＭＣＳテーブルおよび第２ＭＣＳテーブルを含み、上記少なくとも２つのＴＢＳテーブルは第１ＴＢＳテーブルおよび第２ＴＢＳテーブルを含み、上記第１ＭＣＳテーブルは上記第１ＴＢＳテーブルと協同し、上記第２ＭＣＳテーブルは上記第２ＴＢＳテーブルと協同し、
上記第１ＭＣＳテーブルは２５６−ＱＡＭ変調スキームを含み、および／または、
同じＭＣＳレベル指標および同じリソースブロックペアサイズに対応するとき、上記第１ＴＢＳテーブル内のＴＢＳは、上記第２ＴＢＳテーブル内のＴＢＳより小さくない、項目１から３のいずれか一項に記載のデータ送信方法。
（項目５）
上記第１ＭＣＳテーブルおよび上記第１ＴＢＳテーブルはＬＴＥリリース１２に対応し、上記第２ＭＣＳテーブルおよび上記第２ＴＢＳテーブルはＬＴＥリリース８から１１に対応する、項目４に記載のデータ送信方法。
（項目６）
上記第１ＭＣＳテーブルのＭＣＳレベル指標ａに対応するＴＢＳは、上記第２ＭＣＳテーブルのＭＣＳレベル指標ａ＋１に対応するＴＢＳと同じであり、ここで、ａは、０より大きく、またはそれと等しく、２７より小さい、またはそれと等しい整数であり、または
上記第１ＭＣＳテーブルのＭＣＳレベル指標ｂに対応するＴＢＳは、上記第２ＭＣＳテーブルのＭＣＳレベル指標ｂに対応するＴＢＳと同じであり、上記第１ＭＣＳテーブルのＭＣＳレベル指標ｃに対応するＴＢＳは、上記第２ＭＣＳテーブルのＭＣＳレベル指標ｃ＋１に対応するＴＢＳと同じであり、ここで、ｂは、０より大きく、またはそれと等しく、９より小さい、またはそれと等しい整数であり、ｃは、１０より大きく、またはそれと等しく、２７より小さい、またはそれと等しい整数であり、または、
上記第１ＭＣＳテーブルのＭＣＳレベル指標ｄに対応するＴＢＳは、上記第２ＭＣＳテーブルのＭＣＳレベル指標ｄに対応するＴＢＳと同じであり、上記第１ＭＣＳテーブルのＭＣＳレベル指標ｅに対応するＴＢＳは、上記第２ＭＣＳテーブルのＭＣＳレベル指標ｅ＋１に対応するＴＢＳと同じであり、ここで、ｄは、０より大きく、またはそれと等しく、１６より小さい、またはそれと等しい整数であり、ｅは、１７より大きく、またはそれと等しく、２７より小さい、またはそれと等しい整数である、項目４または５に記載のデータ送信方法。
（項目７）
上記第１ＭＣＳテーブルの上記ＭＣＳレベル指標ａに対応する変調スキームは、上記第２ＭＣＳテーブルの上記ＭＣＳレベル指標ａ＋１に対応する変調スキームと同じであり、ここで、ａは、０より大きく、またはそれと等しく、２７より小さい、またはそれと等しい整数であり、または、
上記第１ＭＣＳテーブルの上記ＭＣＳレベル指標ｂに対応する変調スキームは、上記第２ＭＣＳテーブルの上記ＭＣＳレベル指標ｂに対応する変調スキームと同じであり、上記第１ＭＣＳテーブルの上記ＭＣＳレベル指標ｃに対応する変調スキームは、上記第２ＭＣＳテーブルの上記ＭＣＳレベル指標ｃ＋１に対応する変調スキームと同じであり、ここで、ｂは、０より大きく、またはそれと等しく、９より小さい、またはそれと等しい整数であり、ｃは、１０より大きく、またはそれと等しく、２７より小さい、またはそれと等しい整数であり、または、
上記第１ＭＣＳテーブルの上記ＭＣＳレベル指標ｄに対応する変調スキームは、上記第２ＭＣＳテーブルの上記ＭＣＳレベル指標ｄに対応する変調スキームと同じであり、上記第１ＭＣＳテーブルの上記ＭＣＳレベル指標ｅに対応する変調スキームは、上記第２ＭＣＳテーブルの上記ＭＣＳレベル指標ｅ＋１に対応する変調スキームと同じであり、ここで、ｄは、０より大きく、またはそれと等しく、１６より小さい、またはそれと等しい整数であり、ｅは、１７より大きく、またはそれと等しく、２７より小さい、またはそれと等しい整数である、項目４から６のいずれか一項に記載のデータ送信方法。
（項目８）
上記第１ＭＣＳテーブルのＭＣＳレベル指標２８に対応する変調スキームは２５６−ＱＡＭである、項目６または７に記載のデータ送信方法。
（項目９）
上記第１ＭＣＳテーブルのＭＣＳレベル指標ｆに対応するＴＢＳは、上記第２ＭＣＳテーブルのＭＣＳレベル指標ｆ＋１に対応するＴＢＳと同じであり、上記第１ＭＣＳテーブルのＭＣＳレベル指標ｈに対応するＴＢＳは、上記第２ＭＣＳテーブルのＭＣＳレベル指標ｈ＋２に対応するＴＢＳと同じであり、ここで、ｆは、０より大きく、またはそれと等しく、８より小さい、または等しい整数であり、ｈは、９より大きく、またはそれと等しく、２６より小さい、または等しい整数であり、または、
上記第１ＭＣＳテーブルのＭＣＳレベル指標ｉに対応するＴＢＳは、上記第２ＭＣＳテーブルのＭＣＳレベル指標ｉに対応するＴＢＳと同じであり、上記第１ＭＣＳテーブルのＭＣＳレベル指標ｇに対応するＴＢＳは、上記第２ＭＣＳテーブルのＭＣＳレベル指標ｇ＋１に対応するＴＢＳと同じであり、上記第１ＭＣＳテーブルのＭＣＳレベル指標ｋに対応するＴＢＳは、上記第２ＭＣＳテーブルのＭＣＳレベル指標ｋ＋２に対応するＴＢＳと同じであり、ここで、ｉは、０より大きく、またはそれと等しく、９より小さい、またはそれと等しい整数であり、ｇは、１０より大きく、またはそれと等しく、１５より小さい、または等しい整数であり、ｋは、１６より大きく、またはそれと等しく、２６より小さい、または等しい整数であり、または、
上記第１ＭＣＳテーブルのＭＣＳレベル指標ｍに対応するＴＢＳは、上記第２ＭＣＳテーブルのＭＣＳレベル指標ｍ＋１に対応するＴＢＳと同じであり、上記第１ＭＣＳテーブルのＭＣＳレベル指標ｎに対応するＴＢＳは、上記第２ＭＣＳテーブルのＭＣＳレベル指標ｎ＋２に対応するＴＢＳと同じであり、ここで、ｍは、０より大きく、またはそれと等しく、１５より小さい、または等しい整数であり、ｎは、１６より大きく、またはそれと等しく、２６より小さい、または等しい整数である、項目４または５に記載のデータ送信方法。
（項目１０）
上記第１ＭＣＳテーブルの上記ＭＣＳレベル指標ｆに対応する変調スキームは、上記第２ＭＣＳテーブルの上記ＭＣＳレベル指標ｆ＋１に対応する変調スキームと同じであり、上記第１ＭＣＳテーブルの上記ＭＣＳレベル指標ｈに対応する変調スキームは、上記第２ＭＣＳテーブルの上記ＭＣＳレベル指標ｈ＋２に対応する変調スキームと同じであり、ここで、ｆは、０より大きく、またはそれと等しく、８より小さい、または等しい整数であり、ｈは、９より大きく、またはそれと等しく、２６より小さい、または等しい整数であり、または、
上記第１ＭＣＳテーブルの上記ＭＣＳレベル指標ｉに対応する変調スキームは、上記第２ＭＣＳテーブルの上記ＭＣＳレベル指標ｉに対応する変調スキームと同じであり、上記第１ＭＣＳテーブルの上記ＭＣＳレベル指標ｇに対応する変調スキームは、上記第２ＭＣＳテーブルの上記ＭＣＳレベル指標ｇ＋１に対応する変調スキームと同じであり、上記第１ＭＣＳテーブルの上記ＭＣＳレベル指標ｋに対応する変調スキームは、上記第２ＭＣＳテーブルの上記ＭＣＳレベル指標ｋ＋２に対応する変調スキームと同じであり、ここで、ｉは、０より大きく、またはそれと等しく、９より小さい、またはそれと等しい整数であり、ｇは、１０より大きく、またはそれと等しく、１５より小さい、または等しい整数であり、ｋは、１６より大きく、またはそれと等しく、２６より小さい、または等しい整数であり、または、
上記第１ＭＣＳテーブルの上記ＭＣＳレベル指標ｍに対応する変調スキームは、上記第２ＭＣＳテーブルの上記ＭＣＳレベル指標ｍ＋１に対応する変調スキームと同じであり、上記第１ＭＣＳテーブルの上記ＭＣＳレベル指標ｎに対応する変調スキームは、上記第２ＭＣＳテーブルの上記ＭＣＳレベル指標ｎ＋２に対応する変調スキームと同じであり、ここで、ｍは、０より大きく、またはそれと等しく、１５より小さい、または等しい整数であり、ｎは、１６より大きく、またはそれと等しく、２６より小さい、または等しい整数である、項目４、５または９に記載のデータ送信方法。
（項目１１）
上記第１ＭＣＳテーブルのＭＣＳレベル指標２７および２８に対応する変調スキームは２５６−ＱＡＭである、項目９または１０に記載のデータ送信方法。
（項目１２）
上記第１ＭＣＳテーブルのＭＣＳレベル指標ｐに対応するＴＢＳは、上記第２ＭＣＳテーブルのＭＣＳレベル指標ｐ＋１に対応するＴＢＳと同じであり、上記第１ＭＣＳテーブルのＭＣＳレベル指標ｘに対応するＴＢＳは、上記第２ＭＣＳテーブルのＭＣＳレベル指標ｘ＋２に対応するＴＢＳと同じであり、上記第１ＭＣＳテーブルのＭＣＳレベル指標ｙに対応するＴＢＳは、上記第２ＭＣＳテーブルのＭＣＳレベル指標ｙ＋３に対応するＴＢＳと同じであり、ここで、ｐは、０より大きく、またはそれと等しく、８より小さい、または等しい整数であり、ｘは、９より大きく、またはそれと等しく、１４より小さい、または等しい整数であり、ｙは、１５より大きく、またはそれと等しく、２５より小さい、または等しい整数である、項目４または５に記載のデータ送信方法。
（項目１３）
上記第１ＭＣＳテーブルの上記ＭＣＳレベル指標ｐに対応する変調スキームは、上記第２ＭＣＳテーブルの上記ＭＣＳレベル指標ｐ＋１に対応する変調スキームと同じであり、上記第１ＭＣＳテーブルの上記ＭＣＳレベル指標ｘに対応する変調スキームは、上記第２ＭＣＳテーブルの上記ＭＣＳレベル指標ｘ＋２に対応する変調スキームと同じであり、上記第１ＭＣＳテーブルの上記ＭＣＳレベル指標ｙに対応する変調スキームは、上記第２ＭＣＳテーブルの上記ＭＣＳレベル指標ｙ＋３に対応する変調スキームと同じであり、ここで、ｐは、０より大きく、またはそれと等しく、８より小さい、または等しい整数であり、ｘは、９より大きく、またはそれと等しく、１４より小さい、または等しい整数であり、ｙは、１５より大きく、またはそれと等しく、２５より小さい、または等しい整数である、項目４、５または１２に記載のデータ送信方法。
（項目１４）
上記第１ＭＣＳテーブルのＭＣＳレベル指標２６、２７および２８に対応する変調スキームは２５６−ＱＡＭである、項目１２または１３に記載のデータ送信方法。
（項目１５）
少なくとも２つの変調符号化スキームＭＣＳテーブルから１つのＭＣＳテーブルを選択してＭＣＳを判断し、少なくとも２つのトランスポートブロックサイズＴＢＳテーブルから１つのＴＢＳテーブルを選択してＴＢＳを判断する段階であり、上記少なくとも２つのＭＣＳテーブルのうち少なくとも１つのＭＣＳテーブルは、２５６−ＱＡＭに対応するＭＣＳを含む、段階と、
判断された上記ＭＣＳと判断された上記ＴＢＳとに基づき、基地局により送信されるサービスデータを取得する段階と
を備える、データ送信方法。
（項目１６）
上記基地局により送信されるインジケーション情報を受信する段階であり、上記インジケーション情報は、選択された上記１つのＭＣＳテーブルおよび／または選択された上記１つのＴＢＳテーブルについての情報を示すのに用いられる、段階をさらに備え、
少なくとも２つの変調符号化スキームＭＣＳテーブルから１つのＭＣＳテーブルを選択して変調符号化スキームＭＣＳを判断し、少なくとも２つのトランスポートブロックサイズＴＢＳテーブルから１つのＴＢＳテーブルを選択してＴＢＳを判断する上記段階は、上記インジケーション情報に従って、上記少なくとも２つのＭＣＳテーブルから上記１つのＭＣＳテーブルを選択して上記ＭＣＳを判断し、上記少なくとも２つのトランスポートブロックサイズＴＢＳテーブルから上記１つのＴＢＳテーブルを選択して上記ＴＢＳを判断する段階を有する、項目１５に記載のデータ送信方法。
（項目１７）
上記少なくとも２つのＭＣＳテーブルは第１ＭＣＳテーブルおよび第２ＭＣＳテーブルを含み、上記少なくとも２つのＴＢＳテーブルは第１ＴＢＳテーブルおよび第２ＴＢＳテーブルを含み、上記第１ＭＣＳテーブルは上記第１ＴＢＳテーブルと協同し、上記第２ＭＣＳテーブルは上記第２ＴＢＳテーブルと協同し、
上記第１ＭＣＳテーブルは２５６−ＱＡＭ変調スキームを含み、および／または
同じＭＣＳレベル指標および同じリソースブロックペアサイズに対応するとき、上記第１ＴＢＳテーブル内のＴＢＳは、上記第２ＴＢＳテーブル内のＴＢＳより小さくない、項目１５または１６に記載のデータ送信方法。
（項目１８）
上記第１ＭＣＳテーブルおよび上記第１ＴＢＳテーブルはＬＴＥリリース１２に対応し、上記第２ＭＣＳテーブルおよび上記第２ＴＢＳテーブルはＬＴＥリリース８から１１に対応する、項目１７に記載のデータ送信方法。
（項目１９）
上記第１ＭＣＳテーブルのＭＣＳレベル指標ａに対応するＴＢＳは、上記第２ＭＣＳテーブルのＭＣＳレベル指標ａ＋１に対応するＴＢＳと同じであり、ここで、ａは、０より大きく、またはそれと等しく、２７より小さい、またはそれと等しい整数であり、または、
上記第１ＭＣＳテーブルのＭＣＳレベル指標ｂに対応するＴＢＳは、上記第２ＭＣＳテーブルのＭＣＳレベル指標ｂに対応するＴＢＳと同じであり、上記第１ＭＣＳテーブルのＭＣＳレベル指標ｃに対応するＴＢＳは、上記第２ＭＣＳテーブルのＭＣＳレベル指標ｃ＋１に対応するＴＢＳと同じであり、ここで、ｂは、０より大きく、またはそれと等しく、９より小さい、またはそれと等しい整数であり、ｃは、１０より大きく、またはそれと等しく、２７より小さい、またはそれと等しい整数であり、または、
上記第１ＭＣＳテーブルのＭＣＳレベル指標ｄに対応するＴＢＳは、上記第２ＭＣＳテーブルのＭＣＳレベル指標ｄに対応するＴＢＳと同じであり、上記第１ＭＣＳテーブルのＭＣＳレベル指標ｅに対応するＴＢＳは、上記第２ＭＣＳテーブルのＭＣＳレベル指標ｅ＋１に対応するＴＢＳと同じであり、ここで、ｄは、０より大きく、またはそれと等しく、１６より小さい、またはそれと等しい整数であり、ｅは、１７より大きく、またはそれと等しく、２７より小さい、またはそれと等しい整数である、項目１７または１８に記載のデータ送信方法。
（項目２０）
上記第１ＭＣＳテーブルの上記ＭＣＳレベル指標ａに対応する変調スキームは、上記第２ＭＣＳテーブルの上記ＭＣＳレベル指標ａ＋１に対応する変調スキームと同じであり、ここで、ａは、０より大きく、またはそれと等しく、２７より小さい、またはそれと等しい整数であり、または、
上記第１ＭＣＳテーブルの上記ＭＣＳレベル指標ｂに対応する変調スキームは、上記第２ＭＣＳテーブルの上記ＭＣＳレベル指標ｂに対応する変調スキームと同じであり、上記第１ＭＣＳテーブルの上記ＭＣＳレベル指標ｃに対応する変調スキームは、上記第２ＭＣＳテーブルの上記ＭＣＳレベル指標ｃ＋１に対応する変調スキームと同じであり、ここで、ｂは、０より大きく、またはそれと等しく、９より小さい、またはそれと等しい整数であり、ｃは、１０より大きく、またはそれと等しく、２７より小さい、またはそれと等しい整数であり、または、
上記第１ＭＣＳテーブルの上記ＭＣＳレベル指標ｄに対応する変調スキームは、上記第２ＭＣＳテーブルの上記ＭＣＳレベル指標ｄに対応する変調スキームと同じであり、上記第１ＭＣＳテーブルの上記ＭＣＳレベル指標ｅに対応する変調スキームは、上記第２ＭＣＳテーブルの上記ＭＣＳレベル指標ｅ＋１に対応する変調スキームと同じであり、ここで、ｄは、０より大きく、またはそれと等しく、１６より小さい、またはそれと等しい整数であり、ｅは、１７より大きく、またはそれと等しく、２７より小さい、またはそれと等しい整数である、項目１７から１９のいずれか一項に記載のデータ送信方法。
（項目２１）
上記第１ＭＣＳテーブルのＭＣＳレベル指標２８に対応する変調スキームは２５６−ＱＡＭである、項目１９または２０に記載のデータ送信方法。
（項目２２）
上記第１ＭＣＳテーブルのＭＣＳレベル指標ｆに対応するＴＢＳは、上記第２ＭＣＳテーブルのＭＣＳレベル指標ｆ＋１に対応するＴＢＳと同じであり、上記第１ＭＣＳテーブルのＭＣＳレベル指標ｈに対応するＴＢＳは、上記第２ＭＣＳテーブルのＭＣＳレベル指標ｈ＋２に対応するＴＢＳと同じであり、ここで、ｆは、０より大きく、またはそれと等しく、８より小さい、または等しい整数であり、ｈは、９より大きく、またはそれと等しく、２６より小さい、または等しい整数であり、または、
上記第１ＭＣＳテーブルのＭＣＳレベル指標ｉに対応するＴＢＳは、上記第２ＭＣＳテーブルのＭＣＳレベル指標ｉに対応するＴＢＳと同じであり、上記第１ＭＣＳテーブルのＭＣＳレベル指標ｇに対応するＴＢＳは、上記第２ＭＣＳテーブルのＭＣＳレベル指標ｇ＋１に対応するＴＢＳと同じであり、上記第１ＭＣＳテーブルのＭＣＳレベル指標ｋに対応するＴＢＳは、上記第２ＭＣＳテーブルのＭＣＳレベル指標ｋ＋２に対応するＴＢＳと同じであり、ここで、ｉは、０より大きく、またはそれと等しく、９より小さい、またはそれと等しい整数であり、ｇは、１０より大きく、またはそれと等しく、１５より小さい、または等しい整数であり、ｋは、１６より大きく、またはそれと等しく、２６より小さい、または等しい整数であり、または
上記第１ＭＣＳテーブルのＭＣＳレベル指標ｍに対応するＴＢＳは、上記第２ＭＣＳテーブルのＭＣＳレベル指標ｍ＋１に対応するＴＢＳと同じであり、上記第１ＭＣＳテーブルのＭＣＳレベル指標ｎに対応するＴＢＳは、上記第２ＭＣＳテーブルのＭＣＳレベル指標ｎ＋２に対応するＴＢＳと同じであり、ここで、ｍは、０より大きく、またはそれと等しく、１５より小さい、または等しい整数であり、ｎは、１６より大きく、またはそれと等しく、２６より小さい、または等しい整数である、項目１７または１８に記載のデータ送信方法。
（項目２３）
上記第１ＭＣＳテーブルの上記ＭＣＳレベル指標ｆに対応する変調スキームは、上記第２ＭＣＳテーブルの上記ＭＣＳレベル指標ｆ＋１に対応する変調スキームと同じであり、上記第１ＭＣＳテーブルの上記ＭＣＳレベル指標ｈに対応する変調スキームは、上記第２ＭＣＳテーブルの上記ＭＣＳレベル指標ｈ＋２に対応する変調スキームと同じであり、ここで、ｆは、０より大きく、またはそれと等しく、８より小さい、または等しい整数であり、ｈは、９より大きく、またはそれと等しく、２６より小さい、または等しい整数であり、または、
上記第１ＭＣＳテーブルの上記ＭＣＳレベル指標ｉに対応する変調スキームは、上記第２ＭＣＳテーブルの上記ＭＣＳレベル指標ｉに対応する変調スキームと同じであり、上記第１ＭＣＳテーブルの上記ＭＣＳレベル指標ｇに対応する変調スキームは、上記第２ＭＣＳテーブルの上記ＭＣＳレベル指標ｇ＋１に対応する変調スキームと同じであり、上記第１ＭＣＳテーブルの上記ＭＣＳレベル指標ｋに対応する変調スキームは、上記第２ＭＣＳテーブルの上記ＭＣＳレベル指標ｋ＋２に対応する変調スキームと同じであり、ここで、ｉは、０より大きく、またはそれと等しく、９より小さい、またはそれと等しい整数であり、ｇは、１０より大きく、またはそれと等しく、１５より小さい、または等しい整数であり、ｋは、１６より大きく、またはそれと等しく、２６より小さい、または等しい整数であり、または、
上記第１ＭＣＳテーブルの上記ＭＣＳレベル指標ｍに対応する変調スキームは、上記第２ＭＣＳテーブルの上記ＭＣＳレベル指標ｍ＋１に対応する変調スキームと同じであり、上記第１ＭＣＳテーブルの上記ＭＣＳレベル指標ｎに対応する変調スキームは、上記第２ＭＣＳテーブルの上記ＭＣＳレベル指標ｎ＋２に対応する変調スキームと同じであり、ここで、ｍは、０より大きく、またはそれと等しく、１５より小さい、または等しい整数であり、ｎは、１６より大きく、またはそれと等しく、２６より小さい、または等しい整数である、項目１７、１８または２２に記載のデータ送信方法。
（項目２４）
上記第１ＭＣＳテーブルのＭＣＳレベル指標２７および２８に対応する変調スキームは２５６−ＱＡＭである、項目２２または２３に記載のデータ送信方法。
（項目２５）
上記第１ＭＣＳテーブルのＭＣＳレベル指標ｐに対応するＴＢＳは、上記第２ＭＣＳテーブルのＭＣＳレベル指標ｐ＋１に対応するＴＢＳと同じであり、上記第１ＭＣＳテーブルのＭＣＳレベル指標ｘに対応するＴＢＳは、上記第２ＭＣＳテーブルのＭＣＳレベル指標ｘ＋２に対応するＴＢＳと同じであり、上記第１ＭＣＳテーブルのＭＣＳレベル指標ｙに対応するＴＢＳは、上記第２ＭＣＳテーブルのＭＣＳレベル指標ｙ＋３に対応するＴＢＳと同じであり、ここで、ｐは、０より大きく、またはそれと等しく、８より小さい、または等しい整数であり、ｘは、９より大きく、またはそれと等しく、１４より小さい、または等しい整数であり、ｙは、１５より大きく、またはそれと等しく、２５より小さい、または等しい整数である、項目１７または１８に記載のデータ送信方法。
（項目２６）
上記第１ＭＣＳテーブルの上記ＭＣＳレベル指標ｐに対応する変調スキームは、上記第２ＭＣＳテーブルの上記ＭＣＳレベル指標ｐ＋１に対応する変調スキームと同じであり、上記第１ＭＣＳテーブルの上記ＭＣＳレベル指標ｘに対応する変調スキームは、上記第２ＭＣＳテーブルの上記ＭＣＳレベル指標ｘ＋２に対応する変調スキームと同じであり、上記第１ＭＣＳテーブルの上記ＭＣＳレベル指標ｙに対応する変調スキームは、上記第２ＭＣＳテーブルの上記ＭＣＳレベル指標ｙ＋３に対応する変調スキームと同じであり、ここで、ｐは、０より大きく、またはそれと等しく、８より小さい、または等しい整数であり、ｘは、９より大きく、またはそれと等しく、１４より小さい、または等しい整数であり、ｙは、１５より大きく、またはそれと等しく、２５より小さい、または等しい整数である、項目１７、１８または２５に記載のデータ送信方法。
（項目２７）
上記第１ＭＣＳテーブルのＭＣＳレベル指標２６、２７および２８に対応する変調スキームは２５６−ＱＡＭである、項目２５または２６に記載のデータ送信方法。
（項目２８）
少なくとも２つの変調符号化スキームＭＣＳテーブルから１つのＭＣＳテーブルを選択してＭＣＳを判断し、少なくとも２つのトランスポートブロックサイズＴＢＳテーブルから１つのＴＢＳテーブルを選択してＴＢＳを判断するよう構成された選択および判断ユニットであり、上記少なくとも２つのＭＣＳテーブルのうち少なくとも１つのＭＣＳテーブルは、２５６直交振幅変調ＱＡＭに対応するＭＣＳを含む、選択および判断ユニットと、
判断された上記ＭＣＳと判断された上記ＴＢＳとに基づきサービスデータをユーザ機器に送信するよう構成された送信ユニットと
を備える、基地局。
（項目２９）
上記選択および判断ユニットは、
上記ユーザ機器が配置されているロングタームエボリューションＬＴＥシステムのリリースを判断するよう構成された判断サブユニットと、
上記ユーザ機器が配置されている上記ＬＴＥシステムの上記リリースに従って、上記少なくとも２つのＭＣＳテーブルから上記１つのＭＣＳテーブルを選択し、上記少なくとも２つのＴＢＳテーブルから上記１つのＴＢＳテーブルを選択するよう構成された選択サブユニットと
を有する、項目２８に記載の基地局。
（項目３０）
上記送信ユニットはさらに、インジケーション情報を上記ユーザ機器に送信するよう構成され、上記インジケーション情報は、選択された上記１つのＭＣＳテーブルおよび／または選択された上記１つのＴＢＳテーブルについての情報を示すのに用いられる、項目２８または２９に記載の基地局。
（項目３１）
上記少なくとも２つのＭＣＳテーブルは第１ＭＣＳテーブルおよび第２ＭＣＳテーブルを含み、上記少なくとも２つのＴＢＳテーブルは第１ＴＢＳテーブルおよび第２ＴＢＳテーブルを含み、上記第１ＭＣＳテーブルは上記第１ＴＢＳテーブルと協同し、上記第２ＭＣＳテーブルは上記第２ＴＢＳテーブルと協同し、
上記第１ＭＣＳテーブルは２５６−ＱＡＭ変調スキームを含み、および／または、
同じＭＣＳレベル指標および同じリソースブロックペアサイズに対応するとき、上記第１ＴＢＳテーブル内のＴＢＳは、上記第２ＴＢＳテーブル内のＴＢＳより小さくない、項目２８から３０のいずれか一項に記載の基地局。
（項目３２）
上記第１ＭＣＳテーブルおよび上記第１ＴＢＳテーブルはＬＴＥリリース１２に対応し、上記第２ＭＣＳテーブルおよび上記第２ＴＢＳテーブルはＬＴＥリリース８から１１に対応する、項目３１に記載の基地局。
（項目３３）
上記第１ＭＣＳテーブルのＭＣＳレベル指標ａに対応するＴＢＳは、上記第２ＭＣＳテーブルのＭＣＳレベル指標ａ＋１に対応するＴＢＳと同じであり、ここで、ａは、０より大きく、またはそれと等しく、２７より小さい、またはそれと等しい整数であり、または
上記第１ＭＣＳテーブルのＭＣＳレベル指標ｂに対応するＴＢＳは、上記第２ＭＣＳテーブルのＭＣＳレベル指標ｂに対応するＴＢＳと同じであり、上記第１ＭＣＳテーブルのＭＣＳレベル指標ｃに対応するＴＢＳは、上記第２ＭＣＳテーブルのＭＣＳレベル指標ｃ＋１に対応するＴＢＳと同じであり、ここで、ｂは、０より大きく、またはそれと等しく、９より小さい、またはそれと等しい整数であり、ｃは、１０より大きく、またはそれと等しく、２７より小さい、またはそれと等しい整数であり、または、
上記第１ＭＣＳテーブルのＭＣＳレベル指標ｄに対応するＴＢＳは、上記第２ＭＣＳテーブルのＭＣＳレベル指標ｄに対応するＴＢＳと同じであり、上記第１ＭＣＳテーブルのＭＣＳレベル指標ｅに対応するＴＢＳは、上記第２ＭＣＳテーブルのＭＣＳレベル指標ｅ＋１に対応するＴＢＳと同じであり、ここで、ｄは、０より大きく、またはそれと等しく、１６より小さい、またはそれと等しい整数であり、ｅは、１７より大きく、またはそれと等しく、２７より小さい、またはそれと等しい整数である、項目３１または３２に記載の基地局。
（項目３４）
上記第１ＭＣＳテーブルの上記ＭＣＳレベル指標ａに対応する変調スキームは、上記第２ＭＣＳテーブルの上記ＭＣＳレベル指標ａ＋１に対応する変調スキームと同じであり、ここで、ａは、０より大きく、またはそれと等しく、２７より小さい、またはそれと等しい整数であり、または、
上記第１ＭＣＳテーブルの上記ＭＣＳレベル指標ｂに対応する変調スキームは、上記第２ＭＣＳテーブルの上記ＭＣＳレベル指標ｂに対応する変調スキームと同じであり、上記第１ＭＣＳテーブルの上記ＭＣＳレベル指標ｃに対応する変調スキームは、上記第２ＭＣＳテーブルの上記ＭＣＳレベル指標ｃ＋１に対応する変調スキームと同じであり、ここで、ｂは、０より大きく、またはそれと等しく、９より小さい、またはそれと等しい整数であり、ｃは、１０より大きく、またはそれと等しく、２７より小さい、またはそれと等しい整数であり、または、
上記第１ＭＣＳテーブルの上記ＭＣＳレベル指標ｄに対応する変調スキームは、上記第２ＭＣＳテーブルの上記ＭＣＳレベル指標ｄに対応する変調スキームと同じであり、上記第１ＭＣＳテーブルの上記ＭＣＳレベル指標ｅに対応する変調スキームは、上記第２ＭＣＳテーブルの上記ＭＣＳレベル指標ｅ＋１に対応する変調スキームと同じであり、ここで、ｄは、０より大きく、またはそれと等しく、１６より小さい、またはそれと等しい整数であり、ｅは、１７より大きく、またはそれと等しく、２７より小さい、またはそれと等しい整数である、項目３１から３３のいずれか一項に記載の基地局。
（項目３５）
上記第１ＭＣＳテーブルのＭＣＳレベル指標２８に対応する変調スキームは２５６−ＱＡＭである、項目３３または３４に記載の基地局。
（項目３６）
上記第１ＭＣＳテーブルのＭＣＳレベル指標ｆに対応するＴＢＳは、上記第２ＭＣＳテーブルのＭＣＳレベル指標ｆ＋１に対応するＴＢＳと同じであり、上記第１ＭＣＳテーブルのＭＣＳレベル指標ｈに対応するＴＢＳは、上記第２ＭＣＳテーブルのＭＣＳレベル指標ｈ＋２に対応するＴＢＳと同じであり、ここで、ｆは、０より大きく、またはそれと等しく、８より小さい、または等しい整数であり、ｈは、９より大きく、またはそれと等しく、２６より小さい、または等しい整数であり、または、
上記第１ＭＣＳテーブルのＭＣＳレベル指標ｉに対応するＴＢＳは、上記第２ＭＣＳテーブルのＭＣＳレベル指標ｉに対応するＴＢＳと同じであり、上記第１ＭＣＳテーブルのＭＣＳレベル指標ｇに対応するＴＢＳは、上記第２ＭＣＳテーブルのＭＣＳレベル指標ｇ＋１に対応するＴＢＳと同じであり、上記第１ＭＣＳテーブルのＭＣＳレベル指標ｋに対応するＴＢＳは、上記第２ＭＣＳテーブルのＭＣＳレベル指標ｋ＋２に対応するＴＢＳと同じであり、ここで、ｉは、０より大きく、またはそれと等しく、９より小さい、またはそれと等しい整数であり、ｇは、１０より大きく、またはそれと等しく、１５より小さい、または等しい整数であり、ｋは、１６より大きく、またはそれと等しく、２６より小さい、または等しい整数であり、または、
上記第１ＭＣＳテーブルのＭＣＳレベル指標ｍに対応するＴＢＳは、上記第２ＭＣＳテーブルのＭＣＳレベル指標ｍ＋１に対応するＴＢＳと同じであり、上記第１ＭＣＳテーブルのＭＣＳレベル指標ｎに対応するＴＢＳは、上記第２ＭＣＳテーブルのＭＣＳレベル指標ｎ＋２に対応するＴＢＳと同じであり、ここで、ｍは、０より大きく、またはそれと等しく、１５より小さい、または等しい整数であり、ｎは、１６より大きく、またはそれと等しく、２６より小さい、または等しい整数である、項目３１または３２に記載の基地局。
（項目３７）
上記第１ＭＣＳテーブルの上記ＭＣＳレベル指標ｆに対応する変調スキームは、上記第２ＭＣＳテーブルの上記ＭＣＳレベル指標ｆ＋１に対応する変調スキームと同じであり、上記第１ＭＣＳテーブルの上記ＭＣＳレベル指標ｈに対応する変調スキームは、上記第２ＭＣＳテーブルの上記ＭＣＳレベル指標ｈ＋２に対応する変調スキームと同じであり、ここで、ｆは、０より大きく、またはそれと等しく、８より小さい、または等しい整数であり、ｈは、９より大きく、またはそれと等しく、２６より小さい、または等しい整数であり、または、
上記第１ＭＣＳテーブルの上記ＭＣＳレベル指標ｉに対応する変調スキームは、上記第２ＭＣＳテーブルの上記ＭＣＳレベル指標ｉに対応する変調スキームと同じであり、上記第１ＭＣＳテーブルの上記ＭＣＳレベル指標ｇに対応する変調スキームは、上記第２ＭＣＳテーブルの上記ＭＣＳレベル指標ｇ＋１に対応する変調スキームと同じであり、上記第１ＭＣＳテーブルの上記ＭＣＳレベル指標ｋに対応する変調スキームは、上記第２ＭＣＳテーブルの上記ＭＣＳレベル指標ｋ＋２に対応する変調スキームと同じであり、ここで、ｉは、０より大きく、またはそれと等しく、９より小さい、またはそれと等しい整数であり、ｇは、１０より大きく、またはそれと等しく、１５より小さい、または等しい整数であり、ｋは、１６より大きく、またはそれと等しく、２６より小さい、または等しい整数であり、または、
上記第１ＭＣＳテーブルの上記ＭＣＳレベル指標ｍに対応する変調スキームは、上記第２ＭＣＳテーブルの上記ＭＣＳレベル指標ｍ＋１に対応する変調スキームと同じであり、上記第１ＭＣＳテーブルの上記ＭＣＳレベル指標ｎに対応する変調スキームは、上記第２ＭＣＳテーブルの上記ＭＣＳレベル指標ｎ＋２に対応する変調スキームと同じであり、ここで、ｍは、０より大きく、またはそれと等しく、１５より小さい、または等しい整数であり、ｎは、１６より大きく、またはそれと等しく、２６より小さい、または等しい整数である、項目３１、３２または３６に記載の基地局。
（項目３８）
上記第１ＭＣＳテーブルのＭＣＳレベル指標２７および２８に対応する変調スキームは２５６−ＱＡＭである、項目３６または３７に記載の基地局。
（項目３９）
上記第１ＭＣＳテーブルのＭＣＳレベル指標ｐに対応するＴＢＳは、上記第２ＭＣＳテーブルのＭＣＳレベル指標ｐ＋１に対応するＴＢＳと同じであり、上記第１ＭＣＳテーブルのＭＣＳレベル指標ｘに対応するＴＢＳは、上記第２ＭＣＳテーブルのＭＣＳレベル指標ｘ＋２に対応するＴＢＳと同じであり、上記第１ＭＣＳテーブルのＭＣＳレベル指標ｙに対応するＴＢＳは、上記第２ＭＣＳテーブルのＭＣＳレベル指標ｙ＋３に対応するＴＢＳと同じであり、ここで、ｐは、０より大きく、またはそれと等しく、８より小さい、または等しい整数であり、ｘは、９より大きく、またはそれと等しく、１４より小さい、または等しい整数であり、ｙは、１５より大きく、またはそれと等しく、２５より小さい、または等しい整数である、項目３１または３２に記載の基地局。
（項目４０）
上記第１ＭＣＳテーブルの上記ＭＣＳレベル指標ｐに対応する変調スキームは、上記第２ＭＣＳテーブルの上記ＭＣＳレベル指標ｐ＋１に対応する変調スキームと同じであり、上記第１ＭＣＳテーブルの上記ＭＣＳレベル指標ｘに対応する変調スキームは、上記第２ＭＣＳテーブルの上記ＭＣＳレベル指標ｘ＋２に対応する変調スキームと同じであり、上記第１ＭＣＳテーブルの上記ＭＣＳレベル指標ｙに対応する変調スキームは、上記第２ＭＣＳテーブルの上記ＭＣＳレベル指標ｙ＋３に対応する変調スキームと同じであり、ここで、ｐは、０より大きく、またはそれと等しく、８より小さい、または等しい整数であり、ｘは、９より大きく、またはそれと等しく、１４より小さい、または等しい整数であり、ｙは、１５より大きく、またはそれと等しく、２５より小さい、または等しい整数である、項目３１、３２または３９に記載の基地局。
（項目４１）
上記第１ＭＣＳテーブルのＭＣＳレベル指標２６、２７および２８に対応する変調スキームは２５６−ＱＡＭである、項目３９または４０に記載の基地局。
（項目４２）
少なくとも２つの変調符号化スキームＭＣＳテーブルから１つのＭＣＳテーブルを選択してＭＣＳを判断し、少なくとも２つのトランスポートブロックサイズＴＢＳテーブルから１つのＴＢＳテーブルを選択してＴＢＳを判断するよう構成された選択および判断ユニットであり、上記少なくとも２つのＭＣＳテーブルのうち少なくとも１つのＭＣＳテーブルは、２５６−ＱＡＭに対応するＭＣＳを含む、選択および判断ユニットと、
判断された上記ＭＣＳと判断された上記ＴＢＳとに基づき、基地局により送信されたサービスデータを取得するよう構成された取得ユニットと
を備える、ユーザ機器。
（項目４３）
上記取得ユニットはさらに、上記基地局により送信されたインジケーション情報を受信するよう構成され、
上記インジケーション情報は、選択された上記１つのＭＣＳテーブルおよび／または選択された上記１つのＴＢＳテーブルについての情報を示すのに用いられ、
上記選択および判断ユニットは具体的には、上記インジケーション情報に従って、上記少なくとも２つのＭＣＳテーブルから上記１つのＭＣＳテーブルを選択して上記ＭＣＳを判断し、上記少なくとも２つのトランスポートブロックサイズＴＢＳテーブルから上記１つのＴＢＳテーブルを選択して上記ＴＢＳを判断するよう構成される、項目４２に記載のユーザ機器。
（項目４４）
上記少なくとも２つのＭＣＳテーブルは第１ＭＣＳテーブルおよび第２ＭＣＳテーブルを含み、上記少なくとも２つのＴＢＳテーブルは第１ＴＢＳテーブルおよび第２ＴＢＳテーブルを含み、上記第１ＭＣＳテーブルは上記第１ＴＢＳテーブルと協同し、上記第２ＭＣＳテーブルは上記第２ＴＢＳテーブルと協同し、
上記第１ＭＣＳテーブルは２５６−ＱＡＭ変調スキームを含み、および／または、
同じＭＣＳレベル指標および同じリソースブロックペアサイズに対応するとき、上記第１ＴＢＳテーブル内のＴＢＳは、上記第２ＴＢＳテーブル内のＴＢＳより小さくない、項目４２または４３に記載のユーザ機器。
（項目４５）
上記第１ＭＣＳテーブルおよび上記第１ＴＢＳテーブルはＬＴＥリリース１２に対応し、上記第２ＭＣＳテーブルおよび上記第２ＴＢＳテーブルはＬＴＥリリース８から１１に対応する、項目４４に記載のユーザ機器。
（項目４６）
上記第１ＭＣＳテーブルのＭＣＳレベル指標ａに対応するＴＢＳは、上記第２ＭＣＳテーブルのＭＣＳレベル指標ａ＋１に対応するＴＢＳと同じであり、ここで、ａは、０より大きく、またはそれと等しく、２７より小さい、またはそれと等しい整数であり、または
上記第１ＭＣＳテーブルのＭＣＳレベル指標ｂに対応するＴＢＳは、上記第２ＭＣＳテーブルのＭＣＳレベル指標ｂに対応するＴＢＳと同じであり、上記第１ＭＣＳテーブルのＭＣＳレベル指標ｃに対応するＴＢＳは、上記第２ＭＣＳテーブルのＭＣＳレベル指標ｃ＋１に対応するＴＢＳと同じであり、ここで、ｂは、０より大きく、またはそれと等しく、９より小さい、またはそれと等しい整数であり、ｃは、１０より大きく、またはそれと等しく、２７より小さい、またはそれと等しい整数であり、または、
上記第１ＭＣＳテーブルのＭＣＳレベル指標ｄに対応するＴＢＳは、上記第２ＭＣＳテーブルのＭＣＳレベル指標ｄに対応するＴＢＳと同じであり、上記第１ＭＣＳテーブルのＭＣＳレベル指標ｅに対応するＴＢＳは、上記第２ＭＣＳテーブルのＭＣＳレベル指標ｅ＋１に対応するＴＢＳと同じであり、ここで、ｄは、０より大きく、またはそれと等しく、１６より小さい、またはそれと等しい整数であり、ｅは、１７より大きく、またはそれと等しく、２７より小さい、またはそれと等しい整数である、項目４４または４５に記載のユーザ機器。
（項目４７）
上記第１ＭＣＳテーブルの上記ＭＣＳレベル指標ａに対応する変調スキームは、上記第２ＭＣＳテーブルの上記ＭＣＳレベル指標ａ＋１に対応する変調スキームと同じであり、ここで、ａは、０より大きく、またはそれと等しく、２７より小さい、またはそれと等しい整数であり、または、
上記第１ＭＣＳテーブルの上記ＭＣＳレベル指標ｂに対応する変調スキームは、上記第２ＭＣＳテーブルの上記ＭＣＳレベル指標ｂに対応する変調スキームと同じであり、上記第１ＭＣＳテーブルの上記ＭＣＳレベル指標ｃに対応する変調スキームは、上記第２ＭＣＳテーブルの上記ＭＣＳレベル指標ｃ＋１に対応する変調スキームと同じであり、ここで、ｂは、０より大きく、またはそれと等しく、９より小さい、またはそれと等しい整数であり、ｃは、１０より大きく、またはそれと等しく、２７より小さい、またはそれと等しい整数であり、または、
上記第１ＭＣＳテーブルの上記ＭＣＳレベル指標ｄに対応する変調スキームは、上記第２ＭＣＳテーブルの上記ＭＣＳレベル指標ｄに対応する変調スキームと同じであり、上記第１ＭＣＳテーブルの上記ＭＣＳレベル指標ｅに対応する変調スキームは、上記第２ＭＣＳテーブルの上記ＭＣＳレベル指標ｅ＋１に対応する変調スキームと同じであり、ここで、ｄは、０より大きく、またはそれと等しく、１６より小さい、またはそれと等しい整数であり、ｅは、１７より大きく、またはそれと等しく、２７より小さい、またはそれと等しい整数である、項目４４から４６のいずれか一項に記載のユーザ機器。
（項目４８）
上記第１ＭＣＳテーブルのＭＣＳレベル指標２８に対応する変調スキームは２５６−ＱＡＭである、項目４６または４７に記載のユーザ機器。
（項目４９）
上記第１ＭＣＳテーブルのＭＣＳレベル指標ｆに対応するＴＢＳは、上記第２ＭＣＳテーブルのＭＣＳレベル指標ｆ＋１に対応するＴＢＳと同じであり、上記第１ＭＣＳテーブルのＭＣＳレベル指標ｈに対応するＴＢＳは、上記第２ＭＣＳテーブルのＭＣＳレベル指標ｈ＋２に対応するＴＢＳと同じであり、ここで、ｆは、０より大きく、またはそれと等しく、８より小さい、または等しい整数であり、ｈは、９より大きく、またはそれと等しく、２６より小さい、または等しい整数であり、または、
上記第１ＭＣＳテーブルのＭＣＳレベル指標ｉに対応するＴＢＳは、上記第２ＭＣＳテーブルのＭＣＳレベル指標ｉに対応するＴＢＳと同じであり、上記第１ＭＣＳテーブルのＭＣＳレベル指標ｇに対応するＴＢＳは、上記第２ＭＣＳテーブルのＭＣＳレベル指標ｇ＋１に対応するＴＢＳと同じであり、上記第１ＭＣＳテーブルのＭＣＳレベル指標ｋに対応するＴＢＳは、上記第２ＭＣＳテーブルのＭＣＳレベル指標ｋ＋２に対応するＴＢＳと同じであり、ここで、ｉは、０より大きく、またはそれと等しく、９より小さい、またはそれと等しい整数であり、ｇは、１０より大きく、またはそれと等しく、１５より小さい、または等しい整数であり、ｋは、１６より大きく、またはそれと等しく、２６より小さい、または等しい整数であり、または、
上記第１ＭＣＳテーブルのＭＣＳレベル指標ｍに対応するＴＢＳは、上記第２ＭＣＳテーブルのＭＣＳレベル指標ｍ＋１に対応するＴＢＳと同じであり、上記第１ＭＣＳテーブルのＭＣＳレベル指標ｎに対応するＴＢＳは、上記第２ＭＣＳテーブルのＭＣＳレベル指標ｎ＋２に対応するＴＢＳと同じであり、ここで、ｍは、０より大きく、またはそれと等しく、１５より小さい、または等しい整数であり、ｎは、１６より大きく、またはそれと等しく、２６より小さい、または等しい整数である、項目４４または４５に記載のユーザ機器。
（項目５０）
上記第１ＭＣＳテーブルの上記ＭＣＳレベル指標ｆに対応する変調スキームは、上記第２ＭＣＳテーブルの上記ＭＣＳレベル指標ｆ＋１に対応する変調スキームと同じであり、上記第１ＭＣＳテーブルの上記ＭＣＳレベル指標ｈに対応する変調スキームは、上記第２ＭＣＳテーブルの上記ＭＣＳレベル指標ｈ＋２に対応する変調スキームと同じであり、ここで、ｆは、０より大きく、またはそれと等しく、８より小さい、または等しい整数であり、ｈは、９より大きく、またはそれと等しく、２６より小さい、または等しい整数であり、または、
上記第１ＭＣＳテーブルの上記ＭＣＳレベル指標ｉに対応する変調スキームは、上記第２ＭＣＳテーブルの上記ＭＣＳレベル指標ｉに対応する変調スキームと同じであり、上記第１ＭＣＳテーブルの上記ＭＣＳレベル指標ｇに対応する変調スキームは、上記第２ＭＣＳテーブルの上記ＭＣＳレベル指標ｇ＋１に対応する変調スキームと同じであり、上記第１ＭＣＳテーブルの上記ＭＣＳレベル指標ｋに対応する変調スキームは、上記第２ＭＣＳテーブルの上記ＭＣＳレベル指標ｋ＋２に対応する変調スキームと同じであり、ここで、ｉは、０より大きく、またはそれと等しく、９より小さい、またはそれと等しい整数であり、ｇは、１０より大きく、またはそれと等しく、１５より小さい、または等しい整数であり、ｋは、１６より大きく、またはそれと等しく、２６より小さい、または等しい整数であり、または、
上記第１ＭＣＳテーブルの上記ＭＣＳレベル指標ｍに対応する変調スキームは、上記第２ＭＣＳテーブルの上記ＭＣＳレベル指標ｍ＋１に対応する変調スキームと同じであり、上記第１ＭＣＳテーブルの上記ＭＣＳレベル指標ｎに対応する変調スキームは、上記第２ＭＣＳテーブルの上記ＭＣＳレベル指標ｎ＋２に対応する変調スキームと同じであり、ここで、ｍは、０より大きく、またはそれと等しく、１５より小さい、または等しい整数であり、ｎは、１６より大きく、またはそれと等しく、２６より小さい、または等しい整数である、項目４４、４５または４９に記載のユーザ機器。
（項目５１）
上記第１ＭＣＳテーブルのＭＣＳレベル指標２７および２８に対応する変調スキームは２５６−ＱＡＭである、項目４９または５０に記載のユーザ機器。
（項目５２）
上記第１ＭＣＳテーブルのＭＣＳレベル指標ｐに対応するＴＢＳは、上記第２ＭＣＳテーブルのＭＣＳレベル指標ｐ＋１に対応するＴＢＳと同じであり、上記第１ＭＣＳテーブルのＭＣＳレベル指標ｘに対応するＴＢＳは、上記第２ＭＣＳテーブルのＭＣＳレベル指標ｘ＋２に対応するＴＢＳと同じであり、上記第１ＭＣＳテーブルのＭＣＳレベル指標ｙに対応するＴＢＳは、上記第２ＭＣＳテーブルのＭＣＳレベル指標ｙ＋３に対応するＴＢＳと同じであり、ここで、ｐは、０より大きく、またはそれと等しく、８より小さい、または等しい整数であり、ｘは、９より大きく、またはそれと等しく、１４より小さい、または等しい整数であり、ｙは、１５より大きく、またはそれと等しく、２５より小さい、または等しい整数である、項目４４または４５に記載のユーザ機器。
（項目５３）
上記第１ＭＣＳテーブルの上記ＭＣＳレベル指標ｐに対応する変調スキームは、上記第２ＭＣＳテーブルの上記ＭＣＳレベル指標ｐ＋１に対応する変調スキームと同じであり、上記第１ＭＣＳテーブルの上記ＭＣＳレベル指標ｘに対応する変調スキームは、上記第２ＭＣＳテーブルの上記ＭＣＳレベル指標ｘ＋２に対応する変調スキームと同じであり、上記第１ＭＣＳテーブルの上記ＭＣＳレベル指標ｙに対応する変調スキームは、上記第２ＭＣＳテーブルの上記ＭＣＳレベル指標ｙ＋３に対応する変調スキームと同じであり、ここで、ｐは、０より大きく、またはそれと等しく、８より小さい、または等しい整数であり、ｘは、９より大きく、またはそれと等しく、１４より小さい、または等しい整数であり、ｙは、１５より大きく、またはそれと等しく、２５より小さい、または等しい整数である、項目４４、４５または５２に記載のユーザ機器。
（項目５４）
上記第１ＭＣＳテーブルのＭＣＳレベル指標２６、２７および２８に対応する変調スキームは２５６−ＱＡＭである、項目５２または５３に記載のユーザ機器。
（項目５５）
プロセッサと、
メモリと
を備え、
上記メモリは、プログラムコードと、少なくとも２つの変調符号化スキームＭＣＳテーブルと、少なくとも２つのトランスポートブロックサイズＴＢＳテーブルとを格納し、
上記プロセッサは、上記メモリ内の上記プログラムコードを呼び出して、
上記少なくとも２つの変調符号化スキームＭＣＳテーブルから１つのＭＣＳテーブルを選択してＭＣＳを判断し、上記少なくとも２つのＴＢＳテーブルから１つのＴＢＳテーブルを選択してＴＢＳを判断する処理であり、上記少なくとも２つのＭＣＳテーブルのうち少なくとも１つのＭＣＳテーブルは、２５６直交振幅変調ＱＡＭに対応するＭＣＳを含む処理と、
判断された上記ＭＣＳと判断された上記ＴＢＳとに基づき、サービスデータをユーザ機器へ送信する処理と
を実行するよう構成されている、基地局。
（項目５６）
上記プロセッサは、上記メモリ内の上記プログラムコードを呼び出して、具体的には、
上記ユーザ機器が配置されているロングタームエボリューションＬＴＥシステムのリリースを判断する処理と、
上記ユーザ機器が配置されている上記ＬＴＥシステムの上記リリースに従って、上記少なくとも２つのＭＣＳテーブルから上記１つのＭＣＳテーブルを選択し、上記少なくとも２つのＴＢＳテーブルから上記１つのＴＢＳテーブルを選択する処理と
を実行するよう構成されている、項目５５に記載の基地局。
（項目５７）
上記プロセッサは、上記メモリ内の上記プログラムコードを呼び出して、インジケーション情報を上記ユーザ機器に送信する処理をさらに実行するよう構成され、
上記インジケーション情報は、選択された上記１つのＭＣＳテーブルおよび／または選択された上記１つのＴＢＳテーブルについての情報を示すのに用いられる、項目５５または５６に記載の基地局。
（項目５８）
上記少なくとも２つのＭＣＳテーブルは第１ＭＣＳテーブルおよび第２ＭＣＳテーブルを含み、上記少なくとも２つのＴＢＳテーブルは第１ＴＢＳテーブルおよび第２ＴＢＳテーブルを含み、上記第１ＭＣＳテーブルは上記第１ＴＢＳテーブルと協同し、上記第２ＭＣＳテーブルは上記第２ＴＢＳテーブルと協同し、
上記第１ＭＣＳテーブルは２５６−ＱＡＭ変調スキームを含み、および／または、
同じＭＣＳレベル指標および同じリソースブロックペアサイズに対応するとき、上記第１ＴＢＳテーブル内のＴＢＳは、上記第２ＴＢＳテーブル内のＴＢＳより小さくない、項目５５から５７のいずれか一項に記載の基地局。
（項目５９）
上記第１ＭＣＳテーブルおよび上記第１ＴＢＳテーブルはＬＴＥリリース１２に対応し、上記第２ＭＣＳテーブルおよび上記第２ＴＢＳテーブルはＬＴＥリリース８から１１に対応する、項目５８に記載の基地局。
（項目６０）
上記第１ＭＣＳテーブルのＭＣＳレベル指標ａに対応するＴＢＳは、上記第２ＭＣＳテーブルのＭＣＳレベル指標ａ＋１に対応するＴＢＳと同じであり、ここで、ａは、０より大きく、またはそれと等しく、２７より小さい、またはそれと等しい整数であり、または
上記第１ＭＣＳテーブルのＭＣＳレベル指標ｂに対応するＴＢＳは、上記第２ＭＣＳテーブルのＭＣＳレベル指標ｂに対応するＴＢＳと同じであり、上記第１ＭＣＳテーブルのＭＣＳレベル指標ｃに対応するＴＢＳは、上記第２ＭＣＳテーブルのＭＣＳレベル指標ｃ＋１に対応するＴＢＳと同じであり、ここで、ｂは、０より大きく、またはそれと等しく、９より小さい、またはそれと等しい整数であり、ｃは、１０より大きく、またはそれと等しく、２７より小さい、またはそれと等しい整数であり、または、
上記第１ＭＣＳテーブルのＭＣＳレベル指標ｄに対応するＴＢＳは、上記第２ＭＣＳテーブルのＭＣＳレベル指標ｄに対応するＴＢＳと同じであり、上記第１ＭＣＳテーブルのＭＣＳレベル指標ｅに対応するＴＢＳは、上記第２ＭＣＳテーブルのＭＣＳレベル指標ｅ＋１に対応するＴＢＳと同じであり、ここで、ｄは、０より大きく、またはそれと等しく、１６より小さい、またはそれと等しい整数であり、ｅは、１７より大きく、またはそれと等しく、２７より小さい、またはそれと等しい整数である、項目５８または５９に記載の基地局。
（項目６１）
上記第１ＭＣＳテーブルの上記ＭＣＳレベル指標ａに対応する変調スキームは、上記第２ＭＣＳテーブルの上記ＭＣＳレベル指標ａ＋１に対応する変調スキームと同じであり、ここで、ａは、０より大きく、またはそれと等しく、２７より小さい、またはそれと等しい整数であり、または、
上記第１ＭＣＳテーブルの上記ＭＣＳレベル指標ｂに対応する変調スキームは、上記第２ＭＣＳテーブルの上記ＭＣＳレベル指標ｂに対応する変調スキームと同じであり、上記第１ＭＣＳテーブルの上記ＭＣＳレベル指標ｃに対応する変調スキームは、上記第２ＭＣＳテーブルの上記ＭＣＳレベル指標ｃ＋１に対応する変調スキームと同じであり、ここで、ｂは、０より大きく、またはそれと等しく、９より小さい、またはそれと等しい整数であり、ｃは、１０より大きく、またはそれと等しく、２７より小さい、またはそれと等しい整数であり、または、
上記第１ＭＣＳテーブルの上記ＭＣＳレベル指標ｄに対応する変調スキームは、上記第２ＭＣＳテーブルの上記ＭＣＳレベル指標ｄに対応する変調スキームと同じであり、上記第１ＭＣＳテーブルの上記ＭＣＳレベル指標ｅに対応する変調スキームは、上記第２ＭＣＳテーブルの上記ＭＣＳレベル指標ｅ＋１に対応する変調スキームと同じであり、ここで、ｄは、０より大きく、またはそれと等しく、１６より小さい、またはそれと等しい整数であり、ｅは、１７より大きく、またはそれと等しく、２７より小さい、またはそれと等しい整数である、項目５８から６０のいずれか一項に記載の基地局。
（項目６２）
上記第１ＭＣＳテーブルのＭＣＳレベル指標２８に対応する変調スキームは２５６−ＱＡＭである、項目６０または６１に記載の基地局。
（項目６３）
上記第１ＭＣＳテーブルのＭＣＳレベル指標ｆに対応するＴＢＳは、上記第２ＭＣＳテーブルのＭＣＳレベル指標ｆ＋１に対応するＴＢＳと同じであり、上記第１ＭＣＳテーブルのＭＣＳレベル指標ｈに対応するＴＢＳは、上記第２ＭＣＳテーブルのＭＣＳレベル指標ｈ＋２に対応するＴＢＳと同じであり、ここで、ｆは、０より大きく、またはそれと等しく、８より小さい、または等しい整数であり、ｈは、９より大きく、またはそれと等しく、２６より小さい、または等しい整数であり、または、
上記第１ＭＣＳテーブルのＭＣＳレベル指標ｉに対応するＴＢＳは、上記第２ＭＣＳテーブルのＭＣＳレベル指標ｉに対応するＴＢＳと同じであり、上記第１ＭＣＳテーブルのＭＣＳレベル指標ｇに対応するＴＢＳは、上記第２ＭＣＳテーブルのＭＣＳレベル指標ｇ＋１に対応するＴＢＳと同じであり、上記第１ＭＣＳテーブルのＭＣＳレベル指標ｋに対応するＴＢＳは、上記第２ＭＣＳテーブルのＭＣＳレベル指標ｋ＋２に対応するＴＢＳと同じであり、ここで、ｉは、０より大きく、またはそれと等しく、９より小さい、またはそれと等しい整数であり、ｇは、１０より大きく、またはそれと等しく、１５より小さい、または等しい整数であり、ｋは、１６より大きく、またはそれと等しく、２６より小さい、または等しい整数であり、または、
上記第１ＭＣＳテーブルのＭＣＳレベル指標ｍに対応するＴＢＳは、上記第２ＭＣＳテーブルのＭＣＳレベル指標ｍ＋１に対応するＴＢＳと同じであり、上記第１ＭＣＳテーブルのＭＣＳレベル指標ｎに対応するＴＢＳは、上記第２ＭＣＳテーブルのＭＣＳレベル指標ｎ＋２に対応するＴＢＳと同じであり、ここで、ｍは、０より大きく、またはそれと等しく、１５より小さい、または等しい整数であり、ｎは、１６より大きく、またはそれと等しく、２６より小さい、または等しい整数である、項目５８または５９に記載の基地局。
（項目６４）
上記第１ＭＣＳテーブルの上記ＭＣＳレベル指標ｆに対応する変調スキームは、上記第２ＭＣＳテーブルの上記ＭＣＳレベル指標ｆ＋１に対応する変調スキームと同じであり、上記第１ＭＣＳテーブルの上記ＭＣＳレベル指標ｈに対応する変調スキームは、上記第２ＭＣＳテーブルの上記ＭＣＳレベル指標ｈ＋２に対応する変調スキームと同じであり、ここで、ｆは、０より大きく、またはそれと等しく、８より小さい、または等しい整数であり、ｈは、９より大きく、またはそれと等しく、２６より小さい、または等しい整数であり、または、
上記第１ＭＣＳテーブルの上記ＭＣＳレベル指標ｉに対応する変調スキームは、上記第２ＭＣＳテーブルの上記ＭＣＳレベル指標ｉに対応する変調スキームと同じであり、上記第１ＭＣＳテーブルの上記ＭＣＳレベル指標ｇに対応する変調スキームは、上記第２ＭＣＳテーブルの上記ＭＣＳレベル指標ｇ＋１に対応する変調スキームと同じであり、上記第１ＭＣＳテーブルの上記ＭＣＳレベル指標ｋに対応する変調スキームは、上記第２ＭＣＳテーブルの上記ＭＣＳレベル指標ｋ＋２に対応する変調スキームと同じであり、ここで、ｉは、０より大きく、またはそれと等しく、９より小さい、またはそれと等しい整数であり、ｇは、１０より大きく、またはそれと等しく、１５より小さい、または等しい整数であり、ｋは、１６より大きく、またはそれと等しく、２６より小さい、または等しい整数であり、または、
上記第１ＭＣＳテーブルの上記ＭＣＳレベル指標ｍに対応する変調スキームは、上記第２ＭＣＳテーブルの上記ＭＣＳレベル指標ｍ＋１に対応する変調スキームと同じであり、上記第１ＭＣＳテーブルの上記ＭＣＳレベル指標ｎに対応する変調スキームは、上記第２ＭＣＳテーブルの上記ＭＣＳレベル指標ｎ＋２に対応する変調スキームと同じであり、ここで、ｍは、０より大きく、またはそれと等しく、１５より小さい、または等しい整数であり、ｎは、１６より大きく、またはそれと等しく、２６より小さい、または等しい整数である、項目５８、５９または６３に記載の基地局。
（項目６５）
上記第１ＭＣＳテーブルのＭＣＳレベル指標２７および２８に対応する変調スキームは２５６−ＱＡＭである、項目６３または６４に記載の基地局。
（項目６６）
上記第１ＭＣＳテーブルのＭＣＳレベル指標ｐに対応するＴＢＳは、上記第２ＭＣＳテーブルのＭＣＳレベル指標ｐ＋１に対応するＴＢＳと同じであり、上記第１ＭＣＳテーブルのＭＣＳレベル指標ｘに対応するＴＢＳは、上記第２ＭＣＳテーブルのＭＣＳレベル指標ｘ＋２に対応するＴＢＳと同じであり、上記第１ＭＣＳテーブルのＭＣＳレベル指標ｙに対応するＴＢＳは、上記第２ＭＣＳテーブルのＭＣＳレベル指標ｙ＋３に対応するＴＢＳと同じであり、ここで、ｐは、０より大きく、またはそれと等しく、８より小さい、または等しい整数であり、ｘは、９より大きく、またはそれと等しく、１４より小さい、または等しい整数であり、ｙは、１５より大きく、またはそれと等しく、２５より小さい、または等しい整数である、項目５８または５９に記載の基地局。
（項目６７）
上記第１ＭＣＳテーブルの上記ＭＣＳレベル指標ｐに対応する変調スキームは、上記第２ＭＣＳテーブルの上記ＭＣＳレベル指標ｐ＋１に対応する変調スキームと同じであり、上記第１ＭＣＳテーブルの上記ＭＣＳレベル指標ｘに対応する変調スキームは、上記第２ＭＣＳテーブルの上記ＭＣＳレベル指標ｘ＋２に対応する変調スキームと同じであり、上記第１ＭＣＳテーブルの上記ＭＣＳレベル指標ｙに対応する変調スキームは、上記第２ＭＣＳテーブルの上記ＭＣＳレベル指標ｙ＋３に対応する変調スキームと同じであり、ここで、ｐは、０より大きく、またはそれと等しく、８より小さい、または等しい整数であり、ｘは、９より大きく、またはそれと等しく、１４より小さい、または等しい整数であり、ｙは、１５より大きく、またはそれと等しく、２５より小さい、または等しい整数である、項目５８、５９または６６に記載の基地局。
（項目６８）
上記第１ＭＣＳテーブルのＭＣＳレベル指標２６、２７および２８に対応する変調スキームは２５６−ＱＡＭである、項目６６または６７に記載の基地局。
（項目６９）
プロセッサと、
メモリと
を備え、
上記メモリは、プログラムコードと、少なくとも２つの変調符号化スキームＭＣＳテーブルと、少なくとも２つのトランスポートブロックサイズＴＢＳテーブルとを格納し、
上記プロセッサは、上記メモリ内の上記プログラムコードを呼び出して、
少なくとも２つの変調符号化スキームＭＣＳテーブルから１つのＭＣＳテーブルを選択してＭＣＳを判断し、少なくとも２つのトランスポートブロックサイズＴＢＳテーブルから１つのＴＢＳテーブルを選択してＴＢＳを判断する処理であり、上記少なくとも２つのＭＣＳテーブルのうち少なくとも１つのＭＣＳテーブルは、２５６−ＱＡＭに対応するＭＣＳを含む処理と、
判断された上記ＭＣＳと判断された上記ＴＢＳとに基づき、基地局により送信されたサービスデータを取得する処理と
を実行するよう構成されている、ユーザ機器。
（項目７０）
上記プロセッサは上記メモリ内の上記プログラムコードを呼び出して、具体的には、上記基地局により送信されたインジケーション情報を受信する処理であり、上記インジケーション情報は、選択された上記１つのＭＣＳテーブルおよび／または選択された上記１つのＴＢＳテーブルについての情報を示すのに用いられる処理と、
上記インジケーション情報に従って、上記少なくとも２つのＭＣＳテーブルから上記１つのＭＣＳテーブルを選択して上記ＭＣＳを判断し、上記少なくとも２つのトランスポートブロックサイズＴＢＳテーブルから上記１つのＴＢＳテーブルを選択して上記ＴＢＳを判断する処理と
を実行するよう構成されている、項目６９に記載のユーザ機器。
（項目７１）
上記少なくとも２つのＭＣＳテーブルは第１ＭＣＳテーブルおよび第２ＭＣＳテーブルを含み、上記少なくとも２つのＴＢＳテーブルは第１ＴＢＳテーブルおよび第２ＴＢＳテーブルを含み、上記第１ＭＣＳテーブルは上記第１ＴＢＳテーブルと協同し、上記第２ＭＣＳテーブルは上記第２ＴＢＳテーブルと協同し、
上記第１ＭＣＳテーブルは２５６−ＱＡＭ変調スキームを含み、および／または、
同じＭＣＳレベル指標および同じリソースブロックペアサイズに対応するとき、上記第１ＴＢＳテーブル内のＴＢＳは、上記第２ＴＢＳテーブル内のＴＢＳより小さくない、項目６９または７０に記載のユーザ機器。
（項目７２）
上記第１ＭＣＳテーブルおよび上記第１ＴＢＳテーブルはＬＴＥリリース１２に対応し、上記第２ＭＣＳテーブルおよび上記第２ＴＢＳテーブルはＬＴＥリリース８から１１に対応する、項目７１に記載のユーザ機器。
（項目７３）
上記第１ＭＣＳテーブルのＭＣＳレベル指標ａに対応するＴＢＳは、上記第２ＭＣＳテーブルのＭＣＳレベル指標ａ＋１に対応するＴＢＳと同じであり、ここで、ａは、０より大きく、またはそれと等しく、２７より小さい、またはそれと等しい整数であり、または
上記第１ＭＣＳテーブルのＭＣＳレベル指標ｂに対応するＴＢＳは、上記第２ＭＣＳテーブルのＭＣＳレベル指標ｂに対応するＴＢＳと同じであり、上記第１ＭＣＳテーブルのＭＣＳレベル指標ｃに対応するＴＢＳは、上記第２ＭＣＳテーブルのＭＣＳレベル指標ｃ＋１に対応するＴＢＳと同じであり、ここで、ｂは、０より大きく、またはそれと等しく、９より小さい、またはそれと等しい整数であり、ｃは、１０より大きく、またはそれと等しく、２７より小さい、またはそれと等しい整数であり、または、
上記第１ＭＣＳテーブルのＭＣＳレベル指標ｄに対応するＴＢＳは、上記第２ＭＣＳテーブルのＭＣＳレベル指標ｄに対応するＴＢＳと同じであり、上記第１ＭＣＳテーブルのＭＣＳレベル指標ｅに対応するＴＢＳは、上記第２ＭＣＳテーブルのＭＣＳレベル指標ｅ＋１に対応するＴＢＳと同じであり、ここで、ｄは、０より大きく、またはそれと等しく、１６より小さい、またはそれと等しい整数であり、ｅは、１７より大きく、またはそれと等しく、２７より小さい、またはそれと等しい整数である、項目７１または７２に記載のユーザ機器。
（項目７４）
上記第１ＭＣＳテーブルの上記ＭＣＳレベル指標ａに対応する変調スキームは、上記第２ＭＣＳテーブルの上記ＭＣＳレベル指標ａ＋１に対応する変調スキームと同じであり、ここで、ａは、０より大きく、またはそれと等しく、２７より小さい、またはそれと等しい整数であり、または、
上記第１ＭＣＳテーブルの上記ＭＣＳレベル指標ｂに対応する変調スキームは、上記第２ＭＣＳテーブルの上記ＭＣＳレベル指標ｂに対応する変調スキームと同じであり、上記第１ＭＣＳテーブルの上記ＭＣＳレベル指標ｃに対応する変調スキームは、上記第２ＭＣＳテーブルの上記ＭＣＳレベル指標ｃ＋１に対応する変調スキームと同じであり、ここで、ｂは、０より大きく、またはそれと等しく、９より小さい、またはそれと等しい整数であり、ｃは、１０より大きく、またはそれと等しく、２７より小さい、またはそれと等しい整数であり、または、
上記第１ＭＣＳテーブルの上記ＭＣＳレベル指標ｄに対応する変調スキームは、上記第２ＭＣＳテーブルの上記ＭＣＳレベル指標ｄに対応する変調スキームと同じであり、上記第１ＭＣＳテーブルの上記ＭＣＳレベル指標ｅに対応する変調スキームは、上記第２ＭＣＳテーブルの上記ＭＣＳレベル指標ｅ＋１に対応する変調スキームと同じであり、ここで、ｄは、０より大きく、またはそれと等しく、１６より小さい、またはそれと等しい整数であり、ｅは、１７より大きく、またはそれと等しく、２７より小さい、またはそれと等しい整数である、項目７１から７３のいずれか一項に記載のユーザ機器。
（項目７５）
上記第１ＭＣＳテーブルのＭＣＳレベル指標２８に対応する変調スキームは２５６−ＱＡＭである、項目７３または７４に記載のユーザ機器。
（項目７６）
上記第１ＭＣＳテーブルのＭＣＳレベル指標ｆに対応するＴＢＳは、上記第２ＭＣＳテーブルのＭＣＳレベル指標ｆ＋１に対応するＴＢＳと同じであり、上記第１ＭＣＳテーブルのＭＣＳレベル指標ｈに対応するＴＢＳは、上記第２ＭＣＳテーブルのＭＣＳレベル指標ｈ＋２に対応するＴＢＳと同じであり、ここで、ｆは、０より大きく、またはそれと等しく、８より小さい、または等しい整数であり、ｈは、９より大きく、またはそれと等しく、２６より小さい、または等しい整数であり、または、
上記第１ＭＣＳテーブルのＭＣＳレベル指標ｉに対応するＴＢＳは、上記第２ＭＣＳテーブルのＭＣＳレベル指標ｉに対応するＴＢＳと同じであり、上記第１ＭＣＳテーブルのＭＣＳレベル指標ｇに対応するＴＢＳは、上記第２ＭＣＳテーブルのＭＣＳレベル指標ｇ＋１に対応するＴＢＳと同じであり、上記第１ＭＣＳテーブルのＭＣＳレベル指標ｋに対応するＴＢＳは、上記第２ＭＣＳテーブルのＭＣＳレベル指標ｋ＋２に対応するＴＢＳと同じであり、ここで、ｉは、０より大きく、またはそれと等しく、９より小さい、またはそれと等しい整数であり、ｇは、１０より大きく、またはそれと等しく、１５より小さい、または等しい整数であり、ｋは、１６より大きく、またはそれと等しく、２６より小さい、または等しい整数であり、または、
上記第１ＭＣＳテーブルのＭＣＳレベル指標ｍに対応するＴＢＳは、上記第２ＭＣＳテーブルのＭＣＳレベル指標ｍ＋１に対応するＴＢＳと同じであり、上記第１ＭＣＳテーブルのＭＣＳレベル指標ｎに対応するＴＢＳは、上記第２ＭＣＳテーブルのＭＣＳレベル指標ｎ＋２に対応するＴＢＳと同じであり、ここで、ｍは、０より大きく、またはそれと等しく、１５より小さい、または等しい整数であり、ｎは、１６より大きく、またはそれと等しく、２６より小さい、または等しい整数である、項目７１または７２に記載のユーザ機器。
（項目７７）
上記第１ＭＣＳテーブルの上記ＭＣＳレベル指標ｆに対応する変調スキームは、上記第２ＭＣＳテーブルの上記ＭＣＳレベル指標ｆ＋１に対応する変調スキームと同じであり、上記第１ＭＣＳテーブルの上記ＭＣＳレベル指標ｈに対応する変調スキームは、上記第２ＭＣＳテーブルの上記ＭＣＳレベル指標ｈ＋２に対応する変調スキームと同じであり、ここで、ｆは、０より大きく、またはそれと等しく、８より小さい、または等しい整数であり、ｈは、９より大きく、またはそれと等しく、２６より小さい、または等しい整数であり、または、
上記第１ＭＣＳテーブルの上記ＭＣＳレベル指標ｉに対応する変調スキームは、上記第２ＭＣＳテーブルの上記ＭＣＳレベル指標ｉに対応する変調スキームと同じであり、上記第１ＭＣＳテーブルの上記ＭＣＳレベル指標ｇに対応する変調スキームは、上記第２ＭＣＳテーブルの上記ＭＣＳレベル指標ｇ＋１に対応する変調スキームと同じであり、上記第１ＭＣＳテーブルの上記ＭＣＳレベル指標ｋに対応する変調スキームは、上記第２ＭＣＳテーブルの上記ＭＣＳレベル指標ｋ＋２に対応する変調スキームと同じであり、ここで、ｉは、０より大きく、またはそれと等しく、９より小さい、またはそれと等しい整数であり、ｇは、１０より大きく、またはそれと等しく、１５より小さい、または等しい整数であり、ｋは、１６より大きく、またはそれと等しく、２６より小さい、または等しい整数であり、または、
上記第１ＭＣＳテーブルの上記ＭＣＳレベル指標ｍに対応する変調スキームは、上記第２ＭＣＳテーブルの上記ＭＣＳレベル指標ｍ＋１に対応する変調スキームと同じであり、上記第１ＭＣＳテーブルの上記ＭＣＳレベル指標ｎに対応する変調スキームは、上記第２ＭＣＳテーブルの上記ＭＣＳレベル指標ｎ＋２に対応する変調スキームと同じであり、ここで、ｍは、０より大きく、またはそれと等しく、１５より小さい、または等しい整数であり、ｎは、１６より大きく、またはそれと等しく、２６より小さい、または等しい整数である、項目７１、７２または７６に記載のユーザ機器。
（項目７８）
上記第１ＭＣＳテーブルのＭＣＳレベル指標２７および２８に対応する変調スキームは２５６−ＱＡＭである、項目７６または７７に記載のユーザ機器。
（項目７９）
上記第１ＭＣＳテーブルのＭＣＳレベル指標ｐに対応するＴＢＳは、上記第２ＭＣＳテーブルのＭＣＳレベル指標ｐ＋１に対応するＴＢＳと同じであり、上記第１ＭＣＳテーブルのＭＣＳレベル指標ｘに対応するＴＢＳは、上記第２ＭＣＳテーブルのＭＣＳレベル指標ｘ＋２に対応するＴＢＳと同じであり、上記第１ＭＣＳテーブルのＭＣＳレベル指標ｙに対応するＴＢＳは、上記第２ＭＣＳテーブルのＭＣＳレベル指標ｙ＋３に対応するＴＢＳと同じであり、ここで、ｐは、０より大きく、またはそれと等しく、８より小さい、または等しい整数であり、ｘは、９より大きく、またはそれと等しく、１４より小さい、または等しい整数であり、ｙは、１５より大きく、またはそれと等しく、２５より小さい、または等しい整数である、項目７１または７２に記載のユーザ機器。
（項目８０）
上記第１ＭＣＳテーブルの上記ＭＣＳレベル指標ｐに対応する変調スキームは、上記第２ＭＣＳテーブルの上記ＭＣＳレベル指標ｐ＋１に対応する変調スキームと同じであり、上記第１ＭＣＳテーブルの上記ＭＣＳレベル指標ｘに対応する変調スキームは、上記第２ＭＣＳテーブルの上記ＭＣＳレベル指標ｘ＋２に対応する変調スキームと同じであり、上記第１ＭＣＳテーブルの上記ＭＣＳレベル指標ｙに対応する変調スキームは、上記第２ＭＣＳテーブルの上記ＭＣＳレベル指標ｙ＋３に対応する変調スキームと同じであり、ここで、ｐは、０より大きく、またはそれと等しく、８より小さい、または等しい整数であり、ｘは、９より大きく、またはそれと等しく、１４より小さい、または等しい整数であり、ｙは、１５より大きく、またはそれと等しく、２５より小さい、または等しい整数である、項目７１、７２または７９に記載のユーザ機器。
（項目８１）
上記第１ＭＣＳテーブルのＭＣＳレベル指標２６、２７および２８に対応する変調スキームは２５６−ＱＡＭである、項目７９または８０に記載のユーザ機器。
【図１】
0006282747.tif 000013
【図２】
0006282747.tif 000014
【図３】
0006282747.tif 000015
【図４】
0006282747.tif 000016
【図５】
0006282747.tif 000017
【図６】
0006282747.tif 000018
【図７】
0006282747.tif 000019